(57)【要約】本発明の例示的実施形態は、搬送波アグリゲーションの動作をイネーブルにする。本明細書に開示される技術の実施形態は、マルチ搬送波通信システムの技術分野において採用され得る。無線デバイスは、１つまたはそれを上回るサブフレームに対する許可を受信する。許可は、ハイブリッド自動反復要求プロセス番号（ＨＡＲＱ  ＩＤ）を備える。無線デバイスは、ＨＡＲＱ  ＩＤおよび１つまたはそれを上回るサブフレームの中のサブフレームの位置に基づいて計算されている第１のＨＡＲＱ  ＩＤを採用して、１つまたはそれを上回るサブフレームのうちのサブフレーム内でトランスポートブロックを伝送する。
2019508956.tif 000002
【特許請求の範囲】
【請求項１】
方法であって、
無線デバイスによって、認可支援アクセス（ＬＡＡ）セルの１つまたはそれを上回る連続アップリンクサブフレームの数の中のアップリンクリソースを示すダウンリンク制御情報（ＤＣＩ）を受信するステップであって、前記ＤＣＩは、
前記１つまたはそれを上回る連続アップリンクサブフレームの前記数と、
ハイブリッド自動反復要求プロセス番号（ＨＡＲＱ  ＩＤ）と
を備える、ステップと、
前記ＤＣＩおよび第１のＨＡＲＱ  ＩＤに従って、前記１つまたはそれを上回る連続アップリンクサブフレームのうちの第１のサブフレーム上で１つまたはそれを上回るトランスポートブロックを伝送するステップと
を含み、
前記第１のＨＡＲＱ  ＩＤは、前記第１のサブフレームに関して（第１の事前構成された数を法とする（前記ＨＡＲＱ  ＩＤ＋ｉ））であり、ｉは、前記１つまたはそれを上回る連続アップリンクサブフレームの中の前記第１のサブフレームのサブフレーム位置を示す、方法。
【請求項２】
ｉは、開始サブフレームに関してゼロの値を有する、請求項１に記載の方法。
【請求項３】
ｉは、終了サブフレームに関してマイナス１の数の値を有する、請求項１に記載の方法。
【請求項４】
前記ＤＣＩはさらに、
前記１つまたはそれを上回る連続アップリンクサブフレームの前記数、
複数のリソースブロックの割当、または
伝送電力制御コマンド
のうちの少なくとも１つを備える、請求項１に記載の方法。
【請求項５】
前記ＤＣＩはさらに、
変調およびコーディングスキーム、
冗長性バージョン（ＲＶ）、または
新規データインジケータ（ＮＤＩ）
のうちの少なくとも１つを備える、請求項１に記載の方法。
【請求項６】
前記第１の事前構成された数は、前記無線デバイスによってサポートされるＨＡＲＱプロセスの数に依存する、請求項１に記載の方法。
【請求項７】
チャネルが前記１つまたはそれを上回る連続アップリンクサブフレームのうちの開始サブフレームのためにクリアであることを示すトーク前リッスンプロシージャを実施するステップをさらに含む、請求項１に記載の方法。
【請求項８】
前記１つまたはそれを上回る連続アップリンクサブフレームの前記数は、前記第１の事前構成された数未満である、請求項１に記載の方法。
【請求項９】
前記第１のＨＡＲＱ  ＩＤは、非同期ＨＡＲＱと関連付けられる、請求項１に記載の方法。
【請求項１０】
前記ＤＣＩは、ＨＡＲＱプロセスの第１の数と関連付けられ、前記ＨＡＲＱプロセスの第１の数は、前記１つまたはそれを上回る連続アップリンクサブフレームの前記数に等しい、請求項１に記載の方法。
【請求項１１】
前記無線デバイスによって、認可支援アクセス（ＬＡＡ）セルの構成パラメータを備える１つまたはそれを上回る無線リソース制御（ＲＲＣ）メッセージを受信するステップをさらに含み、前記１つまたはそれを上回るＲＲＣメッセージはさらに、第１のフィールドを備える１つまたはそれを上回る連続アップリンクサブフレーム配分構成パラメータを備え、前記第１のフィールドは、前記１つまたはそれを上回る連続アップリンクサブフレームの前記数の上限を示す、請求項１に記載の方法。
【請求項１２】
無線デバイスであって、
１つまたはそれを上回るプロセッサと、
命令を記憶するメモリであって、前記命令は、前記１つまたはそれを上回るプロセッサによって実行されると、前記無線デバイスに、
認可支援アクセス（ＬＡＡ）セルの１つまたはそれを上回る連続アップリンクサブフレームの数の中のアップリンクリソースを示すダウンリンク制御情報（ＤＣＩ）を受信することであって、前記ＤＣＩは、
前記１つまたはそれを上回る連続アップリンクサブフレームの前記数と、
ハイブリッド自動反復要求プロセス番号（ＨＡＲＱ  ＩＤ）と
を備える、ことと、
前記ＤＣＩおよび第１のＨＡＲＱ  ＩＤに従って、前記１つまたはそれを上回る連続アップリンクサブフレームのうちの第１のサブフレーム上で１つまたはそれを上回るトランスポートブロックを伝送することと
を行わせる、メモリと
を備え、
前記第１のＨＡＲＱ  ＩＤは、前記第１のサブフレームに関して（第１の事前構成された数を法とする（前記ＨＡＲＱ  ＩＤ＋ｉ））であり、ｉは、前記１つまたはそれを上回る連続アップリンクサブフレームの中の前記第１のサブフレームのサブフレーム位置を示す、無線デバイス。
【請求項１３】
ｉは、開始サブフレームに関してゼロの値を有する、請求項１２に記載の無線デバイス。
【請求項１４】
ｉは、終了サブフレームに関してマイナス１の数の値を有する、請求項１２に記載の無線デバイス。
【請求項１５】
前記ＤＣＩはさらに、
前記１つまたはそれを上回る連続アップリンクサブフレームの前記数、
複数のリソースブロックの割当、または
伝送電力制御コマンド
のうちの少なくとも１つを備える、請求項１２に記載の無線デバイス。
【請求項１６】
前記ＤＣＩはさらに、
変調およびコーディングスキーム、
冗長性バージョン（ＲＶ）、または
新規データインジケータ（ＮＤＩ）
のうちの少なくとも１つを備える、請求項１２に記載の無線デバイス。
【請求項１７】
前記第１の事前構成された数は、前記無線デバイスによってサポートされるＨＡＲＱプロセスの数に依存する、請求項１２に記載の無線デバイス。
【請求項１８】
命令はさらに、前記１つまたはそれを上回るプロセッサによって実行されると、前記無線デバイスに、チャネルが前記１つまたはそれを上回る連続アップリンクサブフレームのうちの開始サブフレームのためにクリアであることを示すトーク前リッスンプロシージャを実施させる、請求項１２に記載の無線デバイス。
【請求項１９】
前記１つまたはそれを上回る連続アップリンクサブフレームの前記数は、前記第１の事前構成された数未満である、請求項１２に記載の無線デバイス。
【請求項２０】
前記第１のＨＡＲＱ  ＩＤは、非同期ＨＡＲＱと関連付けられる、請求項１２に記載の無線デバイス。
【請求項２１】
前記ＤＣＩは、ＨＡＲＱプロセスの第１の数と関連付けられ、前記ＨＡＲＱプロセスの第１の数は、前記１つまたはそれを上回る連続アップリンクサブフレームの前記数に等しい、請求項１２に記載の無線デバイス。
【請求項２２】
命令はさらに、前記１つまたはそれを上回るプロセッサによって実行されると、前記無線デバイスに、認可支援アクセス（ＬＡＡ）セルの構成パラメータを備える１つまたはそれを上回る無線リソース制御（ＲＲＣ）メッセージを受信させ、前記１つまたはそれを上回るＲＲＣメッセージはさらに、第１のフィールドを備える１つまたはそれを上回る連続アップリンクサブフレーム配分構成パラメータを備え、前記第１のフィールドは、前記１つまたはそれを上回る連続アップリンクサブフレームの前記数の上限を示す、請求項１２に記載の無線デバイス。
【請求項２３】
方法であって、
基地局によって、認可支援アクセス（ＬＡＡ）セルの１つまたはそれを上回る連続アップリンクサブフレームの数の中のアップリンクリソースを示すダウンリンク制御情報（ＤＣＩ）を伝送するステップであって、前記ＤＣＩは、
前記１つまたはそれを上回る連続アップリンクサブフレームの前記数と、
ハイブリッド自動反復要求プロセス番号（ＨＡＲＱ  ＩＤ）と
を備える、ステップと、
前記ＤＣＩおよび第１のＨＡＲＱ  ＩＤに従って、前記１つまたはそれを上回る連続アップリンクサブフレームのうちの第１のサブフレーム上で１つまたはそれを上回るトランスポートブロックを受信するステップと
を含み、
前記第１のＨＡＲＱ  ＩＤは、前記第１のサブフレームに関して（第１の事前構成された数を法とする（前記ＨＡＲＱ  ＩＤ＋ｉ））であり、ｉは、前記１つまたはそれを上回る連続アップリンクサブフレームの中の前記第１のサブフレームのサブフレーム位置を示す、方法。
【請求項２４】
ｉは、開始サブフレームに関してゼロの値を有する、請求項２３に記載の方法。
【請求項２５】
ｉは、終了サブフレームに関してマイナス１の数の値を有する、請求項２３に記載の方法。
【請求項２６】
前記ＤＣＩはさらに、
前記１つまたはそれを上回る連続アップリンクサブフレームの前記数、
複数のリソースブロックの割当、または
伝送電力制御コマンド
のうちの少なくとも１つを備える、請求項２３に記載の方法。
【請求項２７】
前記ＤＣＩはさらに、
変調およびコーディングスキーム、
冗長性バージョン（ＲＶ）、または
新規データインジケータ（ＮＤＩ）
のうちの少なくとも１つを備える、請求項２３に記載の方法。
【請求項２８】
前記第１の事前構成された数は、前記無線デバイスによってサポートされるＨＡＲＱプロセスの数に依存する、請求項２３に記載の方法。
【請求項２９】
前記１つまたはそれを上回る連続アップリンクサブフレームの前記数は、前記第１の事前構成された数未満である、請求項２３に記載の方法。
【請求項３０】
前記第１のＨＡＲＱ  ＩＤは、非同期ＨＡＲＱと関連付けられる、請求項２３に記載の方法。
【請求項３１】
前記ＤＣＩは、ＨＡＲＱプロセスの第１の数と関連付けられ、前記ＨＡＲＱプロセスの第１の数は、前記１つまたはそれを上回る連続アップリンクサブフレームの前記数に等しい、請求項２３に記載の方法。
【請求項３２】
認可支援アクセス（ＬＡＡ）セルの構成パラメータを備える１つまたはそれを上回る無線リソース制御（ＲＲＣ）メッセージを伝送するステップをさらに含み、前記１つまたはそれを上回るＲＲＣメッセージはさらに、第１のフィールドを備える１つまたはそれを上回る連続アップリンクサブフレーム配分構成パラメータを備え、前記第１のフィールドは、前記１つまたはそれを上回る連続アップリンクサブフレームの前記数の上限を示す、請求項２３に記載の方法。
【請求項３３】
基地局であって、
１つまたはそれを上回るプロセッサと、
命令を記憶するメモリであって、前記命令は、前記１つまたはそれを上回るプロセッサによって実行されると、前記基地局に、
認可支援アクセス（ＬＡＡ）セルの１つまたはそれを上回る連続アップリンクサブフレームの数の中のアップリンクリソースを示すダウンリンク制御情報（ＤＣＩ）を伝送することであって、前記ＤＣＩは、
前記１つまたはそれを上回る連続アップリンクサブフレームの前記数と、
ハイブリッド自動反復要求プロセス番号（ＨＡＲＱ  ＩＤ）と
を備える、ことと、
前記ＤＣＩおよび第１のＨＡＲＱ  ＩＤに従って、前記１つまたはそれを上回る連続アップリンクサブフレームのうちの第１のサブフレーム上で１つまたはそれを上回るトランスポートブロックを受信することと
を行わせる、メモリと
を備え、
前記第１のＨＡＲＱ  ＩＤは、前記第１のサブフレームに関して（第１の事前構成された数を法とする（前記ＨＡＲＱ  ＩＤ＋ｉ））であり、ｉは、前記１つまたはそれを上回る連続アップリンクサブフレームの中の前記第１のサブフレームのサブフレーム位置を示す、基地局。
【請求項３４】
ｉは、開始サブフレームに関してゼロの値を有する、請求項３３に記載の基地局。
【請求項３５】
ｉは、終了サブフレームに関してマイナス１の数の値を有する、請求項３３に記載の基地局。
【請求項３６】
前記ＤＣＩはさらに、
前記１つまたはそれを上回る連続アップリンクサブフレームの前記数、
複数のリソースブロックの割当、または
伝送電力制御コマンド
のうちの少なくとも１つを備える、請求項３３に記載の基地局。
【請求項３７】
前記ＤＣＩはさらに、
変調およびコーディングスキーム、
冗長性バージョン（ＲＶ）、または
新規データインジケータ（ＮＤＩ）
のうちの少なくとも１つを備える、請求項３３に記載の基地局。
【請求項３８】
前記第１の事前構成された数は、前記無線デバイスによってサポートされるＨＡＲＱプロセスの数に依存する、請求項３３に記載の基地局。
【請求項３９】
前記１つまたはそれを上回る連続アップリンクサブフレームの前記数は、前記第１の事前構成された数未満である、請求項３３に記載の基地局。
【請求項４０】
前記第１のＨＡＲＱ  ＩＤは、非同期ＨＡＲＱと関連付けられる、請求項３３に記載の基地局。
【請求項４１】
前記ＤＣＩは、ＨＡＲＱプロセスの第１の数と関連付けられ、前記ＨＡＲＱプロセスの第１の数は、前記１つまたはそれを上回る連続アップリンクサブフレームの前記数に等しい、請求項３３に記載の基地局。
【請求項４２】
命令はさらに、前記１つまたはそれを上回るプロセッサによって実行されると、前記基地局に、認可支援アクセス（ＬＡＡ）セルの構成パラメータを備える１つまたはそれを上回る無線リソース制御（ＲＲＣ）メッセージを伝送させ、前記１つまたはそれを上回るＲＲＣメッセージはさらに、第１のフィールドを備える１つまたはそれを上回る連続アップリンクサブフレーム配分構成パラメータを備え、前記第１のフィールドは、前記１つまたはそれを上回る連続アップリンクサブフレームの前記数の上限を示す、請求項３３に記載の基地局。
【請求項４３】
方法であって、
無線デバイスによって、１つまたはそれを上回る連続アップリンクサブフレームの数の中のダウンリンク制御情報（ＤＣＩ）を受信するステップであって、前記ＤＣＩは、ハイブリッド自動反復要求プロセス番号（ＨＡＲＱ  ＩＤ）を備える、ステップと、
前記ＤＣＩおよび第１のＨＡＲＱ  ＩＤに従って、前記１つまたはそれを上回る連続アップリンクサブフレームのうちの第１のサブフレーム内で１つまたはそれを上回るトランスポートブロックを伝送するステップと
を含み、
前記第１のサブフレームと関連付けられる前記第１のＨＡＲＱ  ＩＤは、前記ＨＡＲＱ  ＩＤおよび前記１つまたはそれを上回る連続アップリンクサブフレームの中の前記第１のサブフレームの位置に基づいて計算される、方法。
【請求項４４】
前記ＤＣＩはさらに、
前記１つまたはそれを上回る連続アップリンクサブフレームの前記数、
複数のリソースブロックの割当、または
伝送電力制御コマンド
のうちの少なくとも１つを備える、請求項４３に記載の方法。
【請求項４５】
前記ＤＣＩはさらに、
変調およびコーディングスキーム、
冗長性バージョン（ＲＶ）、または
新規データインジケータ（ＮＤＩ）
のうちの少なくとも１つを備える、請求項４３に記載の方法。
【請求項４６】
チャネルが前記１つまたはそれを上回る連続アップリンクサブフレームのうちの開始サブフレームのためにクリアであることを示すトーク前リッスンプロシージャを実行するステップをさらに含む、請求項４３に記載の方法。
【請求項４７】
前記１つまたはそれを上回る連続アップリンクサブフレームの前記数は、前記第１の事前構成された数未満である、請求項４３に記載の方法。
【請求項４８】
前記第１のＨＡＲＱ  ＩＤは、非同期ＨＡＲＱと関連付けられる、請求項４３に記載の方法。
【請求項４９】
前記ＤＣＩは、ＨＡＲＱプロセスの第１の数と関連付けられ、前記ＨＡＲＱプロセスの第１の数は、前記１つまたはそれを上回る連続アップリンクサブフレームの前記数に等しい、請求項４３に記載の方法。
【請求項５０】
前記無線デバイスによって、認可支援アクセス（ＬＡＡ）セルの構成パラメータを備える１つまたはそれを上回る無線リソース制御（ＲＲＣ）メッセージを受信するステップをさらに含み、前記１つまたはそれを上回るＲＲＣメッセージはさらに、第１のフィールドを備える１つまたはそれを上回る連続アップリンクサブフレーム配分構成パラメータを備え、前記第１のフィールドは、前記１つまたはそれを上回る連続アップリンクサブフレームの前記数の上限を示す、請求項４３に記載の方法。
【請求項５１】
方法であって、
基地局によって、１つまたはそれを上回る連続アップリンクサブフレームの数の中のダウンリンク制御情報（ＤＣＩ）を伝送するステップであって、前記ＤＣＩは、ハイブリッド自動反復要求プロセス番号（ＨＡＲＱ  ＩＤ）を備える、ステップと、
前記ＤＣＩおよび第１のＨＡＲＱ  ＩＤに従って、前記１つまたはそれを上回る連続アップリンクサブフレームのうちの第１のサブフレーム内で１つまたはそれを上回るトランスポートブロックを受信するステップと
を含み、
前記第１のサブフレームと関連付けられる前記第１のＨＡＲＱ  ＩＤは、前記ＨＡＲＱ  ＩＤおよび前記１つまたはそれを上回る連続アップリンクサブフレームの中の前記第１のサブフレームの位置に基づいて計算される、方法。
【請求項５２】
前記ＤＣＩはさらに、
前記１つまたはそれを上回る連続アップリンクサブフレームの前記数、
複数のリソースブロックの割当、または
伝送電力制御コマンド
のうちの少なくとも１つを備える、請求項５１に記載の方法。
【請求項５３】
前記ＤＣＩはさらに、
変調およびコーディングスキーム、
冗長性バージョン（ＲＶ）、または
新規データインジケータ（ＮＤＩ）
のうちの少なくとも１つを備える、請求項５１に記載の方法。
【請求項５４】
チャネルが前記１つまたはそれを上回る連続アップリンクサブフレームのうちの開始サブフレームのためにクリアであることを示すトーク前リッスンプロシージャを実施するステップをさらに含む、請求項５１に記載の方法。
【請求項５５】
前記１つまたはそれを上回る連続アップリンクサブフレームの前記数は、前記第１の事前構成された数未満である、請求項５１に記載の方法。
【請求項５６】
前記第１のＨＡＲＱ  ＩＤは、非同期ＨＡＲＱと関連付けられる、請求項５１に記載の方法。
【請求項５７】
前記ＤＣＩは、ＨＡＲＱプロセスの第１の数と関連付けられ、前記ＨＡＲＱプロセスの第１の数は、前記１つまたはそれを上回る連続アップリンクサブフレームの前記数に等しい、請求項５１に記載の方法。
【請求項５８】
前記基地局によって、認可支援アクセス（ＬＡＡ）セルの構成パラメータを備える１つまたはそれを上回る無線リソース制御（ＲＲＣ）メッセージを伝送するステップをさらに含み、前記１つまたはそれを上回るＲＲＣメッセージはさらに、第１のフィールドを備える１つまたはそれを上回る連続アップリンクサブフレーム配分構成パラメータを備え、前記第１のフィールドは、前記１つまたはそれを上回る連続アップリンクサブフレームの前記数の上限を示す、請求項５１に記載の方法。
【請求項５９】
方法であって、
無線デバイスによって、１つまたはそれを上回るサブフレームに対する許可を受信するステップであって、前記許可は、ハイブリッド自動反復要求プロセス番号（ＨＡＲＱ  ＩＤ）を備える、ステップと、
前記ＨＡＲＱ  ＩＤおよび１つまたはそれを上回るサブフレームの中のサブフレームの位置に基づいて計算されている第１のＨＡＲＱ  ＩＤを採用して、前記１つまたはそれを上回るサブフレームのうちの前記サブフレーム内でトランスポートブロックを伝送するステップと
を含む、方法。
【請求項６０】
前記許可はさらに、
前記１つまたはそれを上回る連続アップリンクサブフレームの数、
複数のリソースブロックの割当、または
伝送電力制御コマンド
のうちの少なくとも１つを備える、請求項５９に記載の方法。
【請求項６１】
前記許可はさらに、
変調およびコーディングスキーム、
冗長性バージョン（ＲＶ）、または
新規データインジケータ（ＮＤＩ）
のうちの少なくとも１つを備える、請求項５９に記載の方法。
【請求項６２】
チャネルが前記１つまたはそれを上回る連続アップリンクサブフレームのうちの開始サブフレームのためにクリアであることを示すトーク前リッスンプロシージャを実施するステップをさらに含む、請求項５９に記載の方法。
【請求項６３】
前記１つまたはそれを上回るサブフレームの数は、前記第１の事前構成された数未満である、請求項５９に記載の方法。
【請求項６４】
方法であって、
基地局によって、１つまたはそれを上回るサブフレームに対する許可を伝送するステップであって、前記許可は、ハイブリッド自動反復要求プロセス番号（ＨＡＲＱ  ＩＤ）を備える、ステップと、
前記ＨＡＲＱ  ＩＤおよび前記１つまたはそれを上回るサブフレームの中のサブフレームの位置に基づいて計算されている第１のＨＡＲＱ  ＩＤを採用して、前記１つまたはそれを上回るサブフレームのうちの前記サブフレーム内でトランスポートブロックを受信するステップと
を含む、方法。
【請求項６５】
前記許可はさらに、
前記１つまたはそれを上回る連続アップリンクサブフレームの数、
複数のリソースブロックの割当、または
伝送電力制御コマンド
のうちの少なくとも１つを備える、請求項６４に記載の方法。
【請求項６６】
前記許可はさらに、
変調およびコーディングスキーム、
冗長性バージョン（ＲＶ）、または
新規データインジケータ（ＮＤＩ）
のうちの少なくとも１つを備える、請求項６４に記載の方法。
【請求項６７】
チャネルが前記１つまたはそれを上回る連続アップリンクサブフレームのうちの開始サブフレームのためにクリアであることを示すトーク前リッスンプロシージャを実施するステップをさらに含む、請求項６４に記載の方法。
【請求項６８】
前記１つまたはそれを上回るサブフレームの数は、前記第１の事前構成された数未満である、請求項６４に記載の方法。
【請求項６９】
無線デバイスであって、
１つまたはそれを上回るプロセッサと、
命令を記憶するメモリであって、前記命令は、前記１つまたはそれを上回るプロセッサによって実行されると、前記無線デバイスに、
１つまたはそれを上回るサブフレームに対する許可を受信することであって、前記許可は、ハイブリッド自動反復要求プロセス番号（ＨＡＲＱ  ＩＤ）を備える、ことと、
前記ＨＡＲＱ  ＩＤおよび前記１つまたはそれを上回るサブフレームの中のサブフレームの位置に基づいて計算されている第１のＨＡＲＱ  ＩＤを採用して、前記１つまたはそれを上回るサブフレームのうちの前記サブフレーム内でトランスポートブロックを伝送することと
を行わせる、メモリと
を備える、無線デバイス。
【請求項７０】
基地局であって、
１つまたはそれを上回るプロセッサと、
命令を記憶するメモリであって、前記命令は、前記１つまたはそれを上回るプロセッサによって実行されると、前記基地局に、
１つまたはそれを上回るサブフレームに対する許可を伝送することであって、前記許可は、ハイブリッド自動反復要求プロセス番号（ＨＡＲＱ  ＩＤ）を備える、ことと、
前記ＨＡＲＱ  ＩＤおよび前記１つまたはそれを上回るサブフレームの中のサブフレームの位置に基づいて計算されている第１のＨＡＲＱ  ＩＤを採用して、前記１つまたはそれを上回るサブフレームのうちの前記サブフレーム内でトランスポートブロックを受信することと
を行わせる、メモリと
を備える、基地局。
【請求項７１】
方法であって、
認可支援アクセス（ＬＡＡ）セルの構成パラメータを備える１つまたはそれを上回る無線リソース制御（ＲＲＣ）メッセージを受信するステップであって、前記構成パラメータは、１つまたはそれを上回る連続アップリンクサブフレーム配分構成パラメータを備える、ステップと、
前記ＬＡＡセルの１つまたはそれを上回る連続アップリンクサブフレームの数の中のアップリンクリソースを示すダウンリンク制御情報（ＤＣＩ）を受信するステップであって、前記ＤＣＩは、
前記１つまたはそれを上回る連続アップリンクサブフレームの前記数と、
複数のリソースブロックの割当と、
伝送電力制御コマンドと
を備える、ステップと、
チャネルが前記１つまたはそれを上回る連続アップリンクサブフレームのうちの開始サブフレームのためにクリアであることを示すトーク前リッスンプロシージャを実施するステップと、
前記１つまたはそれを上回る連続アップリンクサブフレームを横断して使用される前記複数のリソースブロックを介して、１つまたはそれを上回るトランスポートブロックを伝送するステップであって、前記１つまたはそれを上回る連続アップリンクサブフレームのうちの各サブフレーム内の前記１つまたはそれを上回るトランスポートブロックの伝送電力は、
前記伝送電力制御コマンドを採用し、
各サブフレーム内の全伝送電力が各サブフレーム内の電力値を超えるときに、各サブフレーム内で調節される、
ステップと
を含む、方法。
【請求項７２】
前記ＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、請求項７１に記載の方法。
【請求項７３】
前記１つまたはそれを上回る連続アップリンクサブフレームの前記数は、無線デバイスによってサポートされるＨＡＲＱプロセスの数未満である、請求項７１に記載の方法。
【請求項７４】
前記伝送電力の計算は、測定されたパスロス値を採用する、請求項７１に記載の方法。
【請求項７５】
前記１つまたはそれを上回る連続アップリンクサブフレームのうちの各サブフレーム内の前記１つまたはそれを上回るトランスポートブロックの前記伝送電力は、同一の調節係数を採用し、前記調節係数は、前記伝送電力制御コマンドを採用して計算される、請求項７１に記載の方法。
【請求項７６】
検出されたチャネルエネルギーがある閾値を下回るときに、前記チャネルがクリアであることを示す前記トーク前リッスンプロシージャをさらに含む、請求項７１に記載の方法。
【請求項７７】
前記トーク前リッスンプロシージャの１つまたはそれを上回るパラメータは、前記１つまたはそれを上回るトランスポートブロックのうちの少なくとも１つの優先クラスに依存する、請求項７１に記載の方法。
【請求項７８】
トランスポートブロックは、非同期ＨＡＲＱプロセスと関連付けられる、請求項７１に記載の方法。
【請求項７９】
前記１つまたはそれを上回る連続アップリンクサブフレームの中の各サブフレームは、ＨＡＲＱ識別子と関連付けられ、前記ＨＡＲＱ識別子は、前記１つまたはそれを上回る連続アップリンクサブフレームの中のサブフレームの位置に依存する、請求項７１に記載の方法。
【請求項８０】
前記１つまたはそれを上回る連続アップリンクサブフレームのうちのサブフレーム内でサウンディング参照信号（ＳＲＳ）を伝送するステップをさらに含み、前記ＳＲＳの伝送電力は、前記伝送電力制御コマンドを採用して計算される、請求項７１に記載の方法。
【請求項８１】
前記１つまたはそれを上回る連続アップリンクサブフレーム配分構成パラメータは、第１のフィールドを備え、前記第１のフィールドは、前記１つまたはそれを上回る連続アップリンクサブフレームの数の上限を示す、請求項７１に記載の方法。
【請求項８２】
無線デバイスであって、
１つまたはそれを上回るプロセッサと、
命令を記憶するメモリであって、前記命令は、前記１つまたはそれを上回るプロセッサによって実行されると、前記無線デバイスに、
認可支援アクセス（ＬＡＡ）セルの構成パラメータを備える１つまたはそれを上回る無線リソース制御（ＲＲＣ）メッセージを受信することであって、前記１つまたはそれを上回る構成パラメータは、１つまたはそれを上回る連続アップリンクサブフレーム配分構成パラメータを備える、ことと、
前記ＬＡＡセルの１つまたはそれを上回る連続アップリンクサブフレームの数の中のアップリンクリソースを示すダウンリンク制御情報（ＤＣＩ）を受信することであって、前記ＤＣＩは、
前記１つまたはそれを上回る連続アップリンクサブフレームの前記数と、
複数のリソースブロックの割当と、
伝送電力制御コマンドと
を備える、ことと、
チャネルが前記１つまたはそれを上回る連続アップリンクサブフレームのうちの開始サブフレームのためにクリアであることを示すトーク前リッスンプロシージャを実施することと、
前記１つまたはそれを上回る連続アップリンクサブフレームにわたって採用される前記複数のリソースブロックを介して、１つまたはそれを上回るトランスポートブロックを伝送することであって、前記１つまたはそれを上回る連続アップリンクサブフレームのうちの各サブフレーム内の前記１つまたはそれを上回るトランスポートブロックの伝送電力は、
前記伝送電力制御コマンドを採用し、
各サブフレーム内の全伝送電力が各サブフレーム内の電力値を超えるときに、各サブフレーム内で調節される、ことと
を行わせる、メモリと
を備える、無線デバイス。
【請求項８３】
前記ＤＣＩはさらに、
変調およびコーディングスキームと、
ハイブリッド自動反復要求（ＨＡＲＱ）識別子と、
冗長性バージョン（ＲＶ）と、
新規データインジケータ（ＮＤＩ）と
のうちの少なくとも１つを備える、請求項８２に記載の無線デバイス。
【請求項８４】
前記１つまたはそれを上回る連続アップリンクサブフレームの前記数は、前記無線デバイスによってサポートされるＨＡＲＱプロセスの数未満である、請求項８２に記載の無線デバイス。
【請求項８５】
前記伝送電力の計算は、測定されたパスロス値を採用する、請求項８２に記載の無線デバイス。
【請求項８６】
前記１つまたはそれを上回る連続アップリンクサブフレームのうちの各サブフレーム内の前記１つまたはそれを上回るトランスポートブロックの前記伝送電力は、同一の調節係数を採用し、前記調節係数は、前記伝送電力制御コマンドを採用して計算される、請求項８２に記載の無線デバイス。
【請求項８７】
前記トーク前リッスンプロシージャは、検出されたチャネルエネルギーがある閾値を下回るときに、前記チャネルがクリアであることを示す、請求項８２に記載の無線デバイス。
【請求項８８】
前記トーク前リッスンプロシージャの１つまたはそれを上回るパラメータは、前記１つまたはそれを上回るトランスポートブロックのうちの少なくとも１つの優先クラスに依存する、請求項８２に記載の無線デバイス。
【請求項８９】
前記１つまたはそれを上回る連続アップリンクサブフレームの中の各サブフレームは、ＨＡＲＱ識別子と関連付けられ、前記ＨＡＲＱ識別子は、前記１つまたはそれを上回る連続アップリンクサブフレームの中のサブフレームの位置に依存する、請求項８２に記載の無線デバイス。
【請求項９０】
前記命令はさらに、前記１つまたはそれを上回るプロセッサによって実行されると、前記無線デバイスに、前記１つまたはそれを上回る連続アップリンクサブフレームのうちのサブフレーム内でサウンディング参照信号（ＳＲＳ）を伝送させ、前記ＳＲＳの伝送電力は、前記伝送電力制御コマンドを採用して計算される、請求項８２に記載の無線デバイス。
【請求項９１】
方法であって、
認可支援アクセス（ＬＡＡ）セルの構成パラメータを備える１つまたはそれを上回る無線リソース制御（ＲＲＣ）メッセージを受信するステップであって、前記１つまたはそれを上回る構成パラメータは、１つまたはそれを上回るアップリンクサブフレーム配分構成パラメータを備える、ステップと、
前記ＬＡＡセルの１つまたはそれを上回る連続アップリンクサブフレームの数の中のアップリンクリソースを示すダウンリンク制御情報（ＤＣＩ）を受信するステップであって、前記ＤＣＩは、
前記１つまたはそれを上回る連続アップリンクサブフレームの前記数と
複数のリソースブロックの割当と
を備える、ステップと、
チャネルが前記１つまたはそれを上回る連続アップリンクサブフレームのうちの開始サブフレームのためにクリアであることを示すトーク前リッスンプロシージャを実施するステップと、
前記１つまたはそれを上回る連続アップリンクサブフレームにわたって使用される前記複数のリソースブロックを介して、前記１つまたはそれを上回る連続アップリンクサブフレーム内で１つまたはそれを上回るトランスポートブロックを伝送するステップと
を含む、方法。
【請求項９２】
前記ＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、請求項９１に記載の方法。
【請求項９３】
前記１つまたはそれを上回る連続アップリンクサブフレームの前記数は、無線デバイスによってサポートされるＨＡＲＱプロセスの数未満である、請求項９１に記載の方法。
【請求項９４】
検出されたチャネルエネルギーがある閾値を下回るときに、前記チャネルがクリアであることを示す前記トーク前リッスンプロシージャをさらに含む、請求項９１に記載の方法。
【請求項９５】
前記トーク前リッスンプロシージャの１つまたはそれを上回るパラメータは、前記１つまたはそれを上回るトランスポートブロックのうちの少なくとも１つの優先クラスに依存する、請求項９１に記載の方法。
【請求項９６】
トランスポートブロックは、非同期ＨＡＲＱプロセスと関連付けられる、請求項９１に記載の方法。
【請求項９７】
前記１つまたはそれを上回る連続アップリンクサブフレームの中の各サブフレームは、ＨＡＲＱ識別子と関連付けられ、前記ＨＡＲＱ識別子は、前記１つまたはそれを上回る連続アップリンクサブフレームの中のサブフレームの位置に依存する、請求項９１に記載の方法。
【請求項９８】
前記１つまたはそれを上回る連続アップリンクサブフレーム配分構成パラメータは、第１のフィールドを備え、前記第１のフィールドは、前記１つまたはそれを上回る連続アップリンクサブフレームの数の上限を示す、請求項９１に記載の方法。
【請求項９９】
無線デバイスであって、
１つまたはそれを上回るプロセッサと、
命令を記憶するメモリであって、前記命令は、前記１つまたはそれを上回るプロセッサによって実行されると、前記無線デバイスに、
認可支援アクセス（ＬＡＡ）セルの構成パラメータを備える１つまたはそれを上回る無線リソース制御（ＲＲＣ）メッセージを受信することであって、前記構成パラメータは、１つまたはそれを上回るアップリンクサブフレーム配分構成パラメータを備える、ことと、
前記ＬＡＡセルの１つまたはそれを上回る連続アップリンクサブフレームの数の中のアップリンクリソースを示すダウンリンク制御情報（ＤＣＩ）を受信することであって、前記ＤＣＩは、
前記１つまたはそれを上回る連続アップリンクサブフレームの前記数と、
複数のリソースブロックの割当と
を備える、ことと、
チャネルが前記１つまたはそれを上回る連続アップリンクサブフレームのうちの開始サブフレームのためにクリアであることを示すトーク前リッスンプロシージャを実施することと、
前記１つまたはそれを上回る連続アップリンクサブフレームにわたって使用される前記複数のリソースブロックを介して、前記１つまたはそれを上回る連続アップリンクサブフレーム内で１つまたはそれを上回るトランスポートブロックを伝送することと
を行わせる、メモリと
を備える、無線デバイス。
【請求項１００】
前記ＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、請求項９９に記載の無線デバイス。
【請求項１０１】
前記１つまたはそれを上回る連続アップリンクサブフレームの前記数は、無線デバイスによってサポートされるＨＡＲＱプロセスの数未満である、請求項９９に記載の無線デバイス。
【請求項１０２】
検出されたチャネルエネルギーがある閾値を下回るときに、前記チャネルがクリアであることを示す前記トーク前リッスンプロシージャをさらに含む、請求項９９に記載の無線デバイス。
【請求項１０３】
前記トーク前リッスンプロシージャの１つまたはそれを上回るパラメータは、前記１つまたはそれを上回るトランスポートブロックのうちの少なくとも１つの優先クラスに依存する、請求項９９に記載の無線デバイス。
【請求項１０４】
トランスポートブロックは、非同期ＨＡＲＱプロセスと関連付けられる、請求項９９に記載の無線デバイス。
【請求項１０５】
前記１つまたはそれを上回る連続アップリンクサブフレームの中の各サブフレームは、ＨＡＲＱ識別子と関連付けられ、前記ＨＡＲＱ識別子は、前記１つまたはそれを上回る連続アップリンクサブフレームの中のサブフレームの位置に依存する、請求項９９に記載の無線デバイス。
【請求項１０６】
前記１つまたはそれを上回る連続アップリンクサブフレーム配分構成パラメータは、第１のフィールドを備え、前記第１のフィールドは、前記１つまたはそれを上回る連続アップリンクサブフレームの数の上限を示す、請求項９９に記載の無線デバイス。
【請求項１０７】
方法であって、
認可支援アクセス（ＬＡＡ）セルの１つまたはそれを上回る連続アップリンクサブフレームの数の中のアップリンクリソースを示すダウンリンク制御情報（ＤＣＩ）を受信するステップであって、前記ＤＣＩは、
前記１つまたはそれを上回る連続アップリンクサブフレームの前記数と、
複数のリソースブロックの割当と
を備える、ステップと、
前記１つまたはそれを上回る連続アップリンクサブフレームにわたって使用される前記複数のリソースブロックを介して、前記１つまたはそれを上回る連続アップリンクサブフレーム内で１つまたはそれを上回るトランスポートブロックを伝送するステップと
を含む、方法。
【請求項１０８】
前記ＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、請求項１０７に記載の方法。
【請求項１０９】
前記１つまたはそれを上回る連続アップリンクサブフレームの前記数は、無線デバイスによってサポートされるＨＡＲＱプロセスの数未満である、請求項１０７に記載の方法。
【請求項１１０】
検出されたチャネルエネルギーがある閾値を下回るときに、前記チャネルがクリアであることを示すトーク前リッスンプロシージャをさらに含む、請求項１０７に記載の方法。
【請求項１１１】
前記トーク前リッスンプロシージャの１つまたはそれを上回るパラメータは、前記１つまたはそれを上回るトランスポートブロックのうちの少なくとも１つの優先クラスに依存する、請求項１０７に記載の方法。
【請求項１１２】
トランスポートブロックは、非同期ＨＡＲＱプロセスと関連付けられる、請求項１０７に記載の方法。
【請求項１１３】
前記１つまたはそれを上回る連続アップリンクサブフレームの中の各サブフレームは、ＨＡＲＱ識別子と関連付けられ、前記ＨＡＲＱ識別子は、前記１つまたはそれを上回る連続アップリンクサブフレームの中のサブフレームの位置に依存する、請求項１０７に記載の方法。
【請求項１１４】
前記１つまたはそれを上回る連続アップリンクサブフレーム配分構成パラメータは、第１のフィールドを備え、前記第１のフィールドは、前記１つまたはそれを上回る連続アップリンクサブフレームの数の上限を示す、請求項１０７に記載の方法。
【請求項１１５】
無線デバイスであって、
１つまたはそれを上回るプロセッサと、
命令を記憶するメモリであって、前記命令は、前記１つまたはそれを上回るプロセッサによって実行されると、前記無線デバイスに、
認可支援アクセス（ＬＡＡ）セルの１つまたはそれを上回る連続アップリンクサブフレームの数の中のアップリンクリソースを示すダウンリンク制御情報（ＤＣＩ）を受信することであって、前記ＤＣＩは、
前記１つまたはそれを上回る連続アップリンクサブフレームの前記数と、
複数のリソースブロックの割当と
を備える、ことと、
前記１つまたはそれを上回る連続アップリンクサブフレームにわたって使用される前記複数のリソースブロックを介して、前記１つまたはそれを上回る連続アップリンクサブフレーム内で１つまたはそれを上回るトランスポートブロックを伝送することと
を行わせる、メモリと
を備える、無線デバイス。
【請求項１１６】
前記ＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、請求項１１５に記載の無線デバイス。
【請求項１１７】
前記１つまたはそれを上回る連続アップリンクサブフレームの前記数は、無線デバイスによってサポートされるＨＡＲＱプロセスの数未満である、請求項１１５に記載の無線デバイス。
【請求項１１８】
前記トーク前リッスンプロシージャの１つまたはそれを上回るパラメータは、前記１つまたはそれを上回るトランスポートブロックのうちの少なくとも１つの優先クラスに依存する、請求項１１５に記載の無線デバイス。
【請求項１１９】
トランスポートブロックは、非同期ＨＡＲＱプロセスと関連付けられる、請求項１１５に記載の無線デバイス。
【請求項１２０】
前記１つまたはそれを上回る連続アップリンクサブフレームの中の各サブフレームは、ＨＡＲＱ識別子と関連付けられ、前記ＨＡＲＱ識別子は、前記１つまたはそれを上回る連続アップリンクサブフレームの中のサブフレームの位置に依存する、請求項１１５に記載の無線デバイス。
【請求項１２１】
前記１つまたはそれを上回る連続アップリンクサブフレーム配分構成パラメータは、第１のフィールドを備え、前記第１のフィールドは、前記１つまたはそれを上回る連続アップリンクサブフレームの数の上限を示す、請求項１１５に記載の無線デバイス。
【請求項１２２】
方法であって、
基地局によって、認可支援アクセス（ＬＡＡ）セルの１つまたはそれを上回る連続アップリンクサブフレームの数の中のアップリンクリソースを示すダウンリンク制御情報（ＤＣＩ）を伝送するステップであって、前記ＤＣＩは、
前記１つまたはそれを上回る連続アップリンクサブフレームの前記数と、
複数のリソースブロックの割当と
を備える、ステップと、
前記１つまたはそれを上回る連続アップリンクサブフレームにわたって使用される前記複数のリソースブロックを介して、前記１つまたはそれを上回る連続アップリンクサブフレーム内で１つまたはそれを上回るトランスポートブロックを受信するステップと
を含む、方法。
【請求項１２３】
前記ＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、請求項１２２に記載の方法。
【請求項１２４】
前記１つまたはそれを上回る連続アップリンクサブフレームの前記数は、無線デバイスによってサポートされるＨＡＲＱプロセスの数未満である、請求項１２２に記載の方法。
【請求項１２５】
前記トーク前リッスンプロシージャの１つまたはそれを上回るパラメータは、前記１つまたはそれを上回るトランスポートブロックのうちの少なくとも１つの優先クラスに依存する、請求項１２２に記載の方法。
【請求項１２６】
トランスポートブロックは、非同期ＨＡＲＱプロセスと関連付けられる、請求項１２２に記載の方法。
【請求項１２７】
前記１つまたはそれを上回る連続アップリンクサブフレームの中の各サブフレームは、ＨＡＲＱ識別子と関連付けられ、前記ＨＡＲＱ識別子は、前記１つまたはそれを上回る連続アップリンクサブフレームの中のサブフレームの位置に依存する、請求項１２２に記載の方法。
【請求項１２８】
前記１つまたはそれを上回る連続アップリンクサブフレーム配分構成パラメータは、第１のフィールドを備え、前記第１のフィールドは、前記１つまたはそれを上回る連続アップリンクサブフレームの数の上限を示す、請求項１２２に記載の方法。
【請求項１２９】
基地局であって、
１つまたはそれを上回るプロセッサと、
命令を記憶するメモリであって、前記命令は、前記１つまたはそれを上回るプロセッサによって実行されると、前記基地局に、
認可支援アクセス（ＬＡＡ）セルの１つまたはそれを上回る連続アップリンクサブフレームの数の中のアップリンクリソースを示すダウンリンク制御情報（ＤＣＩ）を伝送することであって、前記ＤＣＩは、
前記１つまたはそれを上回る連続アップリンクサブフレームの前記数と、
複数のリソースブロックの割当と
を備える、ことと、
前記１つまたはそれを上回る連続アップリンクサブフレームにわたって使用される前記複数のリソースブロックを介して、前記１つまたはそれを上回る連続アップリンクサブフレーム内で１つまたはそれを上回るトランスポートブロックを受信することと
を行わせる、メモリと
を備える、基地局。
【請求項１３０】
前記ＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、請求項１２９に記載の基地局。
【請求項１３１】
前記１つまたはそれを上回る連続アップリンクサブフレームの前記数は、無線デバイスによってサポートされるＨＡＲＱプロセスの数未満である、請求項１２９に記載の基地局。
【請求項１３２】
前記トーク前リッスンプロシージャの１つまたはそれを上回るパラメータは、前記１つまたはそれを上回るトランスポートブロックのうちの少なくとも１つの優先クラスに依存する、請求項１２９に記載の基地局。
【請求項１３３】
トランスポートブロックは、非同期ＨＡＲＱプロセスと関連付けられる、請求項１２９に記載の基地局。
【請求項１３４】
前記１つまたはそれを上回る連続アップリンクサブフレームの中の各サブフレームは、ＨＡＲＱ識別子と関連付けられ、前記ＨＡＲＱ識別子は、前記１つまたはそれを上回る連続アップリンクサブフレームの中のサブフレームの位置に依存する、請求項１２９に記載の基地局。
【請求項１３５】
前記１つまたはそれを上回る連続アップリンクサブフレーム配分構成パラメータは、第１のフィールドを備え、前記第１のフィールドは、前記１つまたはそれを上回る連続アップリンクサブフレームの数の上限を示す、請求項１２９に記載の基地局。
【請求項１３６】
方法であって、
認可支援アクセス（ＬＡＡ）セルの１つまたはそれを上回る連続アップリンクサブフレームの数に対する許可を示すダウンリンク制御情報（ＤＣＩ）を受信するステップであって、前記ＤＣＩは、
複数のリソースブロックの割当と、
伝送電力制御コマンドと
を備える、ステップと、
チャネルが前記１つまたはそれを上回る連続アップリンクサブフレームのうちの開始サブフレームのためにクリアであることを示すトーク前リッスンプロシージャを実施するステップと、
前記１つまたはそれを上回る連続アップリンクサブフレームにわたって使用される前記複数のリソースブロックを介して、１つまたはそれを上回るトランスポートブロックを伝送するステップであって、前記１つまたはそれを上回る連続アップリンクサブフレームのうちの各サブフレーム内の前記１つまたはそれを上回るトランスポートブロックの伝送電力は、
前記伝送電力制御コマンドを採用し、
各サブフレーム内の全伝送電力が各サブフレーム内の電力値を超えるときに、各サブフレーム内で調節される、
ステップと
を含む、方法。
【請求項１３７】
方法であって、
認可支援アクセス（ＬＡＡ）セルの１つまたはそれを上回る連続アップリンクサブフレームの数に対する許可を示すダウンリンク制御情報（ＤＣＩ）を受信するステップであって、前記ＤＣＩは、
複数のリソースブロックの割当と、
伝送電力制御コマンドと
を備える、ステップと、
前記１つまたはそれを上回る連続アップリンクサブフレームにわたって使用される前記複数のリソースブロックを介して、１つまたはそれを上回るトランスポートブロックを伝送するステップであって、前記１つまたはそれを上回る連続アップリンクサブフレームのうちの各サブフレーム内の前記１つまたはそれを上回るトランスポートブロックの伝送電力は、
前記伝送電力制御コマンドを採用し、
各サブフレーム内の全伝送電力が各サブフレーム内の電力値を超えるときに、各サブフレーム内で調節される、
ステップと
を含む、方法。
【請求項１３８】
方法であって、
無線デバイスによって、認可支援アクセス（ＬＡＡ）セルの構成パラメータを備える１つまたはそれを上回る無線リソース制御（ＲＲＣ）メッセージを受信するステップと、
第１のサブフレーム内で、前記ＬＡＡセルのための第１のアップリンクリソースを示す第１のダウンリンク制御情報（ＤＣＩ）を受信するステップであって、前記第１のＤＣＩは、
第３のサブフレームを備える１つまたはそれを上回る連続アップリンクサブフレームの数に関するものであり、
前記１つまたはそれを上回る連続アップリンクサブフレームの前記数を備える、
ステップと、
前記第１のサブフレームと異なる第２のサブフレーム内で、前記第３のサブフレームのための第２のアップリンクリソースを示す第２のＤＣＩを受信するステップと、
前記第３のサブフレーム内の複数のリソースブロックを介して、直近で受信された第１のＤＣＩまたは第２のＤＣＩのパラメータに従って、１つまたはそれを上回るトランスポートブロックを伝送するステップと
を含む、方法。
【請求項１３９】
前記第３のサブフレームは、前記第１のサブフレームおよび前記第２のサブフレームの後にある、請求項１３８に記載の方法。
【請求項１４０】
前記第１のＤＣＩはさらに、
前記複数のリソースブロックの割当、または
伝送電力制御コマンド
のうちの少なくとも１つを備える、請求項１３８に記載の方法。
【請求項１４１】
前記第１のＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、請求項１３８に記載の方法。
【請求項１４２】
チャネルが前記１つまたはそれを上回る連続アップリンクサブフレームのうちの開始サブフレームのためにクリアであることを示すトーク前リッスンプロシージャを実施するステップをさらに含む、請求項１３８に記載の方法。
【請求項１４３】
前記１つまたはそれを上回るトランスポートブロックは、非同期ＨＡＲＱプロセスと関連付けられる、請求項１３８に記載の方法。
【請求項１４４】
前記１つまたはそれを上回る連続アップリンクサブフレームの前記数は、前記無線デバイスによってサポートされるＨＡＲＱプロセスの数未満である、請求項１３８に記載の方法。
【請求項１４５】
前記第２のＤＣＩは、
ハイブリッド自動反復要求（ＨＡＲＱ）識別子、
冗長性バージョン（ＲＶ）、または
新規データインジケータ
のうちの少なくとも１つを備える、請求項１３８に記載の方法。
【請求項１４６】
構成パラメータは、第１のフィールドを備え、
前記１つまたはそれを上回る連続アップリンクサブフレームの前記数は、前記第１のフィールド未満である、
請求項１３８に記載の方法。
【請求項１４７】
前記１つまたはそれを上回るＲＲＣメッセージはさらに、第１のフィールドを備える１つまたはそれを上回る連続アップリンクサブフレーム配分構成パラメータを備え、前記第１のフィールドは、前記１つまたはそれを上回る連続アップリンクサブフレームの前記数の上限を示す、請求項１３８に記載の方法。
【請求項１４８】
無線デバイスであって、
１つまたはそれを上回るプロセッサと、
命令を記憶するメモリであって、前記命令は、前記１つまたはそれを上回るプロセッサによって実行されると、前記無線デバイスに、
認可支援アクセス（ＬＡＡ）セルの構成パラメータを備える１つまたはそれを上回る無線リソース制御（ＲＲＣ）メッセージを受信することと、
第１のサブフレーム内で、前記ＬＡＡセルのための第１のアップリンクリソースを示す第１のダウンリンク制御情報（ＤＣＩ）を受信することであって、前記第１のＤＣＩは、
第３のサブフレームを備える１つまたはそれを上回る連続アップリンクサブフレームの数に関するものであり、
前記１つまたはそれを上回る連続アップリンクサブフレームの前記数を備える、
ことと、
前記第１のサブフレームと異なる第２のサブフレーム内で、前記第３のサブフレームのための第２のアップリンクリソースを示す第２のＤＣＩを受信することと、
前記第３のサブフレーム内の複数のリソースブロックを介して、直近で受信された第１のＤＣＩまたは第２のＤＣＩのパラメータに従って、１つまたはそれを上回るトランスポートブロックを伝送することと
を行わせる、メモリと
を備える、無線デバイス。
【請求項１４９】
前記第３のサブフレームは、前記第１のサブフレームおよび前記第２のサブフレームの後にある、請求項１４８に記載の無線デバイス。
【請求項１５０】
前記第１のＤＣＩはさらに、
前記複数のリソースブロックの割当、または
伝送電力制御コマンド
のうちの少なくとも１つを備える、請求項１４８に記載の無線デバイス。
【請求項１５１】
前記第１のＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、請求項１４８に記載の無線デバイス。
【請求項１５２】
前記命令は、前記１つまたはそれを上回るプロセッサによって実行されると、前記無線デバイスに、チャネルが前記１つまたはそれを上回る連続アップリンクサブフレームのうちの開始サブフレームのためにクリアであることを示すトーク前リッスンプロシージャを実施させる、請求項１４８に記載の無線デバイス。
【請求項１５３】
前記１つまたはそれを上回るトランスポートブロックは、非同期ＨＡＲＱプロセスと関連付けられる、請求項１４８に記載の無線デバイス。
【請求項１５４】
前記１つまたはそれを上回る連続アップリンクサブフレームの前記数は、前記無線デバイスによってサポートされるＨＡＲＱプロセスの数未満である、請求項１４８に記載の無線デバイス。
【請求項１５５】
方法であって、
基地局によって、認可支援アクセス（ＬＡＡ）セルの構成パラメータを備える１つまたはそれを上回る無線リソース制御（ＲＲＣ）メッセージを伝送するステップと、
第１のサブフレーム内で、前記ＬＡＡセルのための第１のアップリンクリソースを示す第１のダウンリンク制御情報（ＤＣＩ）を伝送するステップであって、前記第１のＤＣＩは、
第３のサブフレームを備える１つまたはそれを上回る連続アップリンクサブフレームの数に関するものであり、
前記１つまたはそれを上回る連続アップリンクサブフレームの前記数を備える、
ステップと、
前記第１のサブフレームと異なる第２のサブフレーム内で、前記第３のサブフレームのための第２のアップリンクリソースを示す第２のＤＣＩを伝送するステップと、
前記第３のサブフレーム内の複数のリソースブロックを介して、直近で伝送された第１のＤＣＩまたは第２のＤＣＩのパラメータに従って、１つまたはそれを上回るトランスポートブロックを受信するステップと
を含む、方法。
【請求項１５６】
前記第３のサブフレームは、前記第１のサブフレームおよび前記第２のサブフレームの後にある、請求項１５５に記載の方法。
【請求項１５７】
前記第１のＤＣＩはさらに、
前記複数のリソースブロックの割当、または
伝送電力制御コマンド
のうちの少なくとも１つを備える、請求項１５５に記載の方法。
【請求項１５８】
基地局であって、
１つまたはそれを上回るプロセッサと、
命令を記憶するメモリであって、前記命令は、前記１つまたはそれを上回るプロセッサによって実行されると、前記基地局に、
認可支援アクセス（ＬＡＡ）セルの構成パラメータを備える１つまたはそれを上回る無線リソース制御（ＲＲＣ）メッセージを伝送することと、
前記ＬＡＡセルのための第１のアップリンクリソースを示す第１のダウンリンク制御情報（ＤＣＩ）を伝送することであって、前記第１のＤＣＩは、
第３のサブフレームを備える１つまたはそれを上回る連続アップリンクサブフレームの数に関するものであり、
前記１つまたはそれを上回る連続アップリンクサブフレームの前記数を備える、
ことと、
前記第１のサブフレームと異なる第２のサブフレーム内で、前記第３のサブフレームのための第２のアップリンクリソースを示す第２のＤＣＩを伝送することと、
前記第３のサブフレーム内の複数のリソースブロックを介して、直近で伝送された第１のＤＣＩまたは第２のＤＣＩのパラメータに従って、１つまたはそれを上回るトランスポートブロックを受信することと
を行わせる、メモリと
を備える、基地局。
【請求項１５９】
方法であって、
第１のサブフレーム内で、認可支援アクセス（ＬＡＡ）セルのための第１のアップリンクリソースを示す第１のダウンリンク制御情報（ＤＣＩ）を受信するステップであって、前記第１のＤＣＩは、
第３のサブフレームを備える１つまたはそれを上回る連続アップリンクサブフレームの数に関するものであり、
前記１つまたはそれを上回る連続アップリンクサブフレームの前記数を備える、
ステップと、
前記第１のサブフレームと異なる第２のサブフレーム内で、前記第３のサブフレームの第２のアップリンクリソースを示す第２のＤＣＩを受信するステップと、
前記第３のサブフレーム内の複数のリソースブロックを介して、直近で受信された第１のＤＣＩまたは第２のＤＣＩのパラメータに従って、１つまたはそれを上回るトランスポートブロックを伝送するステップと
を含む、方法。
【請求項１６０】
方法であって、
第１のサブフレーム内で、認可支援アクセス（ＬＡＡ）セルのための第１のアップリンクリソースを示す第１のダウンリンク制御情報（ＤＣＩ）を伝送するステップであって、前記第１のＤＣＩは、
第３のサブフレームを備える１つまたはそれを上回る連続アップリンクサブフレームの数に関するものであり、
前記１つまたはそれを上回る連続アップリンクサブフレームの前記数を備える、
ステップと、
前記第１のサブフレームと異なる第２のサブフレーム内で、前記第３のサブフレームの第２のアップリンクリソースを示す第２のＤＣＩを伝送するステップと、
前記第３のサブフレーム内の複数のリソースブロックを介して、直近で伝送された第１のＤＣＩまたは第２のＤＣＩのパラメータに従って、１つまたはそれを上回るトランスポートブロックを受信するステップと
を含む、方法。
【請求項１６１】
第１のサブフレーム内で無線デバイスによって、第３のサブフレームを備える１つまたはそれを上回るサブフレーム内の第１のアップリンクリソースを示す第１のダウンリンク制御情報（ＤＣＩ）を受信するステップと、
前記第１のサブフレームと異なる第２のサブフレーム内で、前記第３のサブフレームの第２のアップリンクリソースを示す第２のＤＣＩを受信するステップと、
前記第３のサブフレーム内で、直近で受信された第１のＤＣＩまたは第２のＤＣＩのパラメータに従って、トランスポートブロックを伝送するステップと
を含む、方法。
【請求項１６２】
前記第３のサブフレームは、前記第１のサブフレームおよび前記第２のサブフレームの後にある、請求項１６１に記載の方法。
【請求項１６３】
前記第１のＤＣＩはさらに、
前記複数のリソースブロックの割当、または
伝送電力制御コマンド
のうちの少なくとも１つを備える、請求項１６１に記載の方法。
【請求項１６４】
前記第１のＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、請求項１６１に記載の方法。
【請求項１６５】
チャネルが前記１つまたはそれを上回る連続アップリンクサブフレームのうちの開始サブフレームのためにクリアであることを示すトーク前リッスンプロシージャを実施するステップをさらに含む、請求項１６１に記載の方法。
【請求項１６６】
前記１つまたはそれを上回るトランスポートブロックは、非同期ＨＡＲＱプロセスと関連付けられる、請求項１６１に記載の方法。
【請求項１６７】
前記１つまたはそれを上回る連続アップリンクサブフレームの前記数は、前記無線デバイスによってサポートされるＨＡＲＱプロセスの数未満である、請求項１６１に記載の方法。
【請求項１６８】
前記第２のＤＣＩは、
ハイブリッド自動反復要求（ＨＡＲＱ）識別子、
冗長性バージョン（ＲＶ）、または
新規データインジケータ
のうちの少なくとも１つを備える、請求項１６１に記載の方法。
【請求項１６９】
方法であって、
第１のサブフレーム内で基地局によって、第３のサブフレームを備える１つまたはそれを上回るサブフレーム内の第１のアップリンクリソースを示す第１のダウンリンク制御情報（ＤＣＩ）を伝送するステップと、
前記第１のサブフレームと異なる第２のサブフレーム内で、前記第３のサブフレームの第２のアップリンクリソースを示す第２のＤＣＩを伝送するステップと、
前記第３のサブフレーム内で、直近で伝送された第１のＤＣＩまたは第２のＤＣＩのパラメータに従って、トランスポートブロックを受信するステップと
を含む、方法。
【請求項１７０】
前記第３のサブフレームは、前記第１のサブフレームおよび前記第２のサブフレームの後にある、請求項１６９に記載の方法。
【請求項１７１】
前記第１のＤＣＩはさらに、
前記複数のリソースブロックの割当、または
伝送電力制御コマンド
のうちの少なくとも１つを備える、請求項１６９に記載の方法。
【請求項１７２】
前記第１のＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、請求項１６９に記載の方法。
【請求項１７３】
前記１つまたはそれを上回るトランスポートブロックは、非同期ＨＡＲＱプロセスと関連付けられる、請求項１６９に記載の方法。
【請求項１７４】
前記１つまたはそれを上回る連続アップリンクサブフレームの前記数は、前記無線デバイスによってサポートされるＨＡＲＱプロセスの数未満である、請求項１６９に記載の方法。
【請求項１７５】
前記第２のＤＣＩは、
ハイブリッド自動反復要求（ＨＡＲＱ）識別子、
冗長性バージョン（ＲＶ）、または
新規データインジケータ
のうちの少なくとも１つを備える、請求項１６９に記載の方法。
【請求項１７６】
無線デバイスであって、
１つまたはそれを上回るプロセッサと、
命令を記憶するメモリであって、前記命令は、前記１つまたはそれを上回るプロセッサによって実行されると、前記無線デバイスに、
第１のサブフレーム内で、第３のサブフレームを備える１つまたはそれを上回るサブフレーム内の第１のアップリンクリソースを示す第１のダウンリンク制御情報（ＤＣＩ）を受信することと、
前記第１のサブフレームと異なる第２のサブフレーム内で、前記第３のサブフレームの第２のアップリンクリソースを示す第２のＤＣＩを受信することと、
前記第３のサブフレーム内で、直近で受信された第１のＤＣＩまたは第２のＤＣＩのパラメータに従って、トランスポートブロックを伝送することと
を行わせる、メモリと
を備える、無線デバイス。
【請求項１７７】
前記第３のサブフレームは、前記第１のサブフレームおよび前記第２のサブフレームの後にある、請求項１７６に記載の無線デバイス。
【請求項１７８】
前記第１のＤＣＩはさらに、
前記複数のリソースブロックの割当、または
伝送電力制御コマンド
のうちの少なくとも１つを備える、請求項１７６に記載の無線デバイス。
【請求項１７９】
前記第１のＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、請求項１７６に記載の無線デバイス。
【請求項１８０】
前記１つまたはそれを上回るトランスポートブロックは、非同期ＨＡＲＱプロセスと関連付けられる、請求項１７６に記載の無線デバイス。
【請求項１８１】
前記１つまたはそれを上回る連続アップリンクサブフレームの前記数は、前記無線デバイスによってサポートされるＨＡＲＱプロセスの数未満である、請求項１７６に記載の無線デバイス。
【請求項１８２】
前記第２のＤＣＩは、
ハイブリッド自動反復要求（ＨＡＲＱ）識別子、
冗長性バージョン（ＲＶ）、または
新規データインジケータ
のうちの少なくとも１つを備える、請求項１７６に記載の無線デバイス。
【請求項１８３】
基地局であって、
１つまたはそれを上回るプロセッサと、
命令を記憶するメモリであって、前記命令は、前記１つまたはそれを上回るプロセッサによって実行されると、前記基地局に、
第１のサブフレーム内で、第３のサブフレームを備える１つまたはそれを上回るサブフレーム内の第１のアップリンクリソースを示す第１のダウンリンク制御情報（ＤＣＩ）を伝送することと、
前記第１のサブフレームと異なる第２のサブフレーム内で、前記第３のサブフレームの第２のアップリンクリソースを示す第２のＤＣＩを伝送することと、
前記第３のサブフレーム内で、直近で伝送された第１のＤＣＩまたは第２のＤＣＩのパラメータに従って、トランスポートブロックを受信することと
を行わせる、メモリと
を備える、基地局。
【請求項１８４】
前記第３のサブフレームは、前記第１のサブフレームおよび前記第２のサブフレームの後にある、請求項１８３に記載の基地局。
【請求項１８５】
前記第１のＤＣＩはさらに、
前記複数のリソースブロックの割当、または
伝送電力制御コマンド
のうちの少なくとも１つを備える、請求項１８３に記載の基地局。
【請求項１８６】
前記第１のＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、請求項１８３に記載の基地局。
【請求項１８７】
前記１つまたはそれを上回るトランスポートブロックは、非同期ＨＡＲＱプロセスと関連付けられる、請求項１８３に記載の基地局。
【請求項１８８】
前記１つまたはそれを上回る連続アップリンクサブフレームの前記数は、前記無線デバイスによってサポートされるＨＡＲＱプロセスの数未満である、請求項１８３に記載の基地局。
【請求項１８９】
前記第２のＤＣＩは、
ハイブリッド自動反復要求（ＨＡＲＱ）識別子、
冗長性バージョン（ＲＶ）、または
新規データインジケータ
のうちの少なくとも１つを備える、請求項１８３に記載の基地局。
【発明の詳細な説明】
【背景技術】
【０００１】
（関連出願の相互参照）
本願は、２０１６年２月３日に出願された米国仮出願第６２／２９０，７３８号の利益を主張するものであり、該米国仮出願は、その全体が参照により本明細書中に援用される。
【発明の概要】
【課題を解決するための手段】
【０００２】
本発明の例示的実施形態は、種々の物理層変調および伝送機構を使用して実装されてもよい。例示的伝送機構は、ＣＤＭＡ、ＯＦＤＭ、ＴＤＭＡ、ウェーブレット技術、および／または同等物を含んでもよいが、それらに限定されない。ＴＤＭＡ／ＣＤＭＡおよびＯＦＤＭ／ＣＤＭＡ等のハイブリッド伝送機構もまた、採用されてもよい。種々の変調スキームが、物理層内の信号伝送のために適用されてもよい。変調スキームの実施例は、位相、振幅、コード、これらの組み合わせ、および／または同等物を含んでもよいが、それらに限定されない。例示的無線伝送方法は、ＢＰＳＫ、ＱＰＳＫ、１６−ＱＡＭ、６４−ＱＡＭ、２５６−ＱＡＭ、および／または同等物を使用して、ＱＡＭを実装し得る。物理無線伝送は、伝送要件および無線条件に応じて、変調およびコーディングスキームを動的または半動的に変化させることによって強化され得る。
【図面の簡単な説明】
【０００３】
本開示の種々の実施形態のうちのいくつかの実施例が、図面を参照して本明細書に説明される。
【０００４】
【図１】図１は、本開示の実施形態のある側面による、ＯＦＤＭ副搬送波の例示的セットを描写する、略図である。
【０００５】
【図２】図２は、本開示の実施形態のある側面による、搬送波グループ内の２つの搬送波に関する例示的伝送時間および受信時間を描写する、略図である。
【図３】図３は、本開示の実施形態のある側面による、ＯＦＤＭ無線リソースを描写する、例示的略図である。
【図４】図４は、本開示の実施形態のある側面による、基地局および無線デバイスの例示的ブロック図である。
【図５】図５Ａ、図５Ｂ、図５Ｃ、および図５Ｄは、本開示の実施形態のある側面による、アップリンクおよびダウンリンク信号伝送に関する例示的略図である。
【図６】図６は、本開示の実施形態のある側面による、ＣＡおよびＤＣを用いたプロトコル構造に関する例示的略図である。
【図７】図７は、本開示の実施形態のある側面による、ＣＡおよびＤＣを用いたプロトコル構造に関する例示的略図である。
【図８】図８は、本開示の実施形態のある側面による、例示的ＴＡＧ構成を示す。
【図９】図９は、本開示の実施形態のある側面による、二次ＴＡＧ内のランダムアクセスプロセスにおける例示的メッセージフローである。
【図１０】図１０は、本開示の実施形態のある側面による、ダウンリンクバーストを描写する、例示的略図である。
【図１１】図１１は、本開示の実施形態のある側面による、複数のセルを描写する、例示的略図である。
【図１２】図１２は、本開示の実施形態のある側面による、複数のセルを描写する、例示的略図である。
【図１３】図１３Ａおよび図１３Ｂは、本開示の実施形態のある側面による、複数のセルを描写する、例示的略図である。
【図１４】図１４は、本開示の実施形態のある側面による、複数のセルを描写する、例示的略図である。
【図１５】図１５は、本開示の実施形態のある側面による、例示的ＤＣＩフィールドを描写する、例示的略図である。
【図１６】図１６は、本開示の実施形態のある側面を図示する、例示的フロー図である。
【図１７】図１７は、本開示の実施形態のある側面を図示する、例示的フロー図である。
【図１８】図１８は、本開示の実施形態のある側面を図示する、例示的フロー図である。
【図１９】図１９は、本開示の実施形態のある側面を図示する、例示的フロー図である。
【図２０】図２０は、本開示の実施形態のある側面を図示する、例示的フロー図である。
【図２１】図２１は、本開示の実施形態のある側面を図示する、例示的フロー図である。
【図２２】図２２は、本開示の実施形態のある側面を図示する、例示的フロー図である。
【図２３】図２３は、本開示の実施形態のある側面を図示する、例示的フロー図である。
【図２４】図２４は、本開示の実施形態のある側面を図示する、例示的フロー図である。
【図２５】図２５は、本開示の実施形態のある側面を図示する、例示的フロー図である。
【図２６】図２６は、本開示の実施形態のある側面を図示する、例示的フロー図である。
【図２７】図２７は、本開示の実施形態のある側面を図示する、例示的フロー図である。
【図２８】図２８は、本開示の実施形態のある側面を図示する、例示的フロー図である。
【図２９】図２９は、本開示の実施形態のある側面を図示する、例示的フロー図である。
【図３０】図３０は、本開示の実施形態のある側面を図示する、例示的フロー図である。
【発明を実施するための形態】
【０００６】
本発明の例示的実施形態は、搬送波アグリゲーションの動作をイネーブルにする。本明細書に開示される技術の実施形態は、マルチ搬送波通信システムの技術分野において採用され得る。
【０００７】
以下の略語は、本開示の全体を通して使用される。
ＡＳＩＣ  特定用途向け集積回路
ＢＰＳＫ  二位相偏移変調
ＣＡ  搬送波アグリゲーション
ＣＳＩ  チャネル状態情報
ＣＤＭＡ  符号分割多重アクセス
ＣＳＳ  共通検索空間
ＣＰＬＤ  複合プログラマブル論理デバイス
ＣＣ  コンポーネント搬送波
ＤＬ  ダウンリンク
ＤＣＩ  ダウンリンク制御情報
ＤＣ  デュアルコネクティビティ
ＥＰＣ  進化型パケットコア
Ｅ−ＵＴＲＡＮ  進化型ユニバーサル地上無線アクセスネットワーク
ＦＰＧＡ  フィールドプログラマブルゲートアレイ
ＦＤＤ  周波数分割多重化
ＨＤＬ  ハードウェア記述言語
ＨＡＲＱ  ハイブリッド自動反復要求
ＩＥ  情報要素
ＬＡＡ  認可支援アクセス
ＬＴＥ  ロングタームエボリューション
ＭＣＧ  マスタセルグループ
ＭｅＮＢ  マスタ進化型ノードＢ
ＭＩＢ  マスタ情報ブロック
ＭＡＣ  媒体アクセス制御
ＭＡＣ  媒体アクセス制御
ＭＭＥ  モビリティ管理エンティティ
ＮＡＳ  非アクセス層
ＯＦＤＭ  直交周波数分割多重化
ＰＤＣＰ  パケットデータ収束プロトコル
ＰＤＵ  パケットデータユニット
ＰＨＹ  物理
ＰＤＣＣＨ  物理ダウンリンク制御チャネル
ＰＨＩＣＨ  物理ＨＡＲＱインジケータチャネル
ＰＵＣＣＨ  物理アップリンク制御チャネル
ＰＵＳＣＨ  物理アップリンク共有チャネル
Ｐセル  一次セル
Ｐセル  一次セル
ＰＣＣ  一次コンポーネント搬送波
ＰＳセル  一次二次セル
ｐＴＡＧ  一次タイミングアドバンスグループ
ＱＡＭ  直交振幅変調
ＱＰＳＫ  直交位相偏移変調
ＲＢＧ  リソースブロックグループ
ＲＬＣ  無線リンク制御
ＲＲＣ  無線リソース制御
ＲＡ  ランダムアクセス
ＲＢ  リソースブロック
ＳＣＣ  二次コンポーネント搬送波
Ｓセル  二次セル
Ｓセル  二次セル
ＳＣＧ  二次セルグループ
ＳｅＮＢ  二次進化型ノードＢ
ｓＴＡＧ  二次タイミングアドバンスグループ
ＳＤＵ  サービスデータユニット
Ｓ−ＧＷ  サービングゲートウェイ
ＳＲＢ  シグナリング無線ベアラ
ＳＣ−ＯＦＤＭ  単一搬送波ＯＦＤＭ
ＳＦＮ  システムフレーム数
ＳＩＢ  システム情報ブロック
ＴＡＩ  追跡エリア識別子
ＴＡＴ  時間整合タイマ
ＴＤＤ  時分割複信
ＴＤＭＡ  時分割多重アクセス
ＴＡ  タイミングアドバンス
ＴＡＧ  タイミングアドバンスグループ
ＴＢ  トランスポートブロック
ＵＬ  アップリンク
ＵＥ  ユーザ機器
ＶＨＤＬ  ＶＨＳＩＣハードウェア記述言語
【０００８】
図１は、本開示の実施形態のある側面による、ＯＦＤＭ副搬送波の例示的セットを描写する、略図である。本実施例に図示されるように、略図内の矢印は、マルチ搬送波ＯＦＤＭシステム内の副搬送波を描写し得る。ＯＦＤＭシステムは、ＯＦＤＭ技術、ＤＦＴＳ−ＯＦＤＭ、ＳＣ−ＯＦＤＭ技術、または同等物等の技術を使用してもよい。例えば、矢印１０１は、副搬送波伝送情報シンボルを示す。図１は、例証目的のためのものであって、典型的マルチ搬送波ＯＦＤＭシステムは、搬送波内により多くの副搬送波を含んでもよい。例えば、搬送波内の副搬送波の数は、１０〜１０，０００副搬送波の範囲内であってもよい。図１は、伝送バンド内の２つのガードバンド１０６および１０７を示す。図１に図示されるように、ガードバンド１０６は、副搬送波１０３と副搬送波１０４との間にある。副搬送波Ａ１０２の例示的セットは、副搬送波１０３と、副搬送波１０４とを含む。図１はまた、副搬送波Ｂ１０５の例示的セットも図示する。図示されるように、副搬送波Ｂ１０５の例示的セット内には、任意の２つの副搬送波の間にガードバンドが存在しない。マルチ搬送波ＯＦＤＭ通信システム内の搬送波は、連続的搬送波、非連続的搬送波、または連続的および非連続的搬送波両方の組み合わせであってもよい。
【０００９】
図２は、本開示の実施形態のある側面による、２つの搬送波に関する例示的伝送時間および受信時間を描写する、略図である。マルチ搬送波ＯＦＤＭ通信システムは、例えば、１〜１０搬送波に及ぶ、１つまたはそれを上回る搬送波を含んでもよい。搬送波Ａ２０４および搬送波Ｂ２０５は、同一または異なるタイミング構造を有してもよい。図２は、２つの同期された搬送波を示すが、搬送波Ａ２０４および搬送波Ｂ２０５は、相互に同期される場合もあり、そうではない場合もある。異なる無線フレーム構造が、ＦＤＤおよびＴＤＤ複信機構のためにサポートされてもよい。図２は、例示的ＦＤＤフレームタイミングを示す。ダウンリンクおよびアップリンク伝送は、無線フレーム２０１の中に編成されてもよい。本実施例では、無線フレーム持続時間は、１０ミリ秒である。他のフレーム持続時間、例えば、１〜１００ミリ秒の範囲内もまた、サポートされてもよい。本実施例では、各１０ミリ秒無線フレーム２０１は、１０等のサイズのサブフレーム２０２に分割されてもよい。０．５ミリ秒、１ミリ秒、２ミリ秒、および５ミリ秒等の他のサブフレーム持続時間もまた、サポートされてもよい。サブフレームは、２つまたはそれを上回るスロット（例えば、スロット２０６および２０７）から成ってもよい。ＦＤＤの実施例に関して、各１０ミリ秒間隔において、１０のサブフレームが、ダウンリンク伝送のために利用可能であり得、１０のサブフレームが、アップリンク伝送のために利用可能であり得る。アップリンクおよびダウンリンク伝送は、周波数ドメイン内で分離されてもよい。スロットは、複数のＯＦＤＭシンボル２０３を含んでもよい。スロット２０６内のＯＦＤＭシンボル２０３の数は、サイクリックプレフィックス長および副搬送波間隔に依存し得る。
【００１０】
図３は、本開示の実施形態のある側面による、ＯＦＤＭ無線リソースを描写する、略図である。時間３０４および周波数３０５内のリソースグリッド構造が、図３に図示されている。ダウンリンク副搬送波またはＲＢの数量（本実施例では、６〜１００ＲＢ）は、少なくとも部分的に、セル内で構成されたダウンリンク伝送帯域幅３０６に依存し得る。最小無線リソースユニットは、リソース要素（例えば、３０１）と呼ばれ得る。リソース要素は、リソースブロック（例えば、３０２）にグループ化されてもよい。リソースブロックは、リソースブロックグループ（ＲＢＧ）（例えば、３０３）と呼ばれる、より大きい無線リソースにグループ化されてもよい。スロット２０６内の伝送された信号は、複数の副搬送波および複数のＯＦＤＭシンボルの１つまたはいくつかのリソースグリッドによって記述され得る。リソースブロックは、リソース要素へのある物理チャネルのマッピングを記述するために使用されてもよい。物理リソース要素の他の事前に定義されたグループ化も、無線技術に応じて、システム内で実装されてもよい。例えば、２４の副搬送波が、５ミリ秒の持続時間にわたって無線ブロックとしてグループ化されてもよい。例証的実施例では、リソースブロックは、時間ドメイン内の１つのスロットおよび周波数ドメイン内の１８０ｋＨｚに対応し得る（１５ＫＨｚ副搬送波帯域幅および１２の副搬送波に関して）。
【００１１】
図５Ａ、図５Ｂ、図５Ｃ、および図５Ｄは、本開示の実施形態のある側面による、アップリンクおよびダウンリンク信号伝送のための例示的略図である。図５Ａは、例示的アップリンク物理チャネルを示す。物理アップリンク共有チャネルを表すベースバンド信号は、以下のプロセスを実施し得る。これらの機能は、実施例として図示され、種々の実施形態では、他の機構が実装されてもよいことが予期される。機能は、スクランブリング、複素数値シンボルを生成するためのスクランブリングされたビットの変調、１つまたはいくつかの伝送層上への複素数値変調シンボルのマッピング、複素数値シンボルを生成するための変換プリコーディング、複素数値シンボルのプリコーディング、リソース要素へのプリコーディングされた複素数値シンボルのマッピング、アンテナポート毎の複素数値時間ドメインＤＦＴＳ−ＯＦＤＭ／ＳＣ−ＦＤＭＡ信号の生成、および／または同等物を含んでもよい。
【００１２】
アンテナポート毎の複素数値ＤＦＴＳ−ＯＦＤＭ／ＳＣ−ＦＤＭＡベースバンド信号および／または複素数値ＰＲＡＣＨベースバンド信号の搬送波周波数への例示的変調および上方変換が、図５Ｂに示されている。フィルタリングが、伝送に先立って採用されてもよい。
【００１３】
ダウンリンク伝送のための例示的構造が、図５Ｃに示されている。ダウンリンク物理チャネルを表すベースバンド信号は、以下のプロセスを実施し得る。これらの機能は、実施例として図示され、種々の実施形態では、他の機構が実装されてもよいことが予期される。機能は、物理チャネル上で伝送されるべきコードワードのそれぞれ内のコード化されたビットのスクランブリング、複素数値変調シンボルを生成するためのスクランブリングされたビットの変調、１つまたはいくつかの伝送層上への複素数値変調シンボルのマッピング、アンテナポート上での伝送のための各層上での複素数値変調シンボルのプリコーディング、リソース要素へのアンテナポート毎の複素数値変調シンボルのマッピング、アンテナポート毎の複素数値時間ドメインＯＦＤＭ信号の生成、および／または同等物を含む。
【００１４】
アンテナポート毎の複素数値ＯＦＤＭベースバンド信号の搬送波周波数への例示的変調および上方変換が、図５Ｄに示されている。フィルタリングが、伝送に先立って採用されてもよい。
【００１５】
図４は、本開示の実施形態のある側面による、基地局４０１および無線デバイス４０６の例示的ブロック図である。通信ネットワーク４００は、少なくとも１つの基地局４０１と、少なくとも１つの無線デバイス４０６とを含んでもよい。基地局４０１は、少なくとも１つの通信インターフェース４０２と、少なくとも１つのプロセッサ４０３と、非一過性のメモリ４０４の中に記憶され、少なくとも１つのプロセッサ４０３によって実行可能である、プログラムコード命令４０５の少なくとも１つのセットとを含んでもよい。
無線デバイス４０６は、少なくとも１つの通信インターフェース４０７と、少なくとも１つのプロセッサ４０８と、非一過性のメモリ４０９の中に記憶され、少なくとも１つのプロセッサ４０８によって実行可能である、プログラムコード命令４１０の少なくとも１つのセットとを含んでもよい。基地局４０１内の通信インターフェース４０２は、少なくとも１つの無線リンク４１１を含む通信経路を介して、無線デバイス４０６内の通信インターフェース４０７との通信に従事するように構成されてもよい。無線リンク４１１は、双方向リンクであってもよい。無線デバイス４０６内の通信インターフェース４０７はまた、基地局４０１内の通信インターフェース４０２との通信に従事するように構成されてもよい。基地局４０１および無線デバイス４０６は、複数の周波数搬送波を使用して、無線リンク４１１を経由してデータを送受信するように構成されてもよい。実施形態の側面によると、送受信機が採用されてもよい。送受信機は、送信機および受信機を両方とも含むデバイスである。送受信機は、無線デバイス、基地局、中継ノード、および／または同等物等のデバイス内で採用されてもよい。通信インターフェース４０２、４０７および無線リンク４１１内で実装される無線技術のための例示的実施形態は、図１、図２、図３、図５、および関連付けられた文書に図示されている。
【００１６】
インターフェースは、ハードウェアインターフェース、ファームウェアインターフェース、ソフトウェアインターフェース、および／またはそれらの組み合わせであってもよい。ハードウェアインターフェースは、コネクタ、ワイヤ、ドライバ等の電子デバイス、増幅器、および／または同等物を含んでもよい。ソフトウェアインターフェースは、プロトコル、プロトコル層、通信ドライバ、デバイスドライバ、それらの組み合わせ、および／または同等物を実装するようにメモリデバイスの中に記憶される、コードを含んでもよい。ファームウェアインターフェースは、埋設されるハードウェアと、接続、電子デバイス動作、プロトコル、プロトコル層、通信ドライバ、デバイスドライバ、ハードウェア動作、それらの組み合わせ、および／または同等物を実装するようにメモリデバイスの中に記憶され、および／またはそれと通信する、コードとの組み合わせを含んでもよい。
【００１７】
用語「構成される」は、デバイスが動作または非動作状態にあるかどうかにかかわらず、デバイスの能力に関し得る。「構成される」はまた、デバイスが動作または非動作状態にあるかどうかにかかわらず、デバイスの動作特性をもたらす、デバイス内の具体的設定を指し得る。換言すると、ハードウェア、ソフトウェア、ファームウェア、レジスタ、メモリ値、および／または同等物は、デバイスが動作または非動作状態にあるかどうかにかかわらず、デバイスに具体的特性を提供するようにデバイス内で「構成」され得る。「デバイス内で生じさせるための制御メッセージ」等の用語は、制御メッセージが、デバイスが動作または非動作状態にあるかどうかにかかわらず、デバイス内の具体的特性を構成するために使用され得る、パラメータを有することを意味し得る。
【００１８】
実施形態の種々の側面によると、ユーザプレーンＰＤＣＰ／ＲＬＣ／ＭＡＣ／ＰＨＹおよび制御プレーン（ＲＲＣ）プロトコル終端を無線デバイスに向かって提供する、ＬＴＥネットワークは、多数の基地局を含んでもよい。基地局は、他の基地局と相互接続されてもよい（例えば、Ｘ２インターフェースを採用して相互接続される）。基地局はまた、例えば、ＥＰＣへのＳ１インターフェースを採用して接続されてもよい。例えば、基地局は、Ｓ１−ＭＭＥインターフェースを採用してＭＭＥに、Ｓ１−Ｕインターフェースを採用してＳ−Ｇに相互接続されてもよい。Ｓ１インターフェースは、ＭＭＥ／サービングゲートウェイと基地局との間の多対多関係をサポートしてもよい。基地局は、多くのセクタ、例えば、１、２、３、４、または６つのセクタを含んでもよい。基地局は、多くのセル、例えば、１〜５０に及ぶ、またはそれを上回るセルを含んでもよい。セルは、例えば、一次セルまたは二次セルとしてカテゴリ化されてもよい。ＲＲＣ接続確立／再確立／ハンドオーバでは、１つのサービングセルが、ＮＡＳ（非アクセス層）モビリティ情報（例えば、ＴＡＩ）を提供してもよく、ＲＲＣ接続再確立／ハンドオーバでは、１つのサービングセルが、セキュリティ入力を提供してもよい。本セルは、一次セル（Ｐセル）と称され得る。ダウンリンクでは、Ｐセルに対応する搬送波は、ダウンリンク一次コンポーネント搬送波（ＤＬ  ＰＣＣ）であり得る一方で、アップリンクでは、Ｐセルに対応する搬送波は、アップリンク一次コンポーネント搬送波（ＵＬ  ＰＣＣ）であり得る。無線デバイス能力に応じて、二次セル（Ｓセル）が、Ｐセルとともにサービングセルのセットを形成するように構成されてもよい。ダウンリンクでは、Ｓセルに対応する搬送波は、ダウンリンク二次コンポーネント搬送波（ＤＬ  ＳＣＣ）であり得る一方で、アップリンクでは、これは、アップリンク二次コンポーネント搬送波（ＵＬ  ＳＣＣ）であり得る。Ｓセルは、アップリンク搬送波を有する場合もあり、有していない場合もある。
【００１９】
ダウンリンク搬送波と、随意に、アップリンク搬送波とを含む、セルは、物理セルＩＤおよびセルインデックスを割り当てられてもよい。搬送波（ダウンリンクまたはアップリンク）は、１つのみのセルに属してもよい。セルＩＤまたはセルインデックスはまた、（それが使用される状況に応じて）セルのダウンリンク搬送波またはアップリンク搬送波を識別してもよい。本明細書では、セルＩＤは、同等に搬送波ＩＤと称され得、セルインデックスは、搬送波インデックスと称され得る。実装では、物理セルＩＤまたはセルインデックスは、セルに割り当てられてもよい。セルＩＤは、ダウンリンク搬送波上で伝送される同期信号を使用して、判定されてもよい。セルインデックスは、ＲＲＣメッセージを使用して、判定されてもよい。例えば、本明細書が、第１のダウンリンク搬送波に関する第１の物理セルＩＤを指すとき、本明細書は、第１の物理セルＩＤが第１のダウンリンク搬送波を含むセルに関するものであることを意味し得る。同一概念は、例えば、搬送波アクティブ化にも適用され得る。本明細書が、第１の搬送波がアクティブ化されることを示すとき、本明細書は、第１の搬送波を含むセルがアクティブ化されることも意味し得る。
【００２０】
実施形態は、必要に応じて動作するように構成されてもよい。開示される機構は、ある基準が、例えば、無線デバイス、基地局、無線環境、ネットワーク、上記の組み合わせ、および／または同等物内で満たされるときに実施されてもよい。例示的基準は、少なくとも部分的に、例えば、トラフィック負荷、初期システム設定、パケットサイズ、トラフィック特性、上記の組み合わせ、および／または同等物に基づいてもよい。１つまたはそれを上回る基準が満たされるとき、種々の例示的実施形態が適用されてもよい。したがって、開示されるプロトコルを選択的に実装する例示的実施形態を実装することが可能であり得る。
【００２１】
基地局は、無線デバイスの混合と通信してもよい。無線デバイスは、複数の技術および／または同一技術の複数のリリースをサポートしてもよい。無線デバイスは、その無線デバイスカテゴリおよび／または能力に応じて、いくつかの具体的能力を有してもよい。基地局は、複数のセクタを備えてもよい。本開示が、複数の無線デバイスと通信する基地局を指すとき、本開示は、カバレッジエリア内の総無線デバイスのサブセットを指し得る。本開示は、例えば、所与の能力を伴い、基地局の所与のセクタ内にある、所与のＬＴＥリリースの複数の無線デバイスを指し得る。本開示における複数の無線デバイスは、選択された複数の無線デバイス、および／または開示される方法に従って機能する、カバレッジエリア内の総無線デバイスのサブセット、および／または同等物を指し得る。カバレッジエリア内には、例えば、それらの無線デバイスがＬＴＥ技術のより古いリリースに基づいて機能するため、開示される方法に準拠し得ない、複数の無線デバイスが存在し得る。
【００２２】
図６および図７は、本開示の実施形態のある側面による、ＣＡおよびＤＣを用いたプロトコル構造に関する例示的略図である。Ｅ−ＵＴＲＡＮは、デュアルコネクティビティ（ＤＣ）動作をサポートしてもよく、それによって、ＲＲＣ＿ＣＯＮＮＥＣＴＥＤ内の複数のＲＸ／ＴＸ  ＵＥは、Ｘ２インターフェースを経由して非理想的バックホールを介して接続される２つのｅＮＢ内に位置する２つのスケジューラによって提供される、無線リソースを利用するように構成されてもよい。あるＵＥのためのＤＣに関与するｅＮＢは、２つの異なる役割を成してもよい。すなわち、ｅＮＢは、ＭｅＮＢまたはＳｅＮＢのいずれかとして作用し得る。ＤＣでは、ＵＥは、１つのＭｅＮＢおよび１つのＳｅＮＢに接続されてもよい。ＤＣで実装される機構は、２つを上回るｅＮＢを網羅するように拡張されてもよい。図７は、マスタセルグループ（ＭＣＧ）および二次セルグループ（ＳＣＧ）が構成されるときのＵＥ側ＭＡＣエンティティのための一例示的構造を図示し、これは、実装を制限し得ない。媒体ブロードキャストマルチキャストサービス（ＭＢＭＳ）受信は、簡単にするために本図には示されていない。
【００２３】
ＤＣでは、特定のベアラが使用する、無線プロトコルアーキテクチャは、ベアラが設定される方法に依存し得る。３つの代替物、すなわち、図６に示されるようなＭＣＧベアラ、ＳＣＧベアラ、および分割ベアラが、存在し得る。ＲＲＣは、ＭｅＮＢ内に位置してもよく、ＳＲＢは、ＭＣＧベアラタイプとして構成されてもよく、ＭｅＮＢの無線リソースを使用してもよい。ＤＣはまた、ＳｅＮＢによって提供される無線リソースを使用するように構成される、少なくとも１つのベアラを有するものとして説明され得る。ＤＣは、本開示の例示的実施形態において、構成／実装される場合もあり、されない場合もある。
【００２４】
ＤＣの場合、ＵＥは、２つのＭＡＣエンティティ、すなわち、ＭｅＮＢのための１つのＭＡＣエンティティおよびＳｅＮＢのための１つのＭＡＣエンティティを用いて構成されてもよい。ＤＣでは、ＵＥのためのサービングセルの構成されたセットは、２つのサブセット、すなわち、ＭｅＮＢのサービングセルを含有するマスタセルグループ（ＭＣＧ）と、ＳｅＮＢのサービングセルを含有する二次セルグループ（ＳＣＧ）とを備えてもよい。ＳＣＧに関して、以下のうちの１つまたはそれを上回るものが当てはまり得る。ＳＣＧ内の少なくとも１つのセルは、構成されたＵＬ  ＣＣを有してもよく、ＰＳセルと称される（またはＳＣＧのＰセルまたは時としてＰセルとも呼ばれる）、それらのうちの１つは、ＰＵＣＣＨリソースを用いて構成されてもよい。ＳＣＧが構成されるとき、少なくとも１つのＳＣＧベアラまたは１つの分割ベアラが、存在し得る。ＰＳセル上の物理層問題またはランダムアクセス問題の検出に応じて、またはＳＣＧと関連付けられたＲＬＣ再伝送の最大数に達すると、またはＳＣＧ追加またはＳＣＧ変更の間のＰＳセル上のアクセス問題の検出に応じて、ＲＲＣ接続再確立プロシージャは、トリガされない場合があり、ＳＣＧのセルに向かうＵＬ伝送は、停止され得、ＭｅＮＢは、ＵＥによってＳＣＧ障害タイプを知らされ得る。分割ベアラに関して、ＭｅＮＢを経由したＤＬデータ転送が維持されてもよい。ＲＬＣ  ＡＭベアラは、分割ベアラのために構成されてもよい。Ｐセルのように、ＰＳセルは、非アクティブ化されない場合がある。ＰＳセルは、ＳＣＧ変更に伴って（例えば、セキュリティキー変更およびＲＡＣＨプロシージャに伴って）変更され得る、および／または分割ベアラとＳＣＧベアラとの間の直接ベアラタイプ変更も、ＳＣＧおよび分割ベアラの同時構成も、サポートされ得ない。
【００２５】
ＭｅＮＢとＳｅＮＢとの間の相互作用に関して、以下の原理のうちの１つまたはそれを上回るものが、当てはまり得る。ＭｅＮＢは、ＵＥのＲＲＭ測定構成を維持してもよく、（例えば、受信された測定報告またはトラフィック条件またはベアラタイプに基づいて）ＵＥのための付加的リソース（サービングセル）を提供するようにＳｅＮＢに求めることを決定してもよい。ＭｅＮＢからの要求の受信に応じて、ＳｅＮＢは、ＵＥのための付加的サービングセルの構成をもたらし得る、コンテナを作成してもよい（またはそうするために利用可能なリソースを有していないことを決定する）。ＵＥ能力協調に関して、ＭｅＮＢは、ＡＳ構成およびＵＥ能力（の一部）をＳｅＮＢに提供してもよい。ＭｅＮＢおよびＳｅＮＢは、Ｘ２メッセージ内で搬送されるＲＲＣコンテナ（ノード間メッセージ）を採用することによって、ＵＥ構成についての情報を交換してもよい。ＳｅＮＢは、その既存のサービングセル（例えば、ＳｅＮＢに向かうＰＵＣＣＨ）の再構成を開始してもよい。ＳｅＮＢは、いずれのセルがＳＣＧ内のＰＳセルであるかを決定してもよい。ＭｅＮＢは、ＳｅＮＢによって提供されるＲＲＣ構成のコンテンツを変更しなくてもよい。ＳＣＧ追加およびＳＣＧ  Ｓセル追加の場合、ＭｅＮＢは、ＳＣＧセルのための最新測定結果を提供してもよい。ＭｅＮＢおよびＳｅＮＢは両方とも、ＳＦＮおよびＯＡＭによる相互のサブフレームオフセットを把握してもよい（例えば、測定ギャップのＤＲＸ整合および識別の目的のために）。実施例では、新しいＳＣＧ  Ｓセルを追加するとき、専用ＲＲＣシグナリングが、ＳＣＧのＰＳセルのＭＩＢから取得されたＳＦＮを除き、ＣＡに関するセルの要求されるシステム情報を送信するために使用されてもよい。
【００２６】
実施例では、サービングセルは、ＴＡグループ（ＴＡＧ）内でグループ化されてもよい。１つのＴＡＧ内のサービングセルは、同一タイミング基準を使用してもよい。所与のＴＡＧに関して、ユーザ機器（ＵＥ）は、タイミング基準として、１つのダウンリンク搬送波を使用してもよい。所与のＴＡＧに関して、ＵＥは、同一ＴＡＧに属するアップリンク搬送波のアップリンクサブフレームおよびフレーム伝送タイミングを同期させてもよい。実施例では、同一ＴＡが適用されるアップリンクを有する、サービングセルは、同一受信機によってホストされるサービングセルに対応し得る。複数のＴＡをサポートするＵＥは、２つまたはそれを上回るＴＡグループをサポートしてもよい。１つのＴＡグループは、Ｐセルを含有してもよく、一次ＴＡＧ（ｐＴＡＧ）と呼ばれ得る。複数のＴＡＧ構成では、少なくとも１つのＴＡグループは、Ｐセルを含有しなくてもよく、二次ＴＡＧ（ｓＴＡＧ）と呼ばれ得る。実施例では、同一ＴＡグループ内の搬送波は、同一ＴＡ値および／または同一タイミング基準を使用してもよい。ＤＣが構成されるとき、セルグループ（ＭＣＧまたはＳＣＧ）に属するセルは、ｐＴＡＧおよび１つまたはそれを上回るｓＴＡＧを含む、複数のＴＡＧにグループ化されてもよい。
【００２７】
図８は、本開示の実施形態のある側面による、例示的ＴＡＧ構成を示す。実施例１では、ｐＴＡＧは、Ｐセルを含み、ｓＴＡＧは、Ｓセル１を含む。実施例２では、ｐＴＡＧは、ＰセルおよびＳセル１を含み、ｓＴＡＧは、Ｓセル２およびＳセル３を含む。実施例３では、ｐＴＡＧは、ＰセルおよびＳセル１を含み、ｓＴＡＧ１は、Ｓセル２およびＳセル３を含み、ｓＴＡＧ２は、Ｓセル４を含む。最大４つのＴＡＧが、セルグループ（ＭＣＧまたはＳＣＧ）内でサポートされてもよく、他の例示的ＴＡＧ構成もまた、提供されてもよい。本開示における種々の実施例では、例示的機構は、ｐＴＡＧおよびｓＴＡＧに関して説明される。例示的機構のうちのいくつかが、複数のｓＴＡＧを伴う構成に適用されてもよい。
【００２８】
実施例では、ｅＮＢは、アクティブ化されたＳセルのためのＰＤＣＣＨ順序を介してＲＡプロシージャを開始してもよい。本ＰＤＣＣＨ順序は、本Ｓセルのスケジューリングセル上で送信されてもよい。クロス搬送波スケジューリングが、セルのために構成されるとき、スケジューリングセルは、プリアンブル伝送のために採用されるセルと異なり得、ＰＤＣＣＨ順序は、Ｓセルインデックスを含んでもよい。少なくとも非競合ベースのＲＡプロシージャが、ｓＴＡＧに割り当てられるＳセルのためにサポートされてもよい。
【００２９】
図９は、本開示の実施形態のある側面による、二次ＴＡＧ内のランダムアクセスプロセスにおける例示的メッセージフローである。ｅＮＢは、アクティブ化コマンド６００を伝送し、Ｓセルをアクティブ化する。プリアンブル６０２（Ｍｓｇ１）が、ｓＴＡＧに属するＳセル上のＰＤＣＣＨ順序６０１に応答して、ＵＥによって送信されてもよい。例示的実施形態では、Ｓセルに関するプリアンブル伝送は、ＰＤＣＣＨフォーマット１Ａを使用して、ネットワークによって制御されてもよい。Ｓセル上のプリアンブル伝送に応答したＭｓｇ２メッセージ６０３（ＲＡＲ：ランダムアクセス応答）は、Ｐセル共通検索空間（ＣＳＳ）内のＲＡ−ＲＮＴＩにアドレス指定されてもよい。アップリンクパケット６０４は、プリアンブルが伝送されたＳセル上で伝送されてもよい。
【００３０】
ある実施形態によると、初期タイミング整合は、ランダムアクセスプロシージャを通して達成されてもよい。これは、ＵＥがランダムアクセスプリアンブルを伝送し、ｅＮＢがランダムアクセス応答ウィンドウ内で初期ＴＡコマンドＮＴＡ（タイミングアドバンスの量）に応答することを伴い得る。ランダムアクセスプリアンブルの開始は、ＮＴＡ＝０を仮定するＵＥでは、対応するアップリンクサブフレームの開始と整合され得る。ｅＮＢは、ＵＥによって伝送されるランダムアクセスプリアンブルからアップリンクタイミングを推定してもよい。ＴＡコマンドは、所望のＵＬタイミングと実際のＵＬタイミングとの間の差異の推定に基づいて、ｅＮＢによって導出されてもよい。ＵＥは、プリアンブルが伝送されるｓＴＡＧの対応するダウンリンクに対して初期アップリンク伝送タイミングを判定してもよい。
【００３１】
ＴＡＧへのサービングセルのマッピングは、サービングｅＮＢによって、ＲＲＣシグナリングを用いて構成されてもよい。ＴＡＧ構成および再構成のための機構は、ＲＲＣシグナリングに基づいてもよい。実施形態の種々の側面によると、ｅＮＢがＳセル追加構成を実施するとき、関連ＴＡＧ構成が、Ｓセルのために構成されてもよい。例示的実施形態では、ｅＮＢは、Ｓセルを除去（解放）し、更新されたＴＡＧ  ＩＤを伴う新しいＳセルを（同一物理セルＩＤおよび周波数を伴って）追加（構成）することによって、ＳセルのＴＡＧ構成を修正してもよい。更新されたＴＡＧ  ＩＤを伴う新しいＳセルは、最初に、更新されたＴＡＧ  ＩＤが割り当てられた後に非アクティブであり得る。ｅＮＢは、更新された新しいＳセルをアクティブ化し、アクティブ化されたＳセル上でスケジューリングパケットを始動させてもよい。例示的実装では、Ｓセルと関連付けられたＴＡＧを変更することは可能ではない場合があり、むしろ、Ｓセルは、除去される必要があり得、新しいＳセルが、別のＴＡＧを伴って追加される必要があり得る。例えば、ＳセルをｓＴＡＧからｐＴＡＧに移動させる必要がある場合、少なくとも１つのＲＲＣメッセージ（例えば、少なくとも１つのＲＲＣ再構成メッセージ）が、Ｓセルを解放し、次いで、ＳセルをｐＴＡＧの一部として構成することによって、ＴＡＧ構成を再構成するように、ＵＥに送信されてもよい。Ｓセルが、ＴＡＧインデックスを伴わずに追加／構成されるとき、Ｓセルは、ｐＴＡＧに明示的に割り当てられてもよい。Ｐセルは、そのＴＡグループを変更しなくてもよく、ｐＴＡＧのメンバであってもよい。
【００３２】
ＲＲＣ接続再構成プロシージャの目的は、ＲＲＣ接続を修正する（例えば、ＲＢを確立、修正、および／または解放する、ハンドオーバを実施する、測定を設定、修正、および／または解放する、Ｓセルを追加、修正、および／または解放する）ことであり得る。受信されたＲＲＣ接続再構成メッセージがｓＣｅｌｌＴｏＲｅｌｅａｓｅＬｉｓｔを含む場合、ＵＥは、Ｓセル解放を行ってもよい。受信されたＲＲＣ接続再構成メッセージがｓＣｅｌｌＴｏＡｄｄＭｏｄＬｉｓｔを含む場合、ＵＥは、Ｓセル追加または修正を実施してもよい。
【００３３】
ＬＴＥリリース−１０およびリリース−１１ＣＡでは、ＰＵＣＣＨは、Ｐセル（ＰＳセル）上でｅＮＢに伝送されるのみであってもよい。ＬＴＥ−リリース１２およびそれ以前では、ＵＥは、ＰＵＣＣＨ情報を１つのセル（ＰセルまたはＰＳセル）上で所与のｅＮＢに伝送してもよい。
【００３４】
ＣＡ対応ＵＥの数、また、アグリゲーションされた搬送波の数が増加するにつれて、ＰＵＣＣＨの数、また、ＰＵＣＣＨペイロードサイズも、増加し得る。Ｐセル上のＰＵＣＣＨ伝送に適応することは、Ｐセル上の高ＰＵＣＣＨ負荷につながり得る。Ｓセル上のＰＵＣＣＨは、ＰＵＣＣＨリソースをＰセルからオフロードするために導入されてもよい。１つを上回るＰＵＣＣＨ、例えば、Ｐセル上のＰＵＣＣＨおよびＳセル上の別のＰＵＣＣＨが、構成されてもよい。例示的実施形態では、１つ、２つ、またはそれを上回るセルが、ＣＳＩ／ＡＣＫ／ＮＡＣＫを基地局に伝送するために、ＰＵＣＣＨリソースを用いて構成されてもよい。セルは、複数のＰＵＣＣＨグループにグループ化されてもよく、グループ内の１つまたはそれを上回るセルが、ＰＵＣＣＨを用いて構成されてもよい。例示的構成では、１つのＳセルが、１つのＰＵＣＣＨグループに属してもよい。構成されたＰＵＣＣＨが基地局に伝送される、Ｓセルは、ＰＵＣＣＨ  Ｓセルと呼ばれ得、共通ＰＵＣＣＨリソースが同一基地局に伝送される、セルグループは、ＰＵＣＣＨグループと呼ばれ得る。
【００３５】
例示的実施形態では、ＭＡＣエンティティは、ＴＡＧにつき構成可能なタイマｔｉｍｅＡｌｉｇｈｎｍｅｎｔＴｉｍｅｒを有してもよい。ｔｉｍｅＡｌｉｇｈｎｍｅｎｔＴｉｍｅｒは、ＭＡＣエンティティがアップリンク時間整合されるべき関連付けられたＴＡＧに属するサービングセルを考慮する時間の長さを制御するために使用されてもよい。ＭＡＣエンティティは、タイミングアドバンスコマンドＭＡＣ制御要素が受信されるときに、示されるＴＡＧのためのタイミングアドバンスコマンドを適用し、示されるＴＡＧと関連付けられたｔｉｍｅＡｌｉｇｈｎｍｅｎｔＴＩｍｅｒを始動または再始動させてもよい。ＭＡＣエンティティは、タイミングアドバンスコマンドが、ＴＡＧに属するサービングセルのためのランダムアクセス応答メッセージ内で受信されるとき、および／またはランダムアクセスプリアンブルが、ＭＡＣエンティティによって選択されなかった場合、本ＴＡＧのためのタイミングアドバンスコマンドを適用し、本ＴＡＧと関連付けられたｔｉｍｅＡｌｉｇｈｎｍｅｎｔＴｉｍｅｒを始動または再始動させてもよい。そうでなければ、本ＴＡＧと関連付けられたｔｉｍｅＡｌｉｇｈｎｍｅｎｔＴｉｍｅｒが起動していない場合、本ＴＡＧのためのタイミングアドバンスコマンドが適用されてもよく、本ＴＡＧと関連付けられたｔｉｍｅＡｌｉｇｈｎｍｅｎｔＴｉｍｅｒが始動されてもよい。競合解決が成功ではないと見なされるとき、本ＴＡＧと関連付けられたｔｉｍｅＡｌｉｇｈｎｍｅｎｔＴｉｍｅｒは、停止されてもよい。そうでなければ、ＭＡＣエンティティは、受信されたタイミングアドバンスコマンドを無視してもよい。
【００３６】
例示的実施形態では、タイマは、いったん始動されると、停止されるまで、または満了するまで起動している。そうでなければ、これは、起動していない場合がある。タイマは、起動していない場合に始動される、または起動している場合に再始動されることができる。例えば、タイマは、その初期値から始動または再始動されてもよい。
【００３７】
本開示の例示的実施形態は、マルチ搬送波通信の動作をイネーブルにしてもよい。他の例示的実施形態は、マルチ搬送波通信の動作を生じさせるように１つまたはそれを上回るプロセッサによって実行可能な命令を備える、非一過性の有形コンピュータ可読媒体を備えてもよい。さらに他の例示的実施形態は、プログラマブルハードウェアがデバイス（例えば、無線通信機、ＵＥ、基地局等）にマルチ搬送波通信の動作をイネーブルにさせることを可能にするためのその上にエンコードされた命令を有する、非一過性の有形コンピュータ可読機械アクセス可能媒体を備える、製造品を備えてもよい。デバイスは、プロセッサ、メモリ、インターフェース、および／または同等物を含んでもよい。他の例示的実施形態は、基地局、無線デバイス（またはユーザ機器：ＵＥ）、サーバ、スイッチ、アンテナ、および／または同等物等のデバイスを備える、通信ネットワークを備えてもよい。
【００３８】
セルラーネットワークを経由して搬送されるデータトラフィックの量は、この先何年も増加することが予期される。ユーザ／デバイスの数は、増加しており、各ユーザ／デバイスは、ますます多くの種々のサービス、例えば、ビデオ配信、大型ファイル、画像にアクセスする。これは、ネットワーク内の高容量を要求するだけではなく、双方向性および応答性への顧客の期待を満たすように、非常に高いデータレートもプロビジョニングし得る。より多くのスペクトルが、したがって、セルラーオペレータが増加する需要を満たすために必要とされ得る。シームレスなモビリティとともに高データレートのユーザ期待を考慮すると、より多くのスペクトルが、セルラーシステムのためのマクロセルおよび小型セルを展開するために利用可能にされることが有益であり得る。
【００３９】
市場の需要を満たそうと努めて、トラフィック増大を満たすために無認可スペクトルを利用して、ある補完的アクセスを展開することにオペレータからの関心が増大してきた。これは、多数のオペレータ展開型Ｗｉ−ＦｉネットワークおよびＬＴＥ／ＷＬＡＮインターワーキングソリューションの３ＧＰＰ標準化によって例示される。本関心は、無認可スペクトルが、存在するとき、セルラーオペレータがホットスポットエリア等のいくつかのシナリオでトラフィック激増に対処することに役立つための認可スペクトルの効果的な補完であり得ることを示す。ＬＡＡは、１つの無線ネットワークを管理し、したがって、ネットワークの効率を最適化するための新しい可能性を提供しながら、オペレータが無認可スペクトルを利用するための代替物を提供してもよい。
【００４０】
例示的実施形態では、トーク前リッスン（クリアチャネル査定）が、ＬＡＡセル内の伝送のために実装されてもよい。トーク前リッスン（ＬＢＴ）プロシージャでは、機器は、チャネルを使用する前に、クリアチャネル査定（ＣＣＡ）チェックを適用してもよい。例えば、ＣＣＡは、チャネルが、それぞれ、占有されているか、またはクリアであるかどうかを判定するために、チャネル上の信号の存在または非存在を判定するように、少なくともエネルギー検出を利用してもよい。例えば、欧州および日本の規制は、無認可帯域内のＬＢＴの使用を義務付ける。規制要件は別として、ＬＢＴを介した搬送波感知は、無認可スペクトルの公平な共有のための１つの方法であり得る。
【００４１】
例示的実施形態では、限定された最大伝送持続時間を伴う無認可搬送波上の不連続伝送が、イネーブルにされてもよい。これらの機能のうちのいくつかは、不連続ＬＡＡダウンリンク伝送の開始から伝送される１つまたはそれを上回る信号によってサポートされてもよい。チャネル確保は、ある閾値を上回るエネルギーを伴う伝送された信号を受信する他のノードが、占有されるチャネルを感知するように、成功したＬＢＴ動作を介してチャネルアクセスを獲得した後に、ＬＡＡノードによる信号の伝送によって、イネーブルにされてもよい。不連続ダウンリンク伝送を伴うＬＡＡ動作のための１つまたはそれを上回る信号によってサポートされる必要があり得る機能は、以下のうちの１つまたはそれを上回るもの、すなわち、ＵＥによる（セル識別を含む）ＬＡＡダウンリンク伝送の検出、ＵＥの時間および波数同期化、および／または同等物を含んでもよい。
【００４２】
例示的実施形態では、ＤＬＬ  ＡＡ設計は、ＣＡによってアグリゲーションされるサービングセルを横断するＬＴＥ−Ａ搬送波アグリゲーションタイミング関係に従って、サブフレーム境界整合を採用してもよい。これは、ｅＮＢ伝送がサブフレーム境界のみから開始し得ることを含意しない場合がある。ＬＡＡは、ＬＢＴに従って、全てのＯＦＤＭシンボルがサブフレーム内の伝送のために利用可能であるわけではないときに、ＰＤＳＣＨを伝送することをサポートしてもよい。ＰＤＳＣＨのための必要な制御情報の配信もまた、サポートされてもよい。
【００４３】
ＬＢＴプロシージャは、無認可スペクトルで動作する他のオペレータおよび技術とのＬＡＡの公平かつ友好的な共存のために採用されてもよい。無認可スペクトル内の搬送波上で伝送しようとするノード上のＬＢＴプロシージャは、クリアチャネル査定を実施し、チャネルが使用のために空いているかどうかを判定するようにノードに要求し得る。ＬＢＴプロシージャは、チャネルが使用されているかどうかを判定するように、少なくともエネルギー検出を伴ってもよい。例えば、いくつかの地域内、例えば、欧州内の規制要件は、ノードがエネルギー検出閾値を上回るエネルギーを受容する場合に、チャネルが空いていないことをノードが仮定するように、本閾値を規定し得る。ノードは、そのような規制要件に従ってもよいが、ノードは、随意に、規制要件によって規定されるものよりも低いエネルギー検出の閾値を使用してもよい。実施例では、ＬＡＡは、エネルギー検出閾値を適応的に変化させる機構を採用してもよい。例えば、ＬＡＡは、上限からエネルギー検出閾値を適応的に下げる機構を採用してもよい。適応機構は、閾値の静的または半静的設定を不可能にしなくてもよい。実施例では、カテゴリ４ＬＢＴ機構または他のタイプのＬＢＴ機構が、実装されてもよい。
【００４４】
種々の例示的ＬＢＴ機構が、実装されてもよい。実施例では、いくつかの信号に関して、いくつかの実装シナリオでは、いくつかの状況では、および／またはいくつかの周波数では、ＬＢＴプロシージャが伝送エンティティによって実施されなくてもよい。実施例では、カテゴリ２（例えば、ランダムバックオフがないＬＢＴ）が、実装されてもよい。伝送エンティティが伝送する前にチャネルがアイドルであると感知される持続時間は、決定論的であり得る。実施例では、カテゴリ３（例えば、固定サイズのコンテンションウィンドウを伴うランダムバックオフを用いたＬＢＴ）が、実装されてもよい。ＬＢＴプロシージャは、そのコンポーネントのうちの１つとして、以下のプロシージャを有してもよい。伝送エンティティは、コンテンションウィンドウ内で乱数Ｎを選び出してもよい。コンテンションウィンドウのサイズは、Ｎの最小および最大値によって規定されてもよい。コンテンションウィンドウのサイズは、固定されてもよい。乱数Ｎは、伝送エンティティがチャネル上で伝送する前にチャネルがアイドルであると感知される持続時間を判定するために、ＬＢＴプロシージャで採用されてもよい。実施例では、カテゴリ４（例えば、可変サイズのコンテンションウィンドウを伴うランダムバックオフを用いたＬＢＴ）が、実装されてもよい。伝送エンティティは、コンテンションウィンドウ内で乱数Ｎを選び出してもよい。コンテンションウィンドウのサイズは、Ｎの最小および最大値によって規定されてもよい。伝送エンティティは、乱数Ｎを選び出すときに、コンテンションウィンドウのサイズを変動させてもよい。乱数Ｎは、伝送エンティティがチャネル上で伝送する前にチャネルがアイドルであると感知される持続時間を判定するために、ＬＢＴプロシージャで採用されてもよい。
【００４５】
ＬＡＡは、ＵＥにおいてアップリンクＬＢＴを採用してもよい。ＵＬ  ＬＢＴスキームは、ＬＡＡ  ＵＬが、ＵＥのチャネルコンテンション機会に影響を及ぼすスケジュールされたアクセスに基づくため、（例えば、異なるＬＢＴ機構またはパラメータを使用することによって）ＤＬ  ＬＢＴスキームと異なり得る。異なるＵＬ  ＬＢＴスキームの動機付けをする他の考慮事項は、単一のサブフレーム内の複数のＵＥの多重化を含むが、それに限定されない。
【００４６】
実施例では、ＤＬ伝送バーストは、同一ＣＣ上の同一ノードから直前または直後に伝送がない、ＤＬ伝送ノードからの連続伝送であってもよい。ＵＥの観点からのＵＬ伝送バーストは、同一ＣＣ上の同一ＵＥから直前または直後に伝送がない、ＵＥからの連続伝送であってもよい。実施例では、ＵＬ伝送バーストは、ＵＥの観点から定義されてもよい。実施例では、ＵＬ伝送バーストは、ｅＮＢの観点から定義されてもよい。実施例では、同一無認可搬送波を経由してＤＬ＋ＵＬ  ＬＡＡを動作させるｅＮＢの場合、ＬＡＡ上のＤＬ伝送バーストおよびＵＬ伝送バーストは、同一無認可搬送波を経由してＴＤＭ様式でスケジュールされてもよい。例えば、時間の瞬間が、ＤＬ伝送バーストまたはＵＬ伝送バーストの一部であってもよい。
【００４７】
例示的実施形態では、無認可セルの中で、ダウンリンクバーストが、サブフレームの中で開始されてもよい。ｅＮＢがチャネルにアクセスするとき、ｅＮＢは、１つまたはそれを上回るサブフレームの持続時間にわたって伝送してもよい。持続時間は、ｅＮＢ内の最大構成バースト持続時間、伝送に利用可能なデータ、および／またはｅＮＢスケジューリングアルゴリズムに依存し得る。図１０は、無認可（例えば、認可支援アクセス）セル内の例示的ダウンリンクバーストを示す。例示的実施形態における最大構成バースト持続時間は、ｅＮＢ内で構成されてもよい。ｅＮＢは、ＲＲＣ構成メッセージを採用して、最大構成バースト持続時間をＵＥに伝送してもよい。
【００４８】
無線デバイスは、基地局から、複数のセルの構成パラメータを備える少なくとも１つのメッセージ（例えば、ＲＲＣ）を受信してもよい。複数のセルは、少なくとも１つの認可セルと、少なくとも１つの無認可セル（例えば、ＬＡＡセル）とを備えてもよい。セルの構成パラメータは、例えば、物理チャネル（例えば、ｅＰＤＣＣＨ、ＰＤＳＣＨ、ＰＵＳＣＨ、ＰＵＣＣＨ、および／または同等物）の構成パラメータを備えてもよい。
【００４９】
フレーム構造タイプ３は、無認可（例えば、ＬＡＡ）二次セル動作に適用可能であり得る。実施例では、フレーム構造タイプ３は、通常のサイクリックプレフィックスのみを伴って実装されてもよい。無線フレームは、長さがＴｆ＝３０７２００・Ｔｓ＝１０ミリ秒であってもよく、０〜１９と番号付けられる、長さＴｓｌｏｔ＝１５３６０・Ｔｓ＝０．５ミリ秒の２０個のスロットを備えてもよい。サブフレームは、サブフレームｉがスロット２ｉおよび２ｉ＋１から成る、２つの連続スロットとして画定されてもよい。実施例では、無線フレーム内の１０個のサブフレームが、ダウンリンクおよび／またはアップリンク伝送のために利用可能であり得る。ダウンリンク伝送は、サブフレーム内のいずれかの場所で始まり、完全に占有されるか、または３ＧＰＰフレーム構造２（ＴＤＤフレーム）内でＤｗＰＴＳ持続時間のうちの１つに続くかのいずれかである、最後のサブフレームで終わる、１つまたはそれを上回る連続サブフレームを占有してもよい。ＬＡＡセルがアップリンク伝送のために構成されるとき、フレーム構造３が、アップリンクまたはダウンリンク伝送の両方に使用されてもよい。
【００５０】
ｅＮＢは、１つまたはそれを上回るＲＲＣメッセージを無線デバイス（ＵＥ）に伝送してもよい。１つまたはそれを上回るＲＲＣメッセージは、１つまたはそれを上回る認可セルおよび／または１つまたはそれを上回る無認可（例えば、認可支援アクセス−ＬＡＡ）セルを備える、複数のセルの構成パラメータを備えてもよい。１つまたはそれを上回るＲＲＣメッセージは、１つまたはそれを上回る無認可（例えば、ＬＡＡ）セルの構成パラメータを備えてもよい。ＬＡＡセルは、ダウンリンクおよび／またはアップリンク伝送のために構成されてもよい。
【００５１】
実施例では、構成パラメータは、ＬＡＡセルに関してＮの値を有する、第１の構成フィールドを備えてもよい。パラメータＮは、ＲＲＣ構成可能であり得る。Ｎは、セル特有またはＵＥ特有ＲＲＣパラメータであってもよい。例えば、Ｎ（例えば、６、８、１６）は、ＵＬ伝送のために構成され得る、ＨＡＲＱプロセスの最大数を示してもよい。実施例では、ＲＲＣメッセージは、マルチサブフレームＤＣＩのＲＮＴＩパラメータを備えてもよい。実施例では、１つまたはそれを上回るＲＲＣメッセージは、マルチサブフレーム配分パラメータの構成パラメータ、アップリンクにおけるＨＡＲＱプロセスの最大数、および／またはＬＡＡセルと関連付けられる他のパラメータを備えてもよい。
【００５２】
実施例では、ＵＥは、アップリンク伝送のためのアップリンクリソース（アップリンク許可のためのリソースブロック）を示す、ダウンリンク制御情報（ＤＣＩ）を受信してもよい。
【００５３】
例示的実施形態では、持続的（バーストまたはマルチサブフレームとも呼ばれる）スケジューリングが実装されてもよい。ｅＮＢは、セルフスケジューリングおよび／またはクロススケジューリングによってアップリンク伝送をスケジュールしてもよい。実施例では、ｅＮＢは、マルチサブフレーム許可のためのＤＣＩを伝送するために、ＵＥ  Ｃ−ＲＮＴＩを使用してもよい。ＵＥは、１つを上回る連続アップリンクサブフレーム（バースト）、例えば、ｍ個のサブフレームのためのアップリンクリソース（アップリンク許可のためのリソースブロック）を示す、マルチサブフレームＤＣＩを受信してもよい。実施例では、ＵＥは、ＤＣＩ許可に応答して、ｍ個のサブパケット（トランスポートブロック−ＴＢ）を伝送してもよい。図１１は、例示的マルチサブフレーム許可、ＬＢＴプロセス、およびマルチサブフレーム伝送を示す。
【００５４】
例示的実施形態では、アップリンクＤＣＩは、アップリンクＲＢ、電力制御コマンド、ＭＣＳ、連続サブフレームの数（ｍ）、および／またはアップリンク許可の他のパラメータを含む、１つまたはそれを上回るフィールドを備えてもよい。図１５は、マルチサブフレームＤＣＩ許可の例示的フィールドを示す。
【００５５】
実施例では、マルチサブフレームＤＣＩは、ＤＣＩ許可がマルチサブフレーム許可であることを示す、１つまたはそれを上回るパラメータを備えてもよい。マルチサブフレームＤＣＩ内のフィールドは、スケジュールされた連続サブフレームの数（ｍ）を示してもよい。例えば、ＬＡＡセル上のアップリンク許可のためのＤＣＩは、３ビットフィールドを備えてもよい。３ビットフィールドによって示される値は、アップリンクＤＣＩ許可と関連付けられるサブフレームの数を示してもよい（他の実施例は、例えば、１ビットフィールドまたは２ビットフィールドを備えてもよい）。例えば、値０００は、１つのサブフレームに対する動的許可を示してもよい。例えば、フィールド値０１１は、４つのスケジュールされたサブフレーム（ｍ＝２進法でのフィールド値＋１）のためのアップリンクリソースを示す、ＤＣＩを示してもよい。実施例では、ＲＲＣ構成パラメータは、ＬＡＡセルに関してＮの値を有する、第１の構成フィールドを備えてもよい。例示的実装では、フィールド値は、Ｎ未満であるように構成されてもよい。例えば、Ｎは、２として構成されてもよく、マルチサブフレーム許可の中のスケジュールされたサブフレームの最大数は、２であってもよい。実施例では、Ｎは、４として構成されてもよく、マルチサブフレーム許可の中のスケジュールされたサブフレームの最大数は、４であってもよい。実施例では、Ｎは、ＵＬにおける構成されたＨＡＲＱプロセスの数であってもよい。搬送波上の連続サブフレームは、ＵＥがｅＮＢからマルチサブフレームＵＬ  ＤＣＩ許可を受信するときにＵＥに配分されてもよい。
【００５６】
マルチサブフレームＤＣＩの中に含まれる少なくとも１つのフィールドは、１つまたはそれを上回るＴＢの伝送のためにｍ個の連続サブフレームにわたって使用される伝送パラメータおよびリソースブロックを判定してもよい。ＤＣＩは、アップリンク伝送のための複数のリソースブロックの割当を備えてもよい。ＵＥは、ｍ個のサブフレームにわたってＤＣＩの中で示されるＲＢを使用してもよい。同一のリソースブロックが、図１１に示されるようにｍ個のサブフレーム内でＵＥに配分されてもよい。
【００５７】
非同期ＵＬ  ＨＡＲＱが、ＵＬ  ＨＡＲＱ動作に採用されてもよい。アップリンクＤＣＩ許可は、ＨＡＲＱプロセス番号（ＨＡＲＱ  ＩＤ）を備えてもよい。アップリンクＤＣＩはさらに、少なくとも１つの冗長性バージョン（ＲＶ）および／または少なくとも１つの新規データインジケータ（ＮＤＩ）を備えてもよい。少なくとも１つの新しい伝送および／または少なくとも１つの再伝送は、ＬＡＡアップリンクＨＡＲＱ伝送においてＰＤＣＣＨ  ＤＣＩによってスケジュールされてもよい。例示的実施形態は、ＨＡＲＱ  ＩＤを計算するリソースを許可するためのプロセスと、ＨＡＲＱプロセスの１つまたはそれを上回る第１のＴＢの伝送パラメータとを備えてもよい。
【００５８】
ＵＥは、アップリンク信号を伝送する前にトーク前リッスン（ＬＢＴ）を実施してもよい。ＵＥは、チャネルが１つまたはそれを上回る連続アップリンクサブフレームのうちの開始サブフレームのためにクリアであることを示す、ＬＢＴプロシージャを実施してもよい。ＵＥは、ＬＢＴプロシージャが、チャネルが開始サブフレームのためにクリアではないことを示す場合、開始サブフレームにおいて伝送を実施しなくてもよい。
【００５９】
ＴＢ伝送は、ＨＡＲＱプロセスと関連付けられてもよい。複数のＨＡＲＱプロセスは、複数のサブフレーム、例えば、サブフレームｎ、ｎ＋１、ｎ＋２、．．．、ｎ＋ｍ−１内のＴＢ伝送と関連付けられてもよい。
【００６０】
マルチサブフレームＤＣＩ内のフィールドは、アップリンク許可と関連付けられるサブフレームの数（ｍ）を示してもよい。例えば、ＬＡＡセル上のアップリンク許可のためのマルチサブフレームＤＣＩは、３ビットによって示される値が、許可と関連付けられるサブフレームの数（ｍ＝２進法でのフィールド値＋１）を示し得る、３ビットフィールドを備えてもよい。ＤＣＩはさらに、ＨＡＲＤプロセス番号（ＨＡＲＱ  ＩＤ：ｈ）を備えてもよい。実施例では、ＤＣＩ許可の中のＨＡＲＱ  ＩＤが、ＨＡＲＱプロセスＩＤ＝ｈであり、３ビットフィールド（ｍ）が「０００」であることを示すとき、ＤＣＩは、１つのサブフレームおよびＨＡＲＱ  ＩＤ＝ｈに対する動的許可を示してもよい。実施例では、ＨＡＲＱ  ＩＤ＝ｈであり、ｍが「０１１」（ｍ＝４）であるとき、ＤＣＩは、許可が、それぞれ、ＨＡＲＱプロセス（ｈ＋ｌ）  Ｍｏｄ  Ｎ、（ｈ＋２）  Ｍｏｄ  Ｎ、および（ｈ＋３）  Ｍｏｄ  Ｎに関してサブフレームｎ＋１、ｎ＋２、およびｎ＋３にも有効であることを示してもよい。Ｎは、事前構成された数であってもよく、例えば、Ｎ＝８または１６である。Ｍｏｄは、モジュロ関数である。例えば、Ｎは、構成されたＨＡＲＱプロセスの数であってもよい。例えば、ｍ＝４、およびｈ＝３、およびＮ＝１６であるとき、次いで、ＨＡＲＱプロセスＩＤは、マルチサブフレーム許可がサブフレームｎ、ｎ＋１、ｎ＋２、およびｎ＋３と関連付けられる、サブフレームｎ、ｎ＋１、ｎ＋２、およびｎ＋３に関して、それぞれ、３、４、５、および６であってもよい。
【００６１】
図１２は、ｍ＝３およびＨＡＲＱ  ＩＤ＝ｈに関する実施例を示す。サブフレームｎ、ｎ＋１、およびｎ＋２のためのＨＡＲＱ  ＩＤは、ｈ  ｍｏｄ  Ν、（ｈ＋１）  ｍｏｄ  Ν、および（ｈ＋２）  ｍｏｄ  Νであってもよい。例えば、ｈ＝１およびＮ＝８であるとき、次いで、ｈ  ｍｏｄ  Ν＝ｈ＝１、（ｈ＋１）  ｍｏｄ  Ν＝ｈ＋１＝２、および（ｈ＋２）  ｍｏｄ  Ν＝ｈ＋２＝３であってもよい。
【００６２】
ＵＥは、マルチサブフレーム許可をｍ個のＨＡＲＱプロセスに適用してもよい。ＨＡＲＱプロセスＩＤは、Ｎを法としてインクリメントされ、四捨五入されてもよく、すなわち、Νを法とする（ＨＡＲＱ＿ＩＤ＋ｉ）である。マルチサブフレームバースト内の第１のサブフレームｉのための第１のＨＡＲＱ  ＩＤは、第１の事前構成された数を法とする（ＨＡＲＱ  ＩＤ＋ｉ）として計算されてもよい。パラメータｉは、１つまたはそれを上回る連続アップリンクサブフレームの中の第１のサブフレームのサブフレーム位置を示してもよい。パラメータｉは、開始サブフレームに関してゼロの値を有してもよい。パラメータｉは、終了サブフレームに関してマイナス１の数の値（ｍ−１）を有してもよい。実施例では、Ｎは、事前構成された数であってもよい。
【００６３】
ＤＣＩ許可は、少なくとも１つの冗長性バージョン（ＲＶ）と、少なくとも１つの新規データインジケータ（ＮＤＩ）とを備えてもよい。実施例では、マルチサブフレームリソース配分は、１つまたはそれを上回るＨＡＲＱプロセスの第１のＴＢ（例えば、第１の伝送）に対するアップリンク許可に適用可能であり得る。
【００６４】
実施例では、ＬＡＡ  Ｓセルおよび伝送モード１に関して、１６個のアップリンクＨＡＲＱプロセスが存在し得る。ＬＡＡ  Ｓセルおよび伝送モード２に関して、３２個のアップリンクＨＡＲＱプロセスが存在し得る。例示的実施形態では、ＬＡＡ  Ｓセルであるサービングセルに関して、ＵＥは、サブフレームｎで始まるサブフレームに対するマルチサブフレームアップリンクＤＣＩ許可を用いたＰＤＣＣＨ／ＥＰＤＣＣＨの検出に応じて、ＰＤＣＣＨ／ＥＰＤＣＣＨおよびＨＡＲＱプロセスＩＤ  ｍｏｄ（ｎＨＡＲＱ＿ＩＤ＋ｉ，ＮＨＡＲＱ）に従って、ｉ＝０，１，．．．，ｍ−１であるサブフレームｎ＋ｉ内の成功したＬＢＴプロシージャを条件とした、対応するＰＵＳＣＨ伝送を実施してもよい。Ｍｏｄは、モジュロ関数であってもよい。ｍの値は、対応するマルチサブフレーム許可ＤＣＩフォーマットのスケジュールされたサブフレームフィールドの数によって判定されてもよい。ＵＥは、少なくとも１つのＲＲＣメッセージの中のＲＲＣパラメータによって、ｍの最大値を用いて構成されてもよい。ｎＨＡＲＱ＿ＩＤの値は、対応するマルチサブフレームアップリンクＤＣＩフォーマットのＨＡＲＱプロセス番号フィールドによって判定されてもよい。実施例では、ＮＨＡＲＱは、１６であってもよい。
【００６５】
ＨＡＲＱ  ＩＤを計算するための例示的実施形態は、ＤＣＩサイズを縮小し、ダウンリンク制御オーバーヘッドを低減させ得る。複数のサブフレームのための複数のＨＡＲＱ  ＩＤを伝送する代わりに、１つのＨＡＲＱ  ＩＤが、複数のサブフレームのためのＤＣＩの中に含まれてもよい。例示的実施形態は、ＨＡＲＱ  ＩＤが上限を有するときに、マルチサブフレーム許可の中の各サブフレームのためのＨＡＲＱ  ＩＤを計算するための単純かつ効率的な機構を提供する。例示的実施形態は、スペクトル効率を増加させ、ダウンリンク制御オーバーヘッドを低減させ、ＨＡＲＱプロセスに関連するＵＥ処理を単純化し得る。
【００６６】
実施例では、１つまたはそれを上回るＨＡＲＱ再伝送（該当する場合）は、１つまたはそれを上回る再伝送のためのアップリンク許可ＤＣＩを採用して、ｅＮＢによって動的にスケジュールされてもよい。例示的実施形態では、動的スケジューリングが実装されてもよい。ＵＥは、そのサブフレームに対するＵＬ許可を受信する場合に、搬送波上のサブフレーム内で伝送してもよい。
【００６７】
実施例では、ＵＥが、ＬＡＡセル上の事前ＤＣＩ許可（例えば、マルチサブフレームＤＣＩ）の適用可能性中に、１つまたはそれを上回る第１のＴＢの第１の伝送に対する新しいＵＬ  ＤＣＩ許可を受信するとき、新しいＤＣＩ許可は、古いものをオーバーライドしてもよい。実施例が、図１４に示されている。第２のＤＣＩは、サブフレームｎ＋１上のアップリンク伝送のために考慮されてもよく、サブフレームｎ＋１のための第１のＤＣＩをオーバーライドしてもよい。
【００６８】
ＤＣＩ処理の例示的実施形態は、必要とされるときに、ｅＮＢが更新されたＤＣＩを伝送し、前のＤＣＩをオーバーライドすることを可能にし得る。これは、リンクパラメータ、ＨＡＲＱ伝送、およびＬＢＴ成功または失敗に応じて、ｅＮＢおよびＵＥが異なるシナリオで更新されたスケジューリングを調節し、それに適応することを可能にし得る。本プロセスは、ＬＡＡセルに関してスケジューリング効率を向上させるために採用されてもよい。
【００６９】
実施例では、無線デバイスは、第１のサブフレーム内で、ＬＡＡセルのための第１のアップリンクリソースを示す第１のマルチサブフレームＤＣＩを受信してもよい。第１のＤＣＩは、第３のサブフレームを備える、１つまたはそれを上回る連続アップリンクサブフレームの数である。無線デバイスは、第１のサブフレームと異なる第２のサブフレーム内で、第３のサブフレームのための第２のアップリンクリソースを示す第２のＤＣＩを受信してもよい。実施例では、新しい許可が、古い許可をオーバーライドしてもよい。無線デバイスは、第３のサブフレーム内の複数のリソースブロックを介して、直近で受信された第１のＤＣＩまたは第２のＤＣＩのパラメータに従って、１つまたはそれを上回るトランスポートブロックを伝送してもよい。
【００７０】
例示的実施形態では、ＵＬ−ＳＣＨ上で伝送するために、ＭＡＣエンティティは、それが（Ｅ）ＰＤＣＣＨ上またはランダムアクセス応答内で動的に受信し得る、有効アップリンク許可を有してもよい。要求された伝送を実施するために、ＭＡＣ層は、下層からＨＡＲＱ情報を受信してもよい。物理層がアップリンク空間多重化のために構成されるとき、ＭＡＣ層は、下層から同一のＴＴＩに対する最大２つの許可（ＨＡＲＱプロセスにつき１つ）を受信してもよい。
【００７１】
前の伝送の成功または失敗した受信についてのＨＡＲＱフィードバックを待ちながら、伝送が連続的に行われることを可能にする、並行ＨＡＲＱプロセスの数を維持し得る、構成されたアップリンクを用いたサービングセルのためのＭＡＣエンティティに１つのＨＡＲＱエンティティが存在し得る。ＨＡＲＱエンティティあたりの並行ＨＡＲＱプロセスの数は、ＵＥ能力に依存し得、例えば、４、６、８、１６、または３２であってもよい。実施例では、物理層がアップリンク空間多重化のために構成されるとき、所与のＴＴと関連付けられる２つのＨＡＲＱプロセスが存在し得、そうでなければ、所与のＴＴと関連付けられる１つのＨＡＲＱプロセスが存在し得る。
【００７２】
所与のＴＴＩにおいて、アップリンク許可がＴＴＩに対して示される場合、ＨＡＲＱエンティティは、伝送が行われ得るＨＡＲＱプロセスを識別してもよい。ＨＡＲＱエンティティは、物理層によって中継される、受信されたＨＡＲＱフィードバック（ＡＣＫ／ＮＡＣＫ情報）、ＭＣＳおよびリソースを適切なＨＡＲＱプロセスにルーティングしてもよい。
【００７３】
ＨＡＲＱプロセスは、ＨＡＲＱバッファと関連付けられてもよい。ＨＡＲＱプロセスは、現在バッファの中にあるＭＡＣ  ＰＤＵに関して行われた伝送の数を示す、状態変数ＣＵＲＲＥＮＴ＿ＴＸ＿ＮＢと、現在バッファの中にあるＭＡＣ  ＰＤＵに関してＨＡＲＱフィードバックを示す、状態変数ＨＡＲＱ＿ＦＥＥＤＢＡＣＫとを維持してもよい。ＨＡＲＱプロセスが確立されるとき、ＣＵＲＲＥＮＴ＿ＴＸ＿ＮＢは、０に初期化されてもよい。
【００７４】
冗長性バージョンのシーケンスは、０、２、３、および／または１であってもよい。変数ＣＵＲＲＥＮＴ＿ＩＲＶは、冗長性バージョンのシーケンスの中へのインデックスを備えてもよい。例示的実装では、本変数は、４を法として更新されたものであってもよい。
【００７５】
新しい伝送は、リソース上で、（Ｅ）ＰＤＣＣＨまたはランダムアクセス応答上で示されるＭＣＳを用いて実施されてもよい。適応再伝送は、リソース上で、提供された場合、（Ｅ）ＰＤＣＣＨ上で示されるＭＣＳを用いて実施されてもよい。非適応再伝送は、同一のリソース上で、最後に行われた伝送試行に使用されたものと同一のＭＣＳを用いて実施されてもよい。
【００７６】
アップリンクＨＡＲＱ動作は、フレーム構造タイプ３に従って動作するサービングセル（例えば、ＬＡＡセル）に関して非同期であり得る。
【００７７】
非適応ＵＬ  ＨＡＲＱプロセスでは、ＭＡＣエンティティは、ＨＡＲＱ伝送の最大数およびＲＲＣによるＭｓｇ３  ＨＡＲＱ伝送の最大数、すなわち、それぞれ、ｍａｘＨＡＲＱ−ＴｘおよびｍａｘＨＡＲＱ−Ｍｓｇ３Ｔｘを用いて構成されてもよい。Ｍｓｇ３バッファの中に記憶されたＭＡＣ  ＰＤＵの伝送を除く、ＨＡＲＱプロセスおよび論理チャネル上の伝送に関して、伝送の最大数は、ｍａｘＨＡＲＱ−Ｔｘに設定されてもよい。Ｍｓｇ３バッファの中に記憶されたＭＡＣ  ＰＤＵの伝送に関して、伝送の最大数は、ｍａｘＨＡＲＱ−Ｍｓｇ３Ｔｘに設定されてもよい。
【００７８】
例示的実施形態では、ＭＡＣエンティティは、以下のプロセスを実施してもよい。ＴＴＩでは、ＨＡＲＱエンティティは、ＴＴＩと関連付けられるＨＡＲＱプロセスを識別してもよく、識別されたＨＡＲＱプロセスに関して、以下のプロセスを実施してもよい。アップリンク許可がプロセスおよびＴＴＩに関して示された場合、受信された許可が（Ｅ）ＰＤＣＣＨ上の一時Ｃ−ＲＮＴＩにアドレス指定されなかった場合、および関連付けられるＨＡＲＱ情報の中で提供されるＮＤＩがＨＡＲＱプロセスの前の伝送の中の値と比較して切り替えられている場合、またはアップリンク許可がＣ−ＲＮＴＩに関して（Ｅ）ＰＤＣＣＨ上で受信され、識別されたプロセスのＨＡＲＱバッファが空である場合、またはアップリンク許可がランダムアクセス応答の中で受信された場合、ＭＡＣは、以下のアクションを実施してもよい。Ｍｓｇ３バッファの中にＭＡＣ  ＰＤＵが存在し、アップリンク許可がランダムアクセス応答の中で受信された場合、Ｍｓｇ３バッファから伝送するＭＡＣ  ＰＤＵを取得する。さもなければ、「多重化およびアセンブリ」エンティティから伝送するＭＡＣ  ＰＤＵを取得し、ＭＡＣ  ＰＤＵおよびアップリンク許可およびＨＡＲＱ情報を識別されたＨＡＲＱプロセスに配信し、新しい伝送をトリガするように識別されたＨＡＲＱプロセスに命令する。そうでなければ、ＭＡＣは、以下を実施してもよく、すなわち、アップリンク許可およびＨＡＲＱ情報（冗長性バージョン）を識別されたＨＡＲＱプロセスに配信し、適応再伝送を生成するように識別されたＨＡＲＱプロセスに命令する。
【００７９】
アップリンク許可がプロセスおよびＴＴＩについて示されていない場合、本ＨＡＲＱプロセスのＨＡＲＱバッファが空ではない場合に、非適応再伝送を生成するように識別されたＨＡＲＱプロセスに命令する。
【００８０】
ＮＤＩが前の伝送の中の値と比較して切り替えられているかどうかを判定するとき、ＭＡＣエンティティは、その一時Ｃ−ＲＮＴＩに関して（Ｅ）ＰＤＣＣＨ上のアップリンク許可の中で受信されるＮＤＩを無視してもよい。例示的実施形態では、上記のプロセスは、認可セルに関するものであってもよい。
【００８１】
例示的実施形態では、ＨＡＲＱフィードバックが本ＴＢに関して受信されるとき、ＭＡＣエンティティの中のＨＡＲＱプロセスは、ＨＡＲＱ＿ＦＥＥＤＢＡＣＫを受信された値に設定してもよい。
【００８２】
ＨＡＲＱエンティティが新しい伝送を要求する場合、ＨＡＲＱプロセスは、以下を実施してもよく、すなわち、ＣＵＲＲＥＮＴ＿ＴＸ＿ＮＢを０に設定し、ＣＵＲＲＥＮＴ＿ＩＲＶを０に設定し、関連付けられるＨＡＲＱバッファの中にＭＡＣ  ＰＤＵを記憶し、ＨＡＲＱエンティティから受信されるアップリンク許可を記憶し、ＨＡＲＱ＿ＦＥＥＤＢＡＣＫをＮＡＣＫに設定し、および／または以下に説明されるように伝送を生成し、および／またはこれらのタスクの組み合わせを行う。
【００８３】
ＨＡＲＱエンティティが再伝送を要求する場合、ＨＡＲＱプロセスは、ＣＵＲＲＥＮＴ＿ＴＸ＿ＮＢを１だけインクリメントしてもよく、ＨＡＲＱエンティティが適応再伝送を要求する場合、ＨＡＲＱエンティティから受信されるアップリンク許可を記憶し、ＣＵＲＲＥＮＴ＿ＩＲＶをＨＡＲＱ情報の中で提供される冗長性バージョン値に対応するインデックスに設定し、ＨＡＲＱ＿ＦＥＥＤＢＡＣＫをＮＡＣＫに設定し、以下に説明されるように伝送を生成する。さもなければ、ＨＡＲＱエンティティが非適応再伝送を要求する場合、ＨＡＲＱ＿ＦＥＥＤＢＡＣＫ＝ＮＡＣＫである場合に、以下に説明されるように伝送を生成する。
【００８４】
ＨＡＲＱ  ＡＣＫのみを受信するとき、ＭＡＣエンティティは、ＨＡＲＱバッファの中でデータを保持してもよい。ＵＬ−ＳＣＨ伝送が測定ギャップの発生に起因して行われることができないとき、ＨＡＲＱフィードバックが受信されなくてもよく、非適応再伝送が続いてもよい。
【００８５】
伝送を生成するために、ＨＡＲＱプロセスは、以下であってもよい。すなわち、ＭＡＣ  ＰＤＵがＭｓｇ３バッファから取得された場合、または伝送時に測定ギャップがない場合、再伝送の場合に、再伝送は、ＴＴＩにおいてＭｓｇ３バッファから取得されるＭＡＣ  ＰＤＵに関して伝送と衝突せず、ＣＵＲＲＥＮＴ＿ＩＲＶ値に対応する冗長性バージョンを用いて、記憶されたアップリンク許可に従って伝送を生成するように物理層に命令し、ＣＵＲＲＥＮＴ＿ＩＲＶを１だけインクリメントする。本伝送のためのＨＡＲＱフィードバック受信時に測定ギャップがある場合、およびＭＡＣ  ＰＤＵがＭｓｇ３バッファから取得されなかった場合、伝送のためのＨＡＲＱフィードバック受信時にＨＡＲＱ＿ＦＥＥＤＢＡＣＫをＡＣＫに設定する。
【００８６】
上記のアクションを行った後、伝送のＨＡＲＱ最大数が構成されるとき、ＨＡＲＱプロセスは、以下であってもよい。すなわち、ＣＵＲＲＥＮＴ＿ＴＸ＿ＮＢ＝伝送の最大数−１である場合、ＨＡＲＱバッファをフラッシュする。
【００８７】
非同期ＨＡＲＱは、無認可セルのためのＵＬ  ＨＡＲＱに関して実装されてもよい。ｅＮＢにおけるスケジューラは、ＵＬ伝送および再伝送をスケジュールしてもよい。伝送または再伝送は、（Ｅ）ＰＤＣＣＨを介してスケジュールされてもよい。非同期ＨＡＲＱを採用する無認可セルのためのレガシーアップリンク非同期ＨＡＲＱで実装される機構の実装は、多くの問題をもたらし得る。例示的実施形態は、非同期アップリンクＨＡＲＱの実装を増進し得る。
【００８８】
例示的実施形態では、無線デバイスは、認可支援アクセス（ＬＡＡ）セルの構成パラメータを備える、１つまたはそれを上回る無線リソース制御（ＲＲＣ）メッセージを受信してもよい。１つまたはそれを上回るＲＲＣメッセージは、１つまたはそれを上回る連続アップリンクサブフレーム配分構成パラメータを備えてもよい。実施例では、１つまたはそれを上回る連続アップリンクサブフレーム配分構成パラメータは、第１のフィールドＮを備える。
【００８９】
無線デバイスは、ＬＡＡセルの１つまたはそれを上回る連続アップリンクサブフレームの数の中のアップリンクリソースを示す、ダウンリンク制御情報（ＤＣＩ）を受信してもよい。ＤＣＩは、１つまたはそれを上回る連続アップリンクサブフレームの数（ｍ）と、複数のリソースブロックの割当と、伝送電力制御コマンドとを備えてもよい。第１のフィールドは、１つまたはそれを上回る連続アップリンクサブフレームの数の上限を示してもよい。
【００９０】
無線デバイスは、チャネルが１つまたはそれを上回る連続アップリンクサブフレームのうちの開始サブフレームのためにクリアであることを示す、トーク前リッスンプロシージャを実施してもよい。無線デバイスは、１つまたはそれを上回る連続アップリンクサブフレームにわたって使用される複数のリソースブロックを介して、１つまたはそれを上回るトランスポートブロックを伝送してもよい。マルチサブフレームＤＣＩの中に含まれる少なくとも１つのフィールドは、１つまたはそれを上回るＴＢの伝送のためにｍ個の連続サブフレームにわたって使用される伝送パラメータおよびリソースブロックを判定してもよい。ＤＣＩは、アップリンク伝送のための複数のリソースブロックの割当を備えてもよい。ＵＥは、ｍ個のサブフレームにわたってＤＣＩの中で示されるＲＢを使用してもよい。同一のリソースブロックが、ｍ個のサブフレーム内でＵＥに配分されてもよい。
【００９１】
１つまたはそれを上回る連続アップリンクサブフレームのうちの各サブフレーム内の１つまたはそれを上回るトランスポートブロックの伝送電力は、マルチサブフレームＤＣＩで伝送電力制御（ＴＰＣ）コマンドを採用してもよい。１つまたはそれを上回る連続アップリンクサブフレームのうちの各サブフレーム内の１つまたはそれを上回るトランスポートブロックの伝送電力は、各サブフレーム内の全伝送電力が各サブフレーム内の電力値を超えるときに、各サブフレーム内で調節されてもよい。電力値は、無線デバイスの許容最大伝送電力であってもよい。伝送電力の計算は、測定されたパスロス値を採用してもよい。１つまたはそれを上回る連続アップリンクサブフレームのうちの各サブフレーム内の１つまたはそれを上回るトランスポートブロックの伝送電力は、同一の閉ループ調節係数（少なくともマルチサブフレームＤＣＩでＴＰＣを採用して計算される）を採用してもよい。閉ループ調節係数は、伝送電力制御コマンドを採用して計算されてもよい。
【００９２】
例えば、サブフレームｎ−４上でｅＮＢによって送信される、サブフレームｎに対するＵＬ許可は、ＵＥが、ＬＡＡ  Ｓセルのアップリンク上で、信号、例えば、ＰＵＳＣＨ、ＳＲＳ等の伝送のために、ｅＮＢからのそのアップリンク伝送電力を調節するための電力制御コマンドを備えてもよい。ＵＥは、ｅＮＢから受信される電力制御コマンドを考慮して、伝送電力を計算してもよい。ｅＮＢが複数のサブフレームに適用可能なマルチサブフレームＵＬ許可を伝送するときに、強化電力制御機構がアップリンク伝送のために実装されてもよい。
【００９３】
例示的実施形態では、ＵＥは、サブフレームｎから始まる１つまたはそれを上回る連続サブフレームのためのＴＰＣを備える、マルチサブフレームアップリンクＤＣＩ許可を受信してもよい。ＵＥは、ＰＵＳＣＨ／ＳＲＳ電力計算機構で説明されるように、ＴＰＣコマンドおよび他の電力パラメータに基づいて、サブフレームｎのためのアップリンク伝送電力を計算してもよい。これは、マルチサブフレームアップリンク許可と関連付けられるサブフレーム上の伝送のための基準電力と見なされてもよい。ＵＥは、同一の基準電力をマルチサブフレーム許可と関連付けられるサブフレームに印加してもよい。例えば、ＴＰＣコマンドは、サブフレームｉのための閉ループ調節係数（ｆ（ｉ））を計算するために採用されてもよい。同一の閉ループ調節係数が、マルチサブフレームアップリンク許可と関連付けられる１つまたはそれを上回る連続サブフレームの中のサブフレームに採用されてもよい。
【００９４】
実施例では、１つまたはそれを上回る連続サブフレームの中のサブフレームｉに関して、累積がイネーブルにされるとき、かつＴＰＣがマルチサブフレーム許可の中で受信される伝送電力制御である場合、ｆ（ｎ）＝ｆ（ｎ−１）＋ＴＰＣである。ｆ（ｎ）は、サブフレームｎ（１つまたはそれを上回る後続のサブフレームの中の開始サブフレーム）に関して計算されてもよく、１つまたはそれを上回る連続サブフレームの中の全てのサブフレームに適用されてもよい。これは、１つまたはそれを上回る連続サブフレームの中の開始サブフレームに関してｆ（ｎ）＝ｆ（ｎ−１）＋ＴＰＣであり、後続のサブフレームに関してｆ（ｉ）＝ｆ（ｉ−１）であり、ｉ＞ｎであり、サブフレームｉが１つまたはそれを上回る連続サブフレームの中の後続のサブフレームのうちの１つであることを含意する。
【００９５】
実施例では、１つまたはそれを上回る連続サブフレームの中のサブフレームｎに関して、ｆ（ｎ）は、累積がイネーブルにされるとき、かつＴＰＣがマルチサブフレーム許可の中で受信される伝送電力制御を備える場合、ＴＰＣに等しくあり得る。ｆ（ｎ）は、サブフレームｎ（１つまたはそれを上回る後続のサブフレームの中の開始サブフレーム）に関して計算されてもよく、１つまたはそれを上回る連続サブフレームの中の全てのサブフレームに適用されてもよい。これは、１つまたはそれを上回る連続サブフレームの中のサブフレームｉ毎にｆ（ｉ）＝ＴＰＣであることを含意し得る。
【００９６】
マルチサブフレーム許可に関する例示的実施形態は、複数のサブフレームに対するマルチサブフレーム許可の中に１つのＴＰＣフィールドおよび１つのＲＢリソース割当フィールドを含むことによって、ダウンリンク制御オーバーヘッドを低減させ得る。例示的実施形態は、複数のサブフレームに関するリソース割当および電力計算のための柔軟な方法を提供する。例示的実施形態は、リソースブロック割当のためのオーバーヘッド制御シグナリングを低減させ得る。例示的実施形態は、サブフレーム電力計算毎に融通性を維持しながら、ＴＰＣ伝送のためのオーバーヘッド制御シグナリングを低減させる。１つのＴＰＣフィールドがマルチサブフレームＤＣＩ許可の中で伝送されるが、電力計算は、サブフレーム毎に別個に実施されてもよい。無線デバイスは、同一のＴＰＣフィールドを使用しながら、多重サブフレーム許可と関連付けられる（ＬＡＡセルの）異なるサブフレームに関して異なる伝送電力値を有してもよい。複数のサブフレームに関して同一の電力値を計算することは、いくつかのシナリオでアップリンク伝送効率を低減させ得る、不必要な制約を導入し得る。例示的実施形態は、必要とされるときに、サブフレーム毎に別個の伝送電力計算のための柔軟性を提供しながら、ダウンリンク制御オーバーヘッドを低減させ得る。
【００９７】
ＵＥは、サブフレーム内のＵＥの最大許容伝送電力制限に基づいて、必要とされるときにＵＥ信号伝送電力を調節してもよい。例えば、マルチサブフレーム許可がサブフレームｎ、ｎ＋１、およびｎ＋２に適用可能である場合、ＵＥは、ＰＵＳＣＨのアップリンク伝送のための基準電力を計算してもよい。サブフレームｎ、ｎ＋１、およびｎ＋２では、ＵＥは、サブフレーム内の電力制限に応じて、伝送電力を調節する場合もあり、しない場合もある。ＵＥは、各サブフレーム内の全伝送電力が各サブフレーム内のＵＥの最大許容伝送電力を下回るように、各サブフレーム内の伝送電力を（必要とされるときに）調節してもよい。図１３Ａに図示される実施例では、ＬＡＡ  ＰＵＳＣＨは、サブフレームｎ、ｎ＋１、およびｎ＋２内の電力制限に起因して、各サブフレーム内で異なって調節されてもよい。計算された全電力がサブフレーム内の閾値を超えるとき、ＵＥは、サブフレーム内のＰＵＳＣＨ伝送電力を調節してもよい。計算された電力は、認可セルおよび／または無認可セルに関するものであってもよい。図１３Ｂに図示される実施例では、電力は、電力制限に起因して調節され得ず、パスロスは、サブフレームにわたって同一である。ＵＥは、サブフレームにわたってＬＡＡセルのＰＵＳＣＨ伝送のための同一の伝送電力を維持してもよい。
【００９８】
例示的実施形態では、ＵＥは、ＰＵＳＣＨ電力計算機構で説明されるように、ＵＬ許可の中のＴＰＣコマンドおよび他の電力パラメータに基づいて、サブフレームｎのためのアップリンク伝送電力を計算してもよい。ＵＥは、ＰＵＳＣＨ電力計算機構で説明されるように、ＵＬ許可上のＴＰＣコマンドおよび他の電力パラメータに基づいて、サブフレームｎ＋１上のアップリンク伝送電力を計算してもよい。ＵＥは、１つまたはそれを上回る後続のサブフレームの中の全てのサブフレームのための基準と同一の閉ループ調節係数（ｆ（ｉ））を採用してもよい。
【００９９】
ＵＥは、必要とされる場合、（例えば、構成された移動平均方程式を使用して、または測定された値に基づいて）測定されたパスロス参照の変化を補償するように、調節を適用してもよい。伝送電力は、パスロスがサブフレーム内で変化したときに、サブフレーム内で再計算されてもよい。ＵＥはまた、必要とされる場合、各サブフレーム内のＵＥの最大許容伝送電力制限に基づいて、ＵＥ信号伝送電力を調節してもよい。例えば、マルチサブフレーム許可がサブフレームｎ、ｎ＋１、およびｎ＋２に適用可能である場合、ＵＥは、ＰＵＳＣＨのアップリンク伝送のための基準電力を計算してもよい。サブフレームｎ、ｎ＋１、およびｎ＋２では、ＵＥは、パスロス参照測定が変更されているかどうかに応じて、伝送電力を調節する場合もあり、しない場合もある。ＵＥは、サブフレーム内の電力制限に応じて、伝送電力を調節する場合もあり、しない場合もある。ＵＥは、サブフレーム内の全伝送電力がサブフレーム内のＵＥの最大許容伝送電力を下回るように、サブフレーム内の伝送電力を（必要とされるときに）調節してもよい。
【０１００】
例示的実施形態では、ＬＡＡセルを構成する１つまたはそれを上回るＲＲＣメッセージは、単一の基準電力がサブフレームに関して計算されるかどうか、または各サブフレームが（例えば、パスロス参照値等に基づいて）その独自の計算された電力を有し得るかどうかを示してもよい。ＵＥ最大許容電力に起因する電力調節は、必要とされるときに、サブフレームに適用可能であり得る。
【０１０１】
アップリンク電力制御は、異なるアップリンク物理チャネルの伝送電力を制御してもよい。実施例では、物理アップリンク共有チャネル（ＰＵＳＣＨ）伝送のためのＵＥ伝送電力の設定は、以下のように定義されてもよい。ＵＥがサービングセルｃのための同時ＰＵＣＣＨを用いることなくＰＵＳＣＨを伝送する場合には、サービングセルｃに関するサブフレームｉ内のＰＵＳＣＨ伝送のためのＵＥ伝送電力ＰＰＵＳＣＨ，ｃ（ｉ）は、以下によって求められ得る。
【化１】
2019508956.tif 000003
【０１０２】
ＵＥがサービングセルｃのためのＰＵＣＣＨと同時にＰＵＳＣＨを伝送する場合には、サービングセルｃに関するサブフレームｉ内のＰＵＳＣＨ伝送のためのＵＥ伝送電力ＰＰＵＳＣＨ，ｃ（ｉ）は、以下によって求められ得る。
【化２】
2019508956.tif 000004
【０１０３】
ＵＥが、サービングセルｃのためのＰＵＳＣＨを伝送していない場合、ＰＵＳＣＨのためのＤＣＩフォーマット３／３Ａを用いて受信されるＴＰＣコマンドの累積に関して、ＵＥは、サービングセルｃに関するサブフレームｉ内のＰＵＳＣＨ伝送のためのＵＥ伝送電力ＰＰＵＳＣＨ，ｃ（ｉ）が以下によって計算されると仮定し得る。
【化３】
2019508956.tif 000005
式中、ＰＣＭＡＸ，ｃ（ｉ）は、サービングセルｃのためのサブフレームｉ内の構成されたＵＥ伝送電力であってもよく、
【化４】
2019508956.tif 000006
は、ＰＣＭＡＸ，ｃ（ｉ）の線形値であってもよい。
【化５】
2019508956.tif 000007
は、ＰＰＵＣＣＨ（ｉ）の線形値であってもよい。ＭＰＵＳＣＨ，ｃ（ｉ）は、サブフレームｉおよびサービングセルｃに有効なリソースブロックの数の中で表されるＰＵＳＣＨリソース割当の帯域幅であってもよい。電力制御式の中のパラメータのうちのいくつかのさらなる説明は、最新のＬＴＥ−Ａｄｖａｎｃｅｄ標準仕様（例えば、，３ＧＰＰ  ＴＳ  ３６．２１３）に従って定義され得る。ＰＬＣは、ｄＢ単位でサービングセルｃについてＵＥ内で計算されるダウンリンクパスロス推定値であってもよい。
【０１０４】
δＰＵＳＣＨ，ｃは、ＴＰＣコマンドとも称される補正値であってもよく、対応するＴＰＣを備えるＤＣＩフォーマットとともにＰＤＣＣＨ／ＥＰＤＣＣＨの中に含まれてもよい。実施例では、ＵＥが、サービングセルｃに関して、上位層パラメータＵｐｌｉｎｋＰｏｗｅｒＣｏｎｔｒｏｌＤｅｄｉｃａｔｅｄ−ｖ１２ｘ０を用いて構成される場合、およびサブフレームｉが、上位層パラメータｔｐｃ−ＳｕｂｆｒａｍｅＳｅｔ−ｒ１２によって示されるようにアップリンク電力制御サブフレームセット２に属する場合、サービングセルｃの現在のＰＵＳＣＨ電力制御調節状態は、ｆｃ，２（ｉ）によって求められ、ＵＥは、ＰＰＵＳＣＨ，ｃ（ｉ）を判定するために、ｆｃ（ｉ）の代わりにｆｃ，２（ｉ）を使用するものとする。そうでなければ、サービングセルｃの現在のＰＵＳＣＨ電力制御調節状態は、ｆｃ（ｉ）によって求められ、ｆｃ，２（ｉ）およびｆｃ（ｉ）は、以下の例示的式によって定義され得る。
【０１０５】
累積が（例えば、ＲＲＣメッセージの中で）上位層によって提供されるパラメータＡｃｃｕｍｕｌａｔｉｏｎ−ｅｎａｂｌｅｄに基づいてイネーブルにされる場合、ｆｃ（ｉ）＝ｆｃ（ｉ−１）＋δＰＵＳＣＨ，ｃ（ｉ−ＫＰＵＳＣＨ）およびｆｃ，２（ｉ）＝ｆｃ，２（ｉ−１）＋δＰＵＳＣＨ，ｃ（ｉ−ＫＰＵＳＣＨ）であり、式中、δＰＵＳＣＨ，ｃ（ｉ−ＫＰＵＳＣＨ）は、サブフレームｉ−ＫＰＵＳＣＨ上でＤＣＩフォーマットを用いてＰＤＣＣＨ／ＥＰＤＣＣＨ上でシグナリングされてもよく、ｆｃ（０）は、累積のリセット後の第１の値である。例えば、ＫＰＵＳＣＨの値は、ＦＤＤまたはＦＤＤ−ＴＤＤおよびサービングセルフレーム構造タイプ１に関するものであり、ＫＰＵＳＣＨ＝４である。フレーム構造タイプ３を用いたサービングセルに関して、サブフレームｉ−ＫＰＵＳＣＨは、アップリンク許可フォーマットおよび許可タイミングに基づいて、サブフレームｉのためのＴＰＣを備える、ＤＣＩを備える。ＴＰＣコマンドがサービングセルｃに関して復号される、またはＤＲＸが起こる、またはｉがＴＤＤまたはＦＤＤ−ＴＤＤおよびサービングセルｃフレーム構造タイプ２においてアップリンクサブフレームではない、サブフレームに関して、δＰＵＳＣＨ，ｃ＝０ｄＢである。実施例では、サブフレームｉがマルチサブフレームアップリンクＤＣＩ許可のＰＤＣＣＨ／ＥＰＤＣＣＨによってスケジュールされる開始サブフレームではない場合に、δＰＵＳＣＨ，ｃ＝０ｄＢである。実施例では、ＵＥがサービングセルｃに関してＰＣＭＡＸ，ｃ（ｉ）に達した場合、サービングセルｃのための肯定的ＴＰＣコマンドは、累積されないものとする。実施例では、ＵＥが最小電力に達した場合、否定的ＴＰＣコマンドは、累積されないものとする。
【０１０６】
例示的実施形態では、累積が上位層（例えば、ＲＲＣ層）によって提供されるパラメータＡｃｃｕｍｕｌａｔｉｏｎ−ｅｎａｂｌｅｄに基づいて、サービングセルｃについてイネーブルにされない場合、ｆｃ（ｉ）＝δＰＵＳＣＨ，ｃ（ｉ−ＫＰＵＳＣＨ）およびｆｃ，２（ｉ）＝δＰＵＳＣＨ，ｃ（ｉ−ＫＰＵＳＣＨ）である。δＰＵＳＣＨ，ｃ（ｉ−ＫＰＵＳＣＨ）は、サブフレームｉについて受信されるＴＰＣコマンドである。
【０１０７】
例示的実施形態では、ＵＥがＳＣＧまたはＰＵＣＣＨ−Ｓセルを用いて構成されない場合、およびＵＥの全伝送電力が
【化６】
2019508956.tif 000008
を超えるであろう場合、ＵＥは、条件
【化７】
2019508956.tif 000009
が満たされるように、サブフレームｉ内でサービングセルｃに関して
【化８】
2019508956.tif 000010
をスケーリングしてもよく、
【化９】
2019508956.tif 000011
は、ＰＰＵＣＣＨ（ｉ）の線形値であり得、
【化１０】
2019508956.tif 000012
は、ＰＰＵＳＣＨ，ｃ（ｉ）の線形値であり得、
【化１１】
2019508956.tif 000013
は、サブフレームｉ内のＵＥの全構成最大出力電力ＰＣＭＡＸの線形値であり得、ｉおよびｗ（ｉ）は、０≦ｗ（ｉ）≦１であるサービングセルｃに関して
【化１２】
2019508956.tif 000014
の倍率であり得る。サブフレームｉ内にＰＵＣＣＨ伝送が存在しない場合、
【化１３】
2019508956.tif 000015
である。
ＵＥがＳＣＧまたはＰＵＣＣＨ−Ｓセルを用いて構成されない場合、およびＵＥがサービングセルｊ上でＵＣＩを用いたＰＵＳＣＨ伝送と、残りのサービングセルのうちのいずれかの中でＵＣＩを用いないＰＵＳＣＨとを有し、ＵＥの全伝送電力が
【化１４】
2019508956.tif 000016
を超えるであろう場合、ＵＥは、条件
【化１５】
2019508956.tif 000017
が満たされるように、サブフレームｉ内でＵＣＩを用いることなくサービングセルに関して
【化１６】
2019508956.tif 000018
をスケーリングしてもよく、
【化１７】
2019508956.tif 000019
は、ＵＣＩを用いたセルのためのＰＵＳＣＨ伝送電力であり、ｗ（ｉ）は、ＵＣＩを用いないサービングセルｃに関して
【化１８】
2019508956.tif 000020
の倍率である。
この場合、
【化１９】
2019508956.tif 000021
であり、ＵＥの全伝送電力が依然として
【化２０】
2019508956.tif 000022
を超えない限り、いかなる電力スケーリングも
【化２１】
2019508956.tif 000023
に適用されなくてもよい。
【０１０８】
ＳＣＧまたはＰＵＣＣＨ−Ｓセルを用いて構成されないＵＥに関して、ｗ（ｉ）値は、ｗ（ｉ）＞０であるときにサービングセルにわたって同一であり得るが、あるサービングセルに関して、ｗ（ｉ）は、ゼロであり得ることに留意されたい。ＵＥがＳＣＧまたはＰＵＣＣＨ−Ｓセルを用いて構成されない場合、およびＵＥがサービングセルｊ上のＵＣＩを用いた同時ＰＵＣＣＨおよびＰＵＳＣＨ伝送と、残りのサービングセルのうちのいずれかの中でＵＣＩを用いないＰＵＳＣＨ伝送とを有し、ＵＥの全伝送電力が
【化２２】
2019508956.tif 000024
を超えるであろう場合、ＵＥは、
【化２３】
2019508956.tif 000025
および
【化２４】
2019508956.tif 000026
に従って、
【化２５】
2019508956.tif 000027
を取得し得る。
【０１０９】
例示的実施形態では、ＵＥがアップリンク伝送のためのＬＡＡ  Ｓセルを用いて構成される場合、ＵＥがチャネルアクセスプロシージャに従ってサブフレームｉ内のＰＵＳＣＨ伝送のためにＬＡＡ  Ｓセルにアクセスすることができるかどうかにかかわらず、ＵＥがサブフレームｉ内のＬＡＡ  Ｓセル上でＰＵＳＣＨ伝送を実施すると仮定して、ＵＥは、倍率ｗ（ｉ）を計算してもよい。
【０１１０】
図１６は、本開示の実施形態のある側面を図示する、例示的フロー図である。１６１０では、無線デバイスは、１つまたはそれを上回る連続アップリンクサブフレームの数の中のアップリンクリソースを示す、ダウンリンク制御情報（ＤＣＩ）を受信してもよい。１つまたはそれを上回る連続アップリンクサブフレームの数は、認可支援アクセス（ＬＡＡ）セルのものであってもよい。ＤＣＩは、１つまたはそれを上回る連続アップリンクサブフレームの数と、ハイブリッド自動反復要求プロセス番号（ＨＡＲＱ  ＩＤ）とを備えてもよい。１６２０では、無線デバイスは、ＤＣＩおよび第１のＨＡＲＱ  ＩＤに従って、１つまたはそれを上回る連続アップリンクサブフレームのうちの第１のサブフレーム上で１つまたはそれを上回るトランスポートブロックを伝送してもよい。第１のＨＡＲＱ  ＩＤは、第１のサブフレームに関して（第１の事前構成された数を法とする（ＨＡＲＱ  ＩＤ＋ｉ））であってもよく、ｉは、１つまたはそれを上回る連続アップリンクサブフレームの中の第１のサブフレームのサブフレーム位置を示す。開始サブフレームに関して、ｉは、例えば、ゼロの値を有してもよい。終了サブフレームに関して、ｉは、例えば、マイナス１の数の値を有してもよい。ある実施形態によると、１つまたはそれを上回る連続アップリンクサブフレームの数は、例えば、第１の事前構成された数未満であり得る。
【０１１１】
ある実施形態によると、ＤＣＩはさらに、１つまたはそれを上回る連続アップリンクサブフレームの数、複数のリソースブロックの割当、または伝送電力制御コマンドのうちの少なくとも１つを備えてもよい。ある実施形態によると、ＤＣＩはさらに、変調およびコーディングスキーム、冗長性バージョン（ＲＶ）、または新規データインジケータ（ＮＤＩ）を備えてもよい。
【０１１２】
第１の事前構成された数は、例えば、無線デバイスによってサポートされるＨＡＲＱプロセスの数に依存し得る。ある実施形態によると、無線デバイスは、チャネルが１つまたはそれを上回る連続アップリンクサブフレームのうちの開始サブフレームのためにクリアであることを示す、トーク前リッスンプロシージャを行ってもよい。ある実施形態によると、ＤＣＩは、ＨＡＲＱプロセスの第１の数と関連付けられてもよい。ＨＡＲＱプロセスの第１の数は、１つまたはそれを上回る連続アップリンクサブフレームの数に等しくあり得る。第１のＨＡＲＱ  ＩＤは、非同期ＨＡＲＱと関連付けられてもよい。
【０１１３】
ある実施形態によると、無線デバイスはさらに、認可支援アクセス（ＬＡＡ）セルの構成パラメータを備える、１つまたはそれを上回る無線リソース制御（ＲＲＣ）メッセージを受信してもよい。１つまたはそれを上回るＲＲＣメッセージはさらに、１つまたはそれを上回る連続アップリンクサブフレーム配分構成パラメータを備えてもよい。１つまたはそれを上回る連続アップリンクサブフレーム配分構成パラメータは、第１のフィールドを備えてもよい。第１のフィールドは、１つまたはそれを上回る連続アップリンクサブフレームの数の上限を示してもよい。
【０１１４】
図１７は、本開示の実施形態のある側面を図示する、例示的フロー図である。１７１０では、基地局は、１つまたはそれを上回る連続アップリンクサブフレームの数の中のアップリンクリソースを示す、ダウンリンク制御情報（ＤＣＩ）を伝送してもよい。１つまたはそれを上回る連続アップリンクサブフレームの数は、認可支援アクセス（ＬＡＡ）セルのものであってもよい。ＤＣＩは、１つまたはそれを上回る連続アップリンクサブフレームの数と、ハイブリッド自動反復要求プロセス番号（ＨＡＲＱ  ＩＤ）とを備えてもよい。１７２０では、基地局は、ＤＣＩおよび第１のＨＡＲＱ  ＩＤに従って、１つまたはそれを上回る連続アップリンクサブフレームのうちの第１のサブフレーム上で１つまたはそれを上回るトランスポートブロックを受信してもよい。第１のＨＡＲＱ  ＩＤは、第１のサブフレームに関して（第１の事前構成された数を法とする（ＨＡＲＱ  ＩＤ＋ｉ））であってもよく、ｉは、１つまたはそれを上回る連続アップリンクサブフレームの中の第１のサブフレームのサブフレーム位置を示す。開始サブフレームに関して、ｉは、例えば、ゼロの値を有してもよい。終了サブフレームに関して、ｉは、例えば、マイナス１の数の値を有してもよい。ある実施形態によると、１つまたはそれを上回る連続アップリンクサブフレームの数は、例えば、第１の事前構成された数未満であり得る。
【０１１５】
ある実施形態によると、ＤＣＩはさらに、１つまたはそれを上回る連続アップリンクサブフレームの数、複数のリソースブロックの割当、または伝送電力制御コマンドのうちの少なくとも１つを備えてもよい。ある実施形態によると、ＤＣＩはさらに、変調およびコーディングスキーム、冗長性バージョン（ＲＶ）、または新規データインジケータ（ＮＤＩ）を備えてもよい。
【０１１６】
第１の事前構成された数は、例えば、無線デバイスによってサポートされるＨＡＲＱプロセスの数に依存し得る。ある実施形態によると、無線デバイスは、チャネルが１つまたはそれを上回る連続アップリンクサブフレームのうちの開始サブフレームのためにクリアであることを示す、トーク前リッスンプロシージャを実施してもよい。ある実施形態によると、ＤＣＩは、ＨＡＲＱプロセスの第１の数と関連付けられてもよい。ＨＡＲＱプロセスの第１の数は、１つまたはそれを上回る連続アップリンクサブフレームの数に等しくあり得る。第１のＨＡＲＱ  ＩＤは、非同期ＨＡＲＱと関連付けられてもよい。
【０１１７】
ある実施形態によると、無線デバイスはさらに、認可支援アクセス（ＬＡＡ）セルの構成パラメータを備える、１つまたはそれを上回る無線リソース制御（ＲＲＣ）メッセージを受信してもよい。１つまたはそれを上回るＲＲＣメッセージはさらに、１つまたはそれを上回る連続アップリンクサブフレーム配分構成パラメータを備えてもよい。１つまたはそれを上回る連続アップリンクサブフレーム配分構成パラメータは、第１のフィールドを備えてもよい。第１のフィールドは、１つまたはそれを上回る連続アップリンクサブフレームの数の上限を示してもよい。
【０１１８】
図１８は、本開示の実施形態のある側面を図示する、例示的フロー図である。１８１０では、無線デバイスは、１つまたはそれを上回るサブフレームに対する許可を受信してもよい。許可は、ハイブリッド自動反復要求プロセス番号（ＨＡＲＱ  ＩＤ）を備えてもよい。１８２０では、無線デバイスは、第１のＨＡＲＱ  ＩＤを採用して、１つまたはそれを上回るサブフレームのうちのサブフレーム内でトランスポートブロックを伝送してもよい。第１のＨＡＲＱ  ＩＤは、ＨＡＲＱ  ＩＤおよび１つまたはそれを上回るサブフレームの中のサブフレームの位置に基づいて計算されてもよい。
【０１１９】
ある実施形態によると、許可はさらに、１つまたはそれを上回る連続アップリンクサブフレームの数、複数のリソースブロックの割当、または伝送電力制御コマンドのうちの少なくとも１つを備えてもよい。ある実施形態によると、許可はさらに、変調およびコーディングスキーム、冗長性バージョン（ＲＶ）、または新規データインジケータ（ＮＤＩ）のうちの少なくとも１つを備えてもよい。ある実施形態によると、無線デバイスは、チャネルが１つまたはそれを上回る連続アップリンクサブフレームのうちの開始サブフレームのためにクリアであることを示す、トーク前リッスンプロシージャを行ってもよい。１つまたはそれを上回るサブフレームの数は、例えば、第１の事前構成された数未満であり得る。
【０１２０】
図１９は、本開示の実施形態のある側面を図示する、例示的フロー図である。１９１０では、基地局は、１つまたはそれを上回るサブフレームに対する許可を伝送してもよい。許可は、ハイブリッド自動反復要求プロセス番号（ＨＡＲＱ  ＩＤ）を備えてもよい。１９２０では、基地局は、第１のＨＡＲＱ  ＩＤを採用して、１つまたはそれを上回るサブフレームのうちのサブフレーム内でトランスポートブロックを受信してもよい。第１のＨＡＲＱ  ＩＤは、ＨＡＲＱ  ＩＤおよび１つまたはそれを上回るサブフレームの中のサブフレームの位置に基づいて計算されてもよい。
【０１２１】
ある実施形態によると、許可はさらに、１つまたはそれを上回る連続アップリンクサブフレームの数、複数のリソースブロックの割当、または伝送電力制御コマンドのうちの少なくとも１つを備えてもよい。ある実施形態によると、許可はさらに、変調およびコーディングスキーム、冗長性バージョン（ＲＶ）、または新規データインジケータ（ＮＤＩ）のうちの少なくとも１つを備えてもよい。ある実施形態によると、チャネルが１つまたはそれを上回る連続アップリンクサブフレームのうちの開始サブフレームのためにクリアであることを示す、トーク前リッスンプロシージャが実施されてもよい。１つまたはそれを上回るサブフレームの数は、例えば、第１の事前構成された数未満であり得る。
【０１２２】
図２０は、本開示の実施形態のある側面を図示する、例示的フロー図である。２０１０では、無線デバイスは、認可支援アクセス（ＬＡＡ）セルの構成パラメータを備える、１つまたはそれを上回る無線リソース制御（ＲＲＣ）メッセージを受信してもよい。１つまたはそれを上回るＲＲＣメッセージはさらに、１つまたはそれを上回る連続アップリンクサブフレーム配分構成パラメータを備えてもよい。１つまたはそれを上回る連続アップリンクサブフレーム配分構成パラメータは、第１のフィールドを備えてもよい。第１のフィールドは、１つまたはそれを上回る連続アップリンクサブフレームの数の上限を示してもよい。
【０１２３】
無線デバイスは、２０２０において、１つまたはそれを上回る連続アップリンクサブフレームの数の中のアップリンクリソースを示す、ダウンリンク制御情報（ＤＣＩ）を受信してもよい。１つまたはそれを上回る連続アップリンクサブフレームの数は、認可支援アクセス（ＬＡＡ）セルのものであってもよい。ＤＣＩは、１つまたはそれを上回る連続アップリンクサブフレームの数と、ハイブリッド自動反復要求プロセス番号（ＨＡＲＱ  ＩＤ）とを備えてもよい。２０３０では、無線デバイスは、ＤＣＩおよび第１のＨＡＲＱ  ＩＤに従って、１つまたはそれを上回る連続アップリンクサブフレームのうちの第１のサブフレーム上で１つまたはそれを上回るトランスポートブロックを伝送してもよい。第１のＨＡＲＱ  ＩＤは、第１のサブフレームに関して（第１の事前構成された数を法とする（ＨＡＲＱ  ＩＤ＋ｉ））であってもよく、ｉは、１つまたはそれを上回る連続アップリンクサブフレームの中の第１のサブフレームのサブフレーム位置を示す。開始サブフレームに関して、ｉは、例えば、ゼロの値を有してもよい。終了サブフレームに関して、ｉは、例えば、マイナス１の数の値を有してもよい。ある実施形態によると、１つまたはそれを上回る連続アップリンクサブフレームの数は、例えば、第１の事前構成された数未満であり得る。
【０１２４】
ある実施形態によると、ＤＣＩはさらに、１つまたはそれを上回る連続アップリンクサブフレームの数、複数のリソースブロックの割当、または伝送電力制御コマンドのうちの少なくとも１つを備えてもよい。ある実施形態によると、ＤＣＩはさらに、変調およびコーディングスキーム、冗長性バージョン（ＲＶ）、または新規データインジケータ（ＮＤＩ）を備えてもよい。
【０１２５】
第１の事前構成された数は、例えば、無線デバイスによってサポートされるＨＡＲＱプロセスの数に依存し得る。ある実施形態によると、無線デバイスは、チャネルが１つまたはそれを上回る連続アップリンクサブフレームのうちの開始サブフレームのためにクリアであることを示す、トーク前リッスンプロシージャを実施してもよい。ある実施形態によると、ＤＣＩは、ＨＡＲＱプロセスの第１の数と関連付けられてもよい。ＨＡＲＱプロセスの第１の数は、１つまたはそれを上回る連続アップリンクサブフレームの数に等しくあり得る。第１のＨＡＲＱ  ＩＤは、非同期ＨＡＲＱと関連付けられてもよい。
【０１２６】
図２１は、本開示の実施形態のある側面を図示する、例示的フロー図である。２１１０では、基地局は、認可支援アクセス（ＬＡＡ）セルの構成パラメータを備える、１つまたはそれを上回る無線リソース制御（ＲＲＣ）メッセージを伝送してもよい。１つまたはそれを上回るＲＲＣメッセージはさらに、１つまたはそれを上回る連続アップリンクサブフレーム配分構成パラメータを備えてもよい。１つまたはそれを上回る連続アップリンクサブフレーム配分構成パラメータは、第１のフィールドを備えてもよい。第１のフィールドは、１つまたはそれを上回る連続アップリンクサブフレームの数の上限を示してもよい。
【０１２７】
２１２０では、基地局は、１つまたはそれを上回る連続アップリンクサブフレームの数の中のアップリンクリソースを示す、ダウンリンク制御情報（ＤＣＩ）を伝送してもよい。１つまたはそれを上回る連続アップリンクサブフレームの数は、認可支援アクセス（ＬＡＡ）セルのものであってもよい。ＤＣＩは、１つまたはそれを上回る連続アップリンクサブフレームの数と、ハイブリッド自動反復要求プロセス番号（ＨＡＲＱ  ＩＤ）とを備えてもよい。１６３０では、基地局は、ＤＣＩおよび第１のＨＡＲＱ  ＩＤに従って、１つまたはそれを上回る連続アップリンクサブフレームのうちの第１のサブフレーム上で１つまたはそれを上回るトランスポートブロックを受信してもよい。第１のＨＡＲＱ  ＩＤは、第１のサブフレームに関して（第１の事前構成された数を法とする（ＨＡＲＱ  ＩＤ＋ｉ））であってもよく、ｉは、１つまたはそれを上回る連続アップリンクサブフレームの中の第１のサブフレームのサブフレーム位置を示す。開始サブフレームに関して、ｉは、例えば、ゼロの値を有してもよい。終了サブフレームに関して、ｉは、例えば、マイナス１の数の値を有してもよい。ある実施形態によると、１つまたはそれを上回る連続アップリンクサブフレームの数は、例えば、第１の事前構成された数未満であり得る。
【０１２８】
ある実施形態によると、ＤＣＩはさらに、１つまたはそれを上回る連続アップリンクサブフレームの数、複数のリソースブロックの割当、または伝送電力制御コマンドのうちの少なくとも１つを備えてもよい。ある実施形態によると、ＤＣＩはさらに、変調およびコーディングスキーム、冗長性バージョン（ＲＶ）、または新規データインジケータ（ＮＤＩ）を備えてもよい。
【０１２９】
第１の事前構成された数は、例えば、無線デバイスによってサポートされるＨＡＲＱプロセスの数に依存し得る。ある実施形態によると、無線デバイスは、チャネルが１つまたはそれを上回る連続アップリンクサブフレームのうちの開始サブフレームのためにクリアであることを示す、トーク前リッスンプロシージャを実施してもよい。ある実施形態によると、ＤＣＩは、ＨＡＲＱプロセスの第１の数と関連付けられてもよい。ＨＡＲＱプロセスの第１の数は、１つまたはそれを上回る連続アップリンクサブフレームの数に等しくあり得る。第１のＨＡＲＱ  ＩＤは、非同期ＨＡＲＱと関連付けられてもよい。
【０１３０】
図２２は、本開示の実施形態のある側面を図示する、例示的フロー図である。２２１０では、無線デバイスは、１つまたはそれを上回るＲＲＣメッセージを受信してもよい。１つまたはそれを上回るＲＲＣメッセージは、ＬＡＡセルの構成パラメータを備えてもよい。１つまたはそれを上回るＲＲＣメッセージはさらに、１つまたはそれを上回る連続アップリンクサブフレーム配分構成パラメータを備えてもよい。１つまたはそれを上回る連続アップリンクサブフレーム配分構成パラメータは、第１のフィールドを備えてもよい。第１のフィールドは、１つまたはそれを上回る連続アップリンクサブフレームの数の上限を示してもよい。
【０１３１】
ＬＡＡセルの１つまたはそれを上回る連続アップリンクサブフレームの数の中のアップリンクリソースを示す、ＤＣＩが、２２２０において受信されてもよい。ＤＣＩは、１つまたはそれを上回る連続アップリンクサブフレームの数と、複数のリソースブロックの割当とを備えてもよい。いくつかの実施形態によると、ＤＣＩはさらに、伝送電力制御コマンドを備えてもよい。２２３０では、無線デバイスは、チャネルが１つまたはそれを上回る連続アップリンクサブフレームのうちの開始サブフレームのためにクリアであることを示す、トーク前リッスンプロシージャを実施してもよい。２２４０では、無線デバイスは、１つまたはそれを上回るトランスポートブロックを伝送してもよい。ある実施形態によると、１つまたはそれを上回るトランスポートブロックは、１つまたはそれを上回る連続アップリンクサブフレームにわたって使用される複数のリソースブロックを介して伝送されてもよい。ある実施形態によると、１つまたはそれを上回るトランスポートブロックは、１つまたはそれを上回る連続アップリンクサブフレームにわたって使用される複数のリソースブロックを介して、１つまたはそれを上回る連続アップリンクサブフレーム内で伝送されてもよい。ある実施形態によると、１つまたはそれを上回る連続アップリンクサブフレームのうちの各サブフレーム内の１つまたはそれを上回るトランスポートブロックの伝送電力は、伝送電力制御コマンドを採用してもよく、各サブフレーム内の全伝送電力が各サブフレーム内の電力値を超えるときに、各サブフレーム内で調節されてもよい。
【０１３２】
ある実施形態によると、ＤＣＩはさらに、変調およびコーディングスキーム、ハイブリッド自動反復要求（ＨＡＲＱ）識別子、冗長性バージョン（ＲＶ）、または新規データインジケータ（ＮＤＩ）のうちの少なくとも１つを備えてもよい。ある実施形態によると、１つまたはそれを上回る連続アップリンクサブフレームの数は、無線デバイスによってサポートされるＨＡＲＱプロセスの数未満であり得る。伝送電力の計算は、例えば、測定されたパスロス値を採用してもよい。１つまたはそれを上回る連続アップリンクサブフレームのうちの各サブフレーム内の１つまたはそれを上回るトランスポートブロックの伝送電力は、例えば、同一の調節係数を採用してもよい。調節係数は、伝送電力制御コマンドを採用して計算されてもよい。
【０１３３】
トーク前リッスンプロシージャは、例えば、検出されたチャネルエネルギーが閾値を下回るときに、チャネルがクリアであることを示してもよい。トーク前リッスンプロシージャの１つまたはそれを上回るパラメータは、１つまたはそれを上回るトランスポートブロックのうちの少なくとも１つの優先クラスに依存し得る。トランスポートブロックは、非同期ＨＡＲＱプロセスと関連付けられてもよい。ある実施形態によると、１つまたはそれを上回る連続アップリンクサブフレームの中の各サブフレームは、ＨＡＲＱ識別子と関連付けられてもよい。ＨＡＲＱ識別子は、１つまたはそれを上回る連続アップリンクサブフレームの中のサブフレームの位置に依存する。
【０１３４】
ある実施形態によると、無線デバイスはさらに、１つまたはそれを上回る連続アップリンクサブフレームのうちのサブフレーム内でサウンディング参照信号（ＳＲＳ）を伝送してもよい。ＳＲＳの伝送電力は、伝送電力制御コマンドを採用して計算されてもよい。
【０１３５】
図２３は、本開示の実施形態のある側面を図示する、例示的フロー図である。２３１０では、無線デバイスは、ＬＡＡセルの１つまたはそれを上回る連続アップリンクサブフレームの数の中のアップリンクリソースを示す、ＤＣＩを受信してもよい。ＤＣＩは、１つまたはそれを上回る連続アップリンクサブフレームの数と、複数のリソースブロックの割当とを備えてもよい。２３２０では、１つまたはそれを上回るトランスポートブロックが、１つまたはそれを上回る連続アップリンクサブフレームにわたって使用される複数のリソースブロックを介して、１つまたはそれを上回る連続アップリンクサブフレーム内で伝送されてもよい。
【０１３６】
図２４は、本開示の実施形態のある側面を図示する、例示的フロー図である。２４１０では、基地局は、ＬＡＡセルの１つまたはそれを上回る連続アップリンクサブフレームの数の中のアップリンクリソースを示す、ＤＣＩを伝送してもよい。ＤＣＩは、１つまたはそれを上回る連続アップリンクサブフレームの数と、複数のリソースブロックの割当とを備えてもよい。２４２０では、１つまたはそれを上回るトランスポートブロックが、１つまたはそれを上回る連続アップリンクサブフレームにわたって使用される複数のリソースブロックを介して、１つまたはそれを上回る連続アップリンクサブフレーム内で受信されてもよい。
【０１３７】
図２５は、本開示の実施形態のある側面を図示する、例示的フロー図である。２５１０では、無線デバイスは、ＤＣＩを受信してもよい。ＤＣＩは、ＬＡＡセルの１つまたはそれを上回る連続アップリンクサブフレームの数に対する許可を示してもよい。ＤＣＩは、複数のリソースブロックの割当と、伝送電力制御コマンドとを備えてもよい。２５２０では、チャネルが１つまたはそれを上回る連続アップリンクサブフレームのうちの開始サブフレームのためにクリアであることを示す、トーク前リッスンプロシージャが実施されてもよい。２５４０では、１つまたはそれを上回るトランスポートブロックが、１つまたはそれを上回る連続アップリンクサブフレームにわたって使用される複数のリソースブロックを介して、伝送されてもよい。１つまたはそれを上回る連続アップリンクサブフレームのうちの各サブフレーム内の１つまたはそれを上回るトランスポートブロックの伝送電力は、伝送電力制御コマンドを採用してもよく、各サブフレーム内の全伝送電力が各サブフレーム内の電力値を超えるときに、各サブフレーム内で調節されてもよい。
【０１３８】
図２６は、本開示の実施形態のある側面を図示する、例示的フロー図である。２６１０では、無線デバイスは、ＤＣＩを受信してもよい。ＤＣＩは、ＬＡＡセルの１つまたはそれを上回る連続アップリンクサブフレームの数に対する許可を示してもよい。ＤＣＩは、複数のリソースブロックの割当と、伝送電力制御コマンドとを備えてもよい。２６２０では、１つまたはそれを上回るトランスポートブロックが、１つまたはそれを上回る連続アップリンクサブフレームにわたって使用される複数のリソースブロックを介して、伝送されてもよい。１つまたはそれを上回る連続アップリンクサブフレームのうちの各サブフレーム内の１つまたはそれを上回るトランスポートブロックの伝送電力は、伝送電力制御コマンドを採用してもよく、各サブフレーム内の全伝送電力が各サブフレーム内の電力値を超えるときに、各サブフレーム内で調節されてもよい。
【０１３９】
図２７は、本開示の実施形態のある側面を図示する、例示的フロー図である。２７１０では、無線デバイスは、１つまたはそれを上回るＲＲＣメッセージを受信してもよい。１つまたはそれを上回るＲＲＣメッセージは、ＬＡＡセルの構成パラメータを備えてもよい。２７２０では、第１のＤＣＩが、第１のサブフレーム内で受信されてもよい。第１のＤＣＩは、ＬＡＡセルのための第１のアップリンクリソースを示してもよい。第１のＤＣＩは、第３のサブフレームを備える、１つまたはそれを上回る連続アップリンクサブフレームの数に関するものであり、１つまたはそれを上回る連続アップリンクサブフレームの数を備えてもよい。２７３０では、第２のＤＣＩが、第１のサブフレームと異なる第２のサブフレーム内で受信されてもよい。第２のＤＣＩは、第３のサブフレームのための第２のアップリンクリソースを示してもよい。２７４０では、１つまたはそれを上回るトランスポートブロックが、直近で受信された第１のＤＣＩまたは第２のＤＣＩのパラメータに従って、第３のサブフレーム内の複数のリソースブロックを介して伝送されてもよい。
【０１４０】
第３のサブフレームは、第１のサブフレームおよび第２のサブフレームの後にあってもよい。第１のＤＣＩはさらに、例えば、複数のリソースブロックの割当、または伝送電力制御コマンドのうちの少なくとも１つを備えてもよい。第１のＤＣＩはさらに、例えば、変調およびコーディングスキーム、ハイブリッド自動反復要求（ＨＡＲＱ）識別子、冗長性バージョン（ＲＶ）、または新規データインジケータ（ＮＤＩ）のうちの少なくとも１つを備えてもよい。ある実施形態によると、チャネルが１つまたはそれを上回る連続アップリンクサブフレームのうちの開始サブフレームのためにクリアであることを示す、トーク前リッスンプロシージャが実施されてもよい。
【０１４１】
１つまたはそれを上回るトランスポートブロックは、例えば、非同期ＨＡＲＱプロセスと関連付けられてもよい。１つまたはそれを上回る連続アップリンクサブフレームの数は、例えば、無線デバイスによってサポートされるＨＡＲＱプロセスの数未満であり得る。第２のＤＣＩは、例えば、ハイブリッド自動反復要求（ＨＡＲＱ）識別子、冗長性バージョン（ＲＶ）、または新規データインジケータのうちの少なくとも１つを備えてもよい。構成パラメータは、例えば、第１のフィールドを備え、１つまたはそれを上回る連続アップリンクサブフレームの数は、第１のフィールド未満である。１つまたはそれを上回るＲＲＣメッセージはさらに、例えば、第１のフィールドを備える、１つまたはそれを上回る連続アップリンクサブフレーム配分構成パラメータを備えてもよい。第１のフィールドは、１つまたはそれを上回る連続アップリンクサブフレームの数の上限を示してもよい。
【０１４２】
図２８は、本開示の実施形態のある側面を図示する、例示的フロー図である。２８１０では、基地局は、１つまたはそれを上回るＲＲＣメッセージを伝送してもよい。１つまたはそれを上回るＲＲＣメッセージは、ＬＡＡセルの構成パラメータを備えてもよい。２８２０では、第１のＤＣＩが、第１のサブフレーム内で伝送されてもよい。第１のＤＣＩは、ＬＡＡセルのための第１のアップリンクリソースを示してもよい。第１のＤＣＩは、第３のサブフレームを備える、１つまたはそれを上回る連続アップリンクサブフレームの数に関するものであり、１つまたはそれを上回る連続アップリンクサブフレームの数を備えてもよい。２８３０では、第２のＤＣＩが、第１のサブフレームと異なる第２のサブフレーム内で伝送されてもよい。第２のＤＣＩは、第３のサブフレームのための第２のアップリンクリソースを示してもよい。２８４０では、１つまたはそれを上回るトランスポートブロックが、直近で受信された第１のＤＣＩまたは第２のＤＣＩのパラメータに従って、第３のサブフレーム内で複数のリソースブロックを介して受信されてもよい。第３のサブフレームは、例えば、第１のサブフレームおよび第２のサブフレームの後にあってもよい。第１のＤＣＩはさらに、例えば、複数のリソースブロックの割当、または伝送電力制御コマンドのうちの少なくとも１つを備えてもよい。
【０１４３】
図２９は、本開示の実施形態のある側面を図示する、例示的フロー図である。２９１０では、無線デバイスは、第１のサブフレーム内で、ＬＡＡセルのための第１のアップリンクリソースを示す、第１のＤＣＩを受信してもよい。第１のＤＣＩは、第３のサブフレームを備える、１つまたはそれを上回る連続アップリンクサブフレームの数に関するものであってもよく、１つまたはそれを上回る連続アップリンクサブフレームの数を備えてもよい。２９２０では、第２のＤＣＩが、第２のサブフレーム内で受信されてもよい。第２のサブフレームは、第１のサブフレームと異なり得る。第２のＤＣＩは、第３のサブフレームのための第２のアップリンクリソースを示してもよい。２９３０では、１つまたはそれを上回るトランスポートブロックが、直近で受信された第１のＤＣＩまたは第２のＤＣＩのパラメータに従って、第３のサブフレーム内で複数のリソースブロックを介して伝送されてもよい。
【０１４４】
図３０は、本開示の実施形態のある側面を図示する、例示的フロー図である。３０１０では、基地局は、第１のサブフレーム内で第１のＤＣＩを伝送してもよい。第１のＤＣＩは、第３のサブフレームを備える、１つまたはそれを上回るサブフレーム内の第１のアップリンクリソースを示してもよい。３０２０では、第２のＤＣＩが、第２のサブフレーム内で伝送されてもよい。第２のサブフレームは、第１のサブフレームと異なり得る。第２のＤＣＩは、第３のサブフレームの第２のアップリンクリソースを示してもよい。３０３０では、トランスポートブロックが、直近で伝送された第１のＤＣＩまたは第２のＤＣＩのパラメータに従って、第３のサブフレーム内で受信されてもよい。
【０１４５】
本明細書では、「ａ」および「ａｎ」および類似語句は、「少なくとも１つ」および「１つまたはそれを上回る」として解釈されるものである。本明細書では、用語「ｍａｙ（〜してもよい）」は、「ｍａｙ，  ｆｏｒ  ｅｘａｍｐｌｅ（例えば、〜してもよい）」として解釈されるものである。換言すると、用語「ｍａｙ（〜してもよい）」は、用語「ｍａｙ（〜してもよい）」に続く語句が、種々の実施形態のうちの１つまたはそれを上回るものに採用される場合もあり、されない場合もある、多数の好適な可能性のうちの１つの実施例であることを示す。ＡおよびＢがセットであり、Ａの全要素がＢの要素でもある場合、Ａは、Ｂのサブセットと呼ばれる。本明細書では、非空のセットおよびサブセットのみが、考慮される。例えば、Ｂ＝｛セル１、セル２｝の可能性として考えられるサブセットは、｛セル１｝、｛セル２｝、および｛セル１、セル２｝である。
【０１４６】
本明細書では、パラメータ（情報要素：ＩＥ）は、１つまたはそれを上回るオブジェクトを含んでもよく、それらのオブジェクトはそれぞれ、１つまたはそれを上回る他のオブジェクトを含んでもよい。例えば、パラメータ（ＩＥ）Ｎが、パラメータ（ＩＥ）Ｍを含み、パラメータ（ＩＥ）Ｍが、パラメータ（ＩＥ）Ｋを含み、パラメータ（ＩＥ）Ｋが、パラメータ（情報要素）Ｊを含む場合には、例えば、Ｎは、Ｋを含み、Ｎは、Ｊを含む。例示的実施形態では、１つまたはそれを上回るメッセージが、複数のパラメータを含むとき、複数のパラメータの中のパラメータは、１つまたはそれを上回るメッセージのうちの少なくとも１つの中に存在するが、１つまたはそれを上回るメッセージのそれぞれの中に存在する必要はないことを含意する。
【０１４７】
開示される実施形態に説明される要素の多くは、モジュールとして実装されてもよい。モジュールは、定義された機能を果たし、他の要素への定義されたインターフェースを有する、隔離可能要素として本明細書で定義される。本開示に説明されるモジュールは、ハードウェア、ハードウェア、ファームウェア、ウェットウエア（すなわち、生物学的要素を伴うハードウェア）と組み合わせたソフトウェア、またはそれらの組み合わせで実装されてもよく、それらは全て、挙動的均等物である。例えば、モジュールは、ハードウェアマシン（Ｃ、Ｃ＋＋、Ｆｏｒｔｒａｎ、Ｊａｖａ（登録商標）、ＢＡＳＩＣ、Ｍａｔｌａｂ、または同等物等）またはＳｉｍｕｌｉｎｋ、Ｓｔａｔｅｆｌｏｗ、ＧＮＵ  Ｏｃｔａｖｅ、またはＬａｂＶＩＥＷＭａｔｈＳｃｒｉｐｔ等のモデル化／シミュレーションプログラムによって実行されるように構成される、コンピュータ言語で書かれたソフトウェアルーチンとして実装されてもよい。加えて、離散またはプログラマブルアナログ、デジタル、および／または量子ハードウェアを組み込む物理ハードウェアを使用して、モジュールを実装することが可能であり得る。プログラマブルハードウェアの実施例は、コンピュータ、マイクロコントローラ、マイクロプロセッサ、特定用途向け集積回路（ＡＳＩＣ）、フィールドプログラマブルゲートアレイ（ＦＰＧＡ）、および複合プログラマブル論理デバイス（ＣＰＬＤ）を備える。コンピュータ、マイクロコントローラ、およびマイクロプロセッサは、アセンブリ、Ｃ、Ｃ＋＋、または同等物等の言語を使用してプログラムされる。ＦＰＧＡ、ＡＳＩＣ、およびＣＰＬＤは、多くの場合、プログラマブルデバイス上のより少ない機能性を用いて内部ハードウェアモジュール間の接続を構成する、ＶＨＳＩＣハードウェア記述言語（ＶＨＤＬ）またはＶｅｒｉｌｏｇ等のハードウェア記述言語（ＨＤＬ）を使用してプログラムされる。最後に、上記の技術は、多くの場合、機能モジュールの結果を達成するために組み合わせて使用されることを強調する必要がある。
【０１４８】
本特許文書の開示は、著作権保護を受ける内容を組み込む。著作権所有者は、特許文書または特許開示書のいずれか１つによるファクシミリ複写物には、法律によって要求される限定された目的のために、複写物が特許商標庁の特許ファイルまたは記録として世に出現している限り異論はないが、他の場合に全ての著作権を完全に留保する。
【０１４９】
種々の実施形態が上記で説明されているが、それらは、限定ではなく、実施例として提示されていることを理解されたい。形態および詳細の種々の変更が、精神および範囲から逸脱することなく本明細書で行われ得ることが、当業者に明白となるであろう。実際、上記の説明を熟読後、代替実施形態を実装する方法が、当業者に明白となるであろう。したがって、本実施形態は、上記の例示的実施形態のうちのいずれかによって限定されるべきではない。具体的には、例示的目的のために、上記の説明は、ＦＤＤ通信システムを使用する実施例に焦点を当てていることに留意されたい。しかしながら、当業者は、本開示の実施形態がまた、１つまたはそれを上回るＴＤＤセルを備えるシステム（例えば、フレーム構造２および／またはフレーム構造３認可支援アクセス）で実装され得ることを認識するであろう。開示される方法およびシステムは、無線または有線システムで実装されてもよい。本開示で提示される種々の実施形態の特徴は、組み合わせられてもよい。一実施形態の１つまたは多くの特徴（方法またはシステム）は、他の実施形態で実装されてもよい。限定数の例示的組み合わせのみが、強化伝送および受信システムおよび方法を作成するように種々の実施形態で組み合わせられ得る、特徴の可能性を当業者に示すために示される。
【０１５０】
加えて、機能性および利点を強調する任意の図が、例示目的のためのみに提示されていることを理解されたい。開示されるアーキテクチャは、示されるもの以外の方法で利用され得るように、十分に柔軟かつ構成可能である。例えば、任意のフローチャートに列挙されるアクションは、いくつかの実施形態では、並べ替えられてもよい、または随意にのみ使用されてもよい。
【０１５１】
さらに、本開示の要約の目的は、米国特許商標庁および一般公衆、特に、特許または法律の用語または表現に精通していない科学者、技術者、および開業医が、本願の技術的開示の性質および本質を大まかに調べることによって、素早く判断することを可能にすることである。本開示の要約は、いかようにも範囲に関して限定的であることを意図していない。
【０１５２】
最後に、「〜するための手段（ｍｅａｎｓ  ｆｏｒ）」または「〜するためのステップ（ｓｔｅｐ  ｆｏｒ）」という表現用語を含む請求項のみが、米国特許法（３５Ｕ．Ｓ．Ｃ）第１１２条の下で解釈されることは、本出願人の意図である。「〜するための手段（ｍｅａｎｓ  ｆｏｒ）」または「〜するためのステップ（ｓｔｅｐ  ｆｏｒ）」という語句を明示的に含まない請求項は、米国特許法（３５Ｕ．Ｓ．Ｃ）第１１２条の下で解釈されないものである。
【図１】
2019508956.tif 000028
【図２】
2019508956.tif 000029
【図３】
2019508956.tif 000030
【図４】
2019508956.tif 000031
【図５】
2019508956.tif 000032
【図６】
2019508956.tif 000033
【図７】
2019508956.tif 000034
【図８】
2019508956.tif 000035
【図９】
2019508956.tif 000036
【図１０】
2019508956.tif 000037
【図１１】
2019508956.tif 000038
【図１２】
2019508956.tif 000039
【図１３】
2019508956.tif 000040
【図１４】
2019508956.tif 000041
【図１５】
2019508956.tif 000042
【図１６】
2019508956.tif 000043
【図１７】
2019508956.tif 000044
【図１８】
2019508956.tif 000045
【図１９】
2019508956.tif 000046
【図２０】
2019508956.tif 000047
【図２１】
2019508956.tif 000048
【図２２】
2019508956.tif 000049
【図２３】
2019508956.tif 000050
【図２４】
2019508956.tif 000051
【図２５】
2019508956.tif 000052
【図２６】
2019508956.tif 000053
【図２７】
2019508956.tif 000054
【図２８】
2019508956.tif 000055
【図２９】
2019508956.tif 000056
【図３０】
2019508956.tif 000057
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
方法であって、
無線デバイス（４０６）が、認可支援アクセス（ＬＡＡ）セルの１つまたは複数の連続アップリンクサブフレームのいくつかの中のアップリンクリソースを示すダウンリンク制御情報（ＤＣＩ）を受信することであって、前記ＤＣＩは、
前記１つまたは複数の連続アップリンクサブフレームの数を示す第１のフィールドと、
ハイブリッド自動反復要求プロセス番号（ＨＡＲＱ  ＩＤ）を示す第２のフィールドと
を含む、ことと、
前記１つまたは複数の連続アップリンクサブフレームのうちの第１のサブフレームに関連付けられた第１のＨＡＲＱプロセスの第１のＨＡＲＱ  ＩＤを判定することであって、前記第１のＨＡＲＱ  ＩＤは、（第１の事前構成された数を法とする（前記ＨＡＲＱ  ＩＤ＋ｉ））であり、ｉは、前記１つまたは複数の連続アップリンクサブフレームの中の前記第１のサブフレームのサブフレーム位置を示す、ことと、
前記第１のサブフレームを介して前記第１のＨＡＲＱプロセスの１つまたは複数のトランスポートブロックを伝送することと
を含む、方法。
【請求項２】
ｉは、開始サブフレームに関してゼロの値を有する、請求項１に記載の方法。
【請求項３】
ｉは、終了サブフレームに関してマイナス１の数の値を有する、請求項１または請求項２に記載の方法。
【請求項４】
前記無線デバイスが、認可支援アクセス（ＬＡＡ）セルに関する構成パラメータを含む１つまたは複数の無線リソース制御（ＲＲＣ）メッセージを受信することをさらに含み、前記１つまたは複数のＲＲＣメッセージは、第１のフィールドを備える１つまたは複数の連続アップリンクサブフレーム配分構成パラメータをさらに含み、前記第１のフィールドは、前記１つまたは複数の連続アップリンクサブフレームの数の上限を示す、請求項１〜３のいずれかに記載の方法。
【請求項５】
無線デバイス（４０６）であって、
１つまたは複数のプロセッサと、
命令を記憶するメモリと
を備え、
前記命令は、前記１つまたは複数のプロセッサによって実行されると、前記無線デバイスに、
認可支援アクセス（ＬＡＡ）セルの１つまたは複数の連続アップリンクサブフレームのいくつかの中のアップリンクリソースを示すダウンリンク制御情報（ＤＣＩ）を受信することであって、前記ＤＣＩは、
前記１つまたは複数の連続アップリンクサブフレームの数を示す第１のフィールドと、
ハイブリッド自動反復要求プロセス番号（ＨＡＲＱ  ＩＤ）を示す第２のフィールドと
を含む、ことと、
前記１つまたは複数の連続アップリンクサブフレームのうちの第１のサブフレームに関連付けられた第１のＨＡＲＱプロセスの第１のＨＡＲＱ  ＩＤを判定することであって、前記第１のＨＡＲＱ  ＩＤは、（第１の事前構成された数を法とする（前記ＨＡＲＱ  ＩＤ＋ｉ））であり、ｉは、前記１つまたは複数の連続アップリンクサブフレームの中の前記第１のサブフレームのサブフレーム位置を示す、ことと、
前記第１のサブフレームを介して前記第１のＨＡＲＱプロセスの１つまたは複数のトランスポートブロックを伝送することと
を行わせる、無線デバイス。
【請求項６】
ｉは、開始サブフレームに関してゼロの値を有する、請求項５に記載の無線デバイス。
【請求項７】
ｉは、終了サブフレームに関してマイナス１の数の値を有する、請求項５または請求項６に記載の無線デバイス。
【請求項８】
前記命令は、前記１つまたは複数のプロセッサによって実行されると、前記無線デバイスに、認可支援アクセス（ＬＡＡ）セルに関する構成パラメータを含む１つまたは複数の無線リソース制御（ＲＲＣ）メッセージを受信することをさらに行わせ、前記１つまたは複数のＲＲＣメッセージは、第１のフィールドを備える１つまたは複数の連続アップリンクサブフレーム配分構成パラメータをさらに含み、前記第１のフィールドは、前記１つまたは複数の連続アップリンクサブフレームの数の上限を示す、請求項５〜７のいずれかに記載の無線デバイス。
【請求項９】
方法であって、
基地局（４０１）が、認可支援アクセス（ＬＡＡ）セルの１つまたは複数の連続アップリンクサブフレームのいくつかの中のアップリンクリソースを示すダウンリンク制御情報（ＤＣＩ）を伝送することであって、前記ＤＣＩは、
前記１つまたは複数の連続アップリンクサブフレームの数を示す第１のフィールドと、
ハイブリッド自動反復要求プロセス番号（ＨＡＲＱ  ＩＤ）を示す第２のフィールドと
を含む、ことと、
前記１つまたは複数の連続アップリンクサブフレームのうちの第１のサブフレームに関連付けられた第１のＨＡＲＱプロセスの第１のＨＡＲＱ  ＩＤを判定することであって、前記第１のＨＡＲＱ  ＩＤは、（第１の事前構成された数を法とする（前記ＨＡＲＱ  ＩＤ＋ｉ））であり、ｉは、前記１つまたは複数の連続アップリンクサブフレームの中の前記第１のサブフレームのサブフレーム位置を示す、ことと、
前記第１のサブフレームを介して前記第１のＨＡＲＱプロセスの１つまたは複数のトランスポートブロックを受信することと
を含む、方法。
【請求項１０】
ｉは、開始サブフレームに関してゼロの値を有する、請求項９に記載の方法。
【請求項１１】
ｉは、終了サブフレームに関してマイナス１の数の値を有する、請求項９または請求項１０に記載の方法。
【請求項１２】
認可支援アクセス（ＬＡＡ）セルに関する構成パラメータを含む１つまたは複数の無線リソース制御（ＲＲＣ）メッセージを伝送することをさらに含み、前記１つまたは複数のＲＲＣメッセージは、第１のフィールドを備える１つまたは複数の連続アップリンクサブフレーム配分構成パラメータをさらに含み、前記第１のフィールドは、前記１つまたは複数の連続アップリンクサブフレームの数の上限を示す、請求項９〜１１のいずれかに記載の方法。
【請求項１３】
基地局（４０１）であって、
１つまたは複数のプロセッサと、
命令を記憶するメモリと
を備え、
前記命令は、前記１つまたは複数のプロセッサによって実行されると、前記基地局に、
認可支援アクセス（ＬＡＡ）セルの１つまたは複数の連続アップリンクサブフレームのいくつかの中のアップリンクリソースを示すダウンリンク制御情報（ＤＣＩ）を伝送することであって、前記ＤＣＩは、
前記１つまたは複数の連続アップリンクサブフレームの数を示す第１のフィールドと、
ハイブリッド自動反復要求プロセス番号（ＨＡＲＱ  ＩＤ）を示す第２のフィールドと
を含む、ことと、
前記１つまたは複数の連続アップリンクサブフレームのうちの第１のサブフレームに関連付けられた第１のＨＡＲＱプロセスの第１のＨＡＲＱ  ＩＤを判定することであって、前記第１のＨＡＲＱ  ＩＤは、（第１の事前構成された数を法とする（前記ＨＡＲＱ  ＩＤ＋ｉ））であり、ｉは、前記１つまたは複数の連続アップリンクサブフレームの中の前記第１のサブフレームのサブフレーム位置を示す、ことと、
前記第１のサブフレームを介して前記第１のＨＡＲＱプロセスの１つまたは複数のトランスポートブロックを受信することと
を行わせる、基地局。
【請求項１４】
ｉは、開始サブフレームに関してゼロの値を有する、請求項１３に記載の基地局。
【請求項１５】
前記命令は、前記１つまたは複数のプロセッサによって実行されると、前記基地局に、認可支援アクセス（ＬＡＡ）セルに関する構成パラメータを含む１つまたは複数の無線リソース制御（ＲＲＣ）メッセージを伝送することをさらに行わせ、前記１つまたは複数のＲＲＣメッセージは、第１のフィールドを備える１つまたは複数の連続アップリンクサブフレーム配分構成パラメータをさらに含み、前記第１のフィールドは、前記１つまたは複数の連続アップリンクサブフレームの数の上限を示す、請求項１３または請求項１４に記載の基地局。
【手続補正２】
【補正対象書類名】明細書
【補正対象項目名】０００２
【補正方法】変更
【補正の内容】
【０００２】
本発明の例示的実施形態は、種々の物理層変調および伝送機構を使用して実装されてもよい。例示的伝送機構は、ＣＤＭＡ、ＯＦＤＭ、ＴＤＭＡ、ウェーブレット技術、および／または同等物を含んでもよいが、それらに限定されない。ＴＤＭＡ／ＣＤＭＡおよびＯＦＤＭ／ＣＤＭＡ等のハイブリッド伝送機構もまた、採用されてもよい。種々の変調スキームが、物理層内の信号伝送のために適用されてもよい。変調スキームの実施例は、位相、振幅、コード、これらの組み合わせ、および／または同等物を含んでもよいが、それらに限定されない。例示的無線伝送方法は、ＢＰＳＫ、ＱＰＳＫ、１６−ＱＡＭ、６４−ＱＡＭ、２５６−ＱＡＭ、および／または同等物を使用して、ＱＡＭを実装し得る。物理無線伝送は、伝送要件および無線条件に応じて、変調およびコーディングスキームを動的または半動的に変化させることによって強化され得る。
本発明は、例えば、以下を提供する。
（項目１）
方法であって、
無線デバイスによって、認可支援アクセス（ＬＡＡ）セルの１つまたはそれを上回る連続アップリンクサブフレームの数の中のアップリンクリソースを示すダウンリンク制御情報（ＤＣＩ）を受信するステップであって、前記ＤＣＩは、
前記１つまたはそれを上回る連続アップリンクサブフレームの前記数と、
ハイブリッド自動反復要求プロセス番号（ＨＡＲＱ  ＩＤ）と
を備える、ステップと、
前記ＤＣＩおよび第１のＨＡＲＱ  ＩＤに従って、前記１つまたはそれを上回る連続アップリンクサブフレームのうちの第１のサブフレーム上で１つまたはそれを上回るトランスポートブロックを伝送するステップと
を含み、
前記第１のＨＡＲＱ  ＩＤは、前記第１のサブフレームに関して（第１の事前構成された数を法とする（前記ＨＡＲＱ  ＩＤ＋ｉ））であり、ｉは、前記１つまたはそれを上回る連続アップリンクサブフレームの中の前記第１のサブフレームのサブフレーム位置を示す、方法。
（項目２）
ｉは、開始サブフレームに関してゼロの値を有する、項目１に記載の方法。
（項目３）
ｉは、終了サブフレームに関してマイナス１の数の値を有する、項目１に記載の方法。
（項目４）
前記ＤＣＩはさらに、
前記１つまたはそれを上回る連続アップリンクサブフレームの前記数、
複数のリソースブロックの割当、または
伝送電力制御コマンド
のうちの少なくとも１つを備える、項目１に記載の方法。
（項目５）
前記ＤＣＩはさらに、
変調およびコーディングスキーム、
冗長性バージョン（ＲＶ）、または
新規データインジケータ（ＮＤＩ）
のうちの少なくとも１つを備える、項目１に記載の方法。
（項目６）
前記第１の事前構成された数は、前記無線デバイスによってサポートされるＨＡＲＱプロセスの数に依存する、項目１に記載の方法。
（項目７）
チャネルが前記１つまたはそれを上回る連続アップリンクサブフレームのうちの開始サブフレームのためにクリアであることを示すトーク前リッスンプロシージャを実施するステップをさらに含む、項目１に記載の方法。
（項目８）
前記１つまたはそれを上回る連続アップリンクサブフレームの前記数は、前記第１の事前構成された数未満である、項目１に記載の方法。
（項目９）
前記第１のＨＡＲＱ  ＩＤは、非同期ＨＡＲＱと関連付けられる、項目１に記載の方法。
（項目１０）
前記ＤＣＩは、ＨＡＲＱプロセスの第１の数と関連付けられ、前記ＨＡＲＱプロセスの第１の数は、前記１つまたはそれを上回る連続アップリンクサブフレームの前記数に等しい、項目１に記載の方法。
（項目１１）
前記無線デバイスによって、認可支援アクセス（ＬＡＡ）セルの構成パラメータを備える１つまたはそれを上回る無線リソース制御（ＲＲＣ）メッセージを受信するステップをさらに含み、前記１つまたはそれを上回るＲＲＣメッセージはさらに、第１のフィールドを備える１つまたはそれを上回る連続アップリンクサブフレーム配分構成パラメータを備え、前記第１のフィールドは、前記１つまたはそれを上回る連続アップリンクサブフレームの前記数の上限を示す、項目１に記載の方法。
（項目１２）
無線デバイスであって、
１つまたはそれを上回るプロセッサと、
命令を記憶するメモリであって、前記命令は、前記１つまたはそれを上回るプロセッサによって実行されると、前記無線デバイスに、
認可支援アクセス（ＬＡＡ）セルの１つまたはそれを上回る連続アップリンクサブフレームの数の中のアップリンクリソースを示すダウンリンク制御情報（ＤＣＩ）を受信することであって、前記ＤＣＩは、
前記１つまたはそれを上回る連続アップリンクサブフレームの前記数と、
ハイブリッド自動反復要求プロセス番号（ＨＡＲＱ  ＩＤ）と
を備える、ことと、
前記ＤＣＩおよび第１のＨＡＲＱ  ＩＤに従って、前記１つまたはそれを上回る連続アップリンクサブフレームのうちの第１のサブフレーム上で１つまたはそれを上回るトランスポートブロックを伝送することと
を行わせる、メモリと
を備え、
前記第１のＨＡＲＱ  ＩＤは、前記第１のサブフレームに関して（第１の事前構成された数を法とする（前記ＨＡＲＱ  ＩＤ＋ｉ））であり、ｉは、前記１つまたはそれを上回る連続アップリンクサブフレームの中の前記第１のサブフレームのサブフレーム位置を示す、無線デバイス。
（項目１３）
ｉは、開始サブフレームに関してゼロの値を有する、項目１２に記載の無線デバイス。
（項目１４）
ｉは、終了サブフレームに関してマイナス１の数の値を有する、項目１２に記載の無線デバイス。
（項目１５）
前記ＤＣＩはさらに、
前記１つまたはそれを上回る連続アップリンクサブフレームの前記数、
複数のリソースブロックの割当、または
伝送電力制御コマンド
のうちの少なくとも１つを備える、項目１２に記載の無線デバイス。
（項目１６）
前記ＤＣＩはさらに、
変調およびコーディングスキーム、
冗長性バージョン（ＲＶ）、または
新規データインジケータ（ＮＤＩ）
のうちの少なくとも１つを備える、項目１２に記載の無線デバイス。
（項目１７）
前記第１の事前構成された数は、前記無線デバイスによってサポートされるＨＡＲＱプロセスの数に依存する、項目１２に記載の無線デバイス。
（項目１８）
命令はさらに、前記１つまたはそれを上回るプロセッサによって実行されると、前記無線デバイスに、チャネルが前記１つまたはそれを上回る連続アップリンクサブフレームのうちの開始サブフレームのためにクリアであることを示すトーク前リッスンプロシージャを実施させる、項目１２に記載の無線デバイス。
（項目１９）
前記１つまたはそれを上回る連続アップリンクサブフレームの前記数は、前記第１の事前構成された数未満である、項目１２に記載の無線デバイス。
（項目２０）
前記第１のＨＡＲＱ  ＩＤは、非同期ＨＡＲＱと関連付けられる、項目１２に記載の無線デバイス。
（項目２１）
前記ＤＣＩは、ＨＡＲＱプロセスの第１の数と関連付けられ、前記ＨＡＲＱプロセスの第１の数は、前記１つまたはそれを上回る連続アップリンクサブフレームの前記数に等しい、項目１２に記載の無線デバイス。
（項目２２）
命令はさらに、前記１つまたはそれを上回るプロセッサによって実行されると、前記無線デバイスに、認可支援アクセス（ＬＡＡ）セルの構成パラメータを備える１つまたはそれを上回る無線リソース制御（ＲＲＣ）メッセージを受信させ、前記１つまたはそれを上回るＲＲＣメッセージはさらに、第１のフィールドを備える１つまたはそれを上回る連続アップリンクサブフレーム配分構成パラメータを備え、前記第１のフィールドは、前記１つまたはそれを上回る連続アップリンクサブフレームの前記数の上限を示す、項目１２に記載の無線デバイス。
（項目２３）
方法であって、
基地局によって、認可支援アクセス（ＬＡＡ）セルの１つまたはそれを上回る連続アップリンクサブフレームの数の中のアップリンクリソースを示すダウンリンク制御情報（ＤＣＩ）を伝送するステップであって、前記ＤＣＩは、
前記１つまたはそれを上回る連続アップリンクサブフレームの前記数と、
ハイブリッド自動反復要求プロセス番号（ＨＡＲＱ  ＩＤ）と
を備える、ステップと、
前記ＤＣＩおよび第１のＨＡＲＱ  ＩＤに従って、前記１つまたはそれを上回る連続アップリンクサブフレームのうちの第１のサブフレーム上で１つまたはそれを上回るトランスポートブロックを受信するステップと
を含み、
前記第１のＨＡＲＱ  ＩＤは、前記第１のサブフレームに関して（第１の事前構成された数を法とする（前記ＨＡＲＱ  ＩＤ＋ｉ））であり、ｉは、前記１つまたはそれを上回る連続アップリンクサブフレームの中の前記第１のサブフレームのサブフレーム位置を示す、方法。
（項目２４）
ｉは、開始サブフレームに関してゼロの値を有する、項目２３に記載の方法。
（項目２５）
ｉは、終了サブフレームに関してマイナス１の数の値を有する、項目２３に記載の方法。
（項目２６）
前記ＤＣＩはさらに、
前記１つまたはそれを上回る連続アップリンクサブフレームの前記数、
複数のリソースブロックの割当、または
伝送電力制御コマンド
のうちの少なくとも１つを備える、項目２３に記載の方法。
（項目２７）
前記ＤＣＩはさらに、
変調およびコーディングスキーム、
冗長性バージョン（ＲＶ）、または
新規データインジケータ（ＮＤＩ）
のうちの少なくとも１つを備える、項目２３に記載の方法。
（項目２８）
前記第１の事前構成された数は、前記無線デバイスによってサポートされるＨＡＲＱプロセスの数に依存する、項目２３に記載の方法。
（項目２９）
前記１つまたはそれを上回る連続アップリンクサブフレームの前記数は、前記第１の事前構成された数未満である、項目２３に記載の方法。
（項目３０）
前記第１のＨＡＲＱ  ＩＤは、非同期ＨＡＲＱと関連付けられる、項目２３に記載の方法。
（項目３１）
前記ＤＣＩは、ＨＡＲＱプロセスの第１の数と関連付けられ、前記ＨＡＲＱプロセスの第１の数は、前記１つまたはそれを上回る連続アップリンクサブフレームの前記数に等しい、項目２３に記載の方法。
（項目３２）
認可支援アクセス（ＬＡＡ）セルの構成パラメータを備える１つまたはそれを上回る無線リソース制御（ＲＲＣ）メッセージを伝送するステップをさらに含み、前記１つまたはそれを上回るＲＲＣメッセージはさらに、第１のフィールドを備える１つまたはそれを上回る連続アップリンクサブフレーム配分構成パラメータを備え、前記第１のフィールドは、前記１つまたはそれを上回る連続アップリンクサブフレームの前記数の上限を示す、項目２３に記載の方法。
（項目３３）
基地局であって、
１つまたはそれを上回るプロセッサと、
命令を記憶するメモリであって、前記命令は、前記１つまたはそれを上回るプロセッサによって実行されると、前記基地局に、
認可支援アクセス（ＬＡＡ）セルの１つまたはそれを上回る連続アップリンクサブフレームの数の中のアップリンクリソースを示すダウンリンク制御情報（ＤＣＩ）を伝送することであって、前記ＤＣＩは、
前記１つまたはそれを上回る連続アップリンクサブフレームの前記数と、
ハイブリッド自動反復要求プロセス番号（ＨＡＲＱ  ＩＤ）と
を備える、ことと、
前記ＤＣＩおよび第１のＨＡＲＱ  ＩＤに従って、前記１つまたはそれを上回る連続アップリンクサブフレームのうちの第１のサブフレーム上で１つまたはそれを上回るトランスポートブロックを受信することと
を行わせる、メモリと
を備え、
前記第１のＨＡＲＱ  ＩＤは、前記第１のサブフレームに関して（第１の事前構成された数を法とする（前記ＨＡＲＱ  ＩＤ＋ｉ））であり、ｉは、前記１つまたはそれを上回る連続アップリンクサブフレームの中の前記第１のサブフレームのサブフレーム位置を示す、基地局。
（項目３４）
ｉは、開始サブフレームに関してゼロの値を有する、項目３３に記載の基地局。
（項目３５）
ｉは、終了サブフレームに関してマイナス１の数の値を有する、項目３３に記載の基地局。
（項目３６）
前記ＤＣＩはさらに、
前記１つまたはそれを上回る連続アップリンクサブフレームの前記数、
複数のリソースブロックの割当、または
伝送電力制御コマンド
のうちの少なくとも１つを備える、項目３３に記載の基地局。
（項目３７）
前記ＤＣＩはさらに、
変調およびコーディングスキーム、
冗長性バージョン（ＲＶ）、または
新規データインジケータ（ＮＤＩ）
のうちの少なくとも１つを備える、項目３３に記載の基地局。
（項目３８）
前記第１の事前構成された数は、前記無線デバイスによってサポートされるＨＡＲＱプロセスの数に依存する、項目３３に記載の基地局。
（項目３９）
前記１つまたはそれを上回る連続アップリンクサブフレームの前記数は、前記第１の事前構成された数未満である、項目３３に記載の基地局。
（項目４０）
前記第１のＨＡＲＱ  ＩＤは、非同期ＨＡＲＱと関連付けられる、項目３３に記載の基地局。
（項目４１）
前記ＤＣＩは、ＨＡＲＱプロセスの第１の数と関連付けられ、前記ＨＡＲＱプロセスの第１の数は、前記１つまたはそれを上回る連続アップリンクサブフレームの前記数に等しい、項目３３に記載の基地局。
（項目４２）
命令はさらに、前記１つまたはそれを上回るプロセッサによって実行されると、前記基地局に、認可支援アクセス（ＬＡＡ）セルの構成パラメータを備える１つまたはそれを上回る無線リソース制御（ＲＲＣ）メッセージを伝送させ、前記１つまたはそれを上回るＲＲＣメッセージはさらに、第１のフィールドを備える１つまたはそれを上回る連続アップリンクサブフレーム配分構成パラメータを備え、前記第１のフィールドは、前記１つまたはそれを上回る連続アップリンクサブフレームの前記数の上限を示す、項目３３に記載の基地局。
（項目４３）
方法であって、
無線デバイスによって、１つまたはそれを上回る連続アップリンクサブフレームの数の中のダウンリンク制御情報（ＤＣＩ）を受信するステップであって、前記ＤＣＩは、ハイブリッド自動反復要求プロセス番号（ＨＡＲＱ  ＩＤ）を備える、ステップと、
前記ＤＣＩおよび第１のＨＡＲＱ  ＩＤに従って、前記１つまたはそれを上回る連続アップリンクサブフレームのうちの第１のサブフレーム内で１つまたはそれを上回るトランスポートブロックを伝送するステップと
を含み、
前記第１のサブフレームと関連付けられる前記第１のＨＡＲＱ  ＩＤは、前記ＨＡＲＱ
ＩＤおよび前記１つまたはそれを上回る連続アップリンクサブフレームの中の前記第１のサブフレームの位置に基づいて計算される、方法。
（項目４４）
前記ＤＣＩはさらに、
前記１つまたはそれを上回る連続アップリンクサブフレームの前記数、
複数のリソースブロックの割当、または
伝送電力制御コマンド
のうちの少なくとも１つを備える、項目４３に記載の方法。
（項目４５）
前記ＤＣＩはさらに、
変調およびコーディングスキーム、
冗長性バージョン（ＲＶ）、または
新規データインジケータ（ＮＤＩ）
のうちの少なくとも１つを備える、項目４３に記載の方法。
（項目４６）
チャネルが前記１つまたはそれを上回る連続アップリンクサブフレームのうちの開始サブフレームのためにクリアであることを示すトーク前リッスンプロシージャを実行するステップをさらに含む、項目４３に記載の方法。
（項目４７）
前記１つまたはそれを上回る連続アップリンクサブフレームの前記数は、前記第１の事前構成された数未満である、項目４３に記載の方法。
（項目４８）
前記第１のＨＡＲＱ  ＩＤは、非同期ＨＡＲＱと関連付けられる、項目４３に記載の方法。
（項目４９）
前記ＤＣＩは、ＨＡＲＱプロセスの第１の数と関連付けられ、前記ＨＡＲＱプロセスの第１の数は、前記１つまたはそれを上回る連続アップリンクサブフレームの前記数に等しい、項目４３に記載の方法。
（項目５０）
前記無線デバイスによって、認可支援アクセス（ＬＡＡ）セルの構成パラメータを備える１つまたはそれを上回る無線リソース制御（ＲＲＣ）メッセージを受信するステップをさらに含み、前記１つまたはそれを上回るＲＲＣメッセージはさらに、第１のフィールドを備える１つまたはそれを上回る連続アップリンクサブフレーム配分構成パラメータを備え、前記第１のフィールドは、前記１つまたはそれを上回る連続アップリンクサブフレームの前記数の上限を示す、項目４３に記載の方法。
（項目５１）
方法であって、
基地局によって、１つまたはそれを上回る連続アップリンクサブフレームの数の中のダウンリンク制御情報（ＤＣＩ）を伝送するステップであって、前記ＤＣＩは、ハイブリッド自動反復要求プロセス番号（ＨＡＲＱ  ＩＤ）を備える、ステップと、
前記ＤＣＩおよび第１のＨＡＲＱ  ＩＤに従って、前記１つまたはそれを上回る連続アップリンクサブフレームのうちの第１のサブフレーム内で１つまたはそれを上回るトランスポートブロックを受信するステップと
を含み、
前記第１のサブフレームと関連付けられる前記第１のＨＡＲＱ  ＩＤは、前記ＨＡＲＱ
ＩＤおよび前記１つまたはそれを上回る連続アップリンクサブフレームの中の前記第１のサブフレームの位置に基づいて計算される、方法。
（項目５２）
前記ＤＣＩはさらに、
前記１つまたはそれを上回る連続アップリンクサブフレームの前記数、
複数のリソースブロックの割当、または
伝送電力制御コマンド
のうちの少なくとも１つを備える、項目５１に記載の方法。
（項目５３）
前記ＤＣＩはさらに、
変調およびコーディングスキーム、
冗長性バージョン（ＲＶ）、または
新規データインジケータ（ＮＤＩ）
のうちの少なくとも１つを備える、項目５１に記載の方法。
（項目５４）
チャネルが前記１つまたはそれを上回る連続アップリンクサブフレームのうちの開始サブフレームのためにクリアであることを示すトーク前リッスンプロシージャを実施するステップをさらに含む、項目５１に記載の方法。
（項目５５）
前記１つまたはそれを上回る連続アップリンクサブフレームの前記数は、前記第１の事前構成された数未満である、項目５１に記載の方法。
（項目５６）
前記第１のＨＡＲＱ  ＩＤは、非同期ＨＡＲＱと関連付けられる、項目５１に記載の方法。
（項目５７）
前記ＤＣＩは、ＨＡＲＱプロセスの第１の数と関連付けられ、前記ＨＡＲＱプロセスの第１の数は、前記１つまたはそれを上回る連続アップリンクサブフレームの前記数に等しい、項目５１に記載の方法。
（項目５８）
前記基地局によって、認可支援アクセス（ＬＡＡ）セルの構成パラメータを備える１つまたはそれを上回る無線リソース制御（ＲＲＣ）メッセージを伝送するステップをさらに含み、前記１つまたはそれを上回るＲＲＣメッセージはさらに、第１のフィールドを備える１つまたはそれを上回る連続アップリンクサブフレーム配分構成パラメータを備え、前記第１のフィールドは、前記１つまたはそれを上回る連続アップリンクサブフレームの前記数の上限を示す、項目５１に記載の方法。
（項目５９）
方法であって、
無線デバイスによって、１つまたはそれを上回るサブフレームに対する許可を受信するステップであって、前記許可は、ハイブリッド自動反復要求プロセス番号（ＨＡＲＱ  ＩＤ）を備える、ステップと、
前記ＨＡＲＱ  ＩＤおよび１つまたはそれを上回るサブフレームの中のサブフレームの位置に基づいて計算されている第１のＨＡＲＱ  ＩＤを採用して、前記１つまたはそれを上回るサブフレームのうちの前記サブフレーム内でトランスポートブロックを伝送するステップと
を含む、方法。
（項目６０）
前記許可はさらに、
前記１つまたはそれを上回る連続アップリンクサブフレームの数、
複数のリソースブロックの割当、または
伝送電力制御コマンド
のうちの少なくとも１つを備える、項目５９に記載の方法。
（項目６１）
前記許可はさらに、
変調およびコーディングスキーム、
冗長性バージョン（ＲＶ）、または
新規データインジケータ（ＮＤＩ）
のうちの少なくとも１つを備える、項目５９に記載の方法。
（項目６２）
チャネルが前記１つまたはそれを上回る連続アップリンクサブフレームのうちの開始サブフレームのためにクリアであることを示すトーク前リッスンプロシージャを実施するステップをさらに含む、項目５９に記載の方法。
（項目６３）
前記１つまたはそれを上回るサブフレームの数は、前記第１の事前構成された数未満である、項目５９に記載の方法。
（項目６４）
方法であって、
基地局によって、１つまたはそれを上回るサブフレームに対する許可を伝送するステップであって、前記許可は、ハイブリッド自動反復要求プロセス番号（ＨＡＲＱ  ＩＤ）を備える、ステップと、
前記ＨＡＲＱ  ＩＤおよび前記１つまたはそれを上回るサブフレームの中のサブフレームの位置に基づいて計算されている第１のＨＡＲＱ  ＩＤを採用して、前記１つまたはそれを上回るサブフレームのうちの前記サブフレーム内でトランスポートブロックを受信するステップと
を含む、方法。
（項目６５）
前記許可はさらに、
前記１つまたはそれを上回る連続アップリンクサブフレームの数、
複数のリソースブロックの割当、または
伝送電力制御コマンド
のうちの少なくとも１つを備える、項目６４に記載の方法。
（項目６６）
前記許可はさらに、
変調およびコーディングスキーム、
冗長性バージョン（ＲＶ）、または
新規データインジケータ（ＮＤＩ）
のうちの少なくとも１つを備える、項目６４に記載の方法。
（項目６７）
チャネルが前記１つまたはそれを上回る連続アップリンクサブフレームのうちの開始サブフレームのためにクリアであることを示すトーク前リッスンプロシージャを実施するステップをさらに含む、項目６４に記載の方法。
（項目６８）
前記１つまたはそれを上回るサブフレームの数は、前記第１の事前構成された数未満である、項目６４に記載の方法。
（項目６９）
無線デバイスであって、
１つまたはそれを上回るプロセッサと、
命令を記憶するメモリであって、前記命令は、前記１つまたはそれを上回るプロセッサによって実行されると、前記無線デバイスに、
１つまたはそれを上回るサブフレームに対する許可を受信することであって、前記許可は、ハイブリッド自動反復要求プロセス番号（ＨＡＲＱ  ＩＤ）を備える、ことと、
前記ＨＡＲＱ  ＩＤおよび前記１つまたはそれを上回るサブフレームの中のサブフレームの位置に基づいて計算されている第１のＨＡＲＱ  ＩＤを採用して、前記１つまたはそれを上回るサブフレームのうちの前記サブフレーム内でトランスポートブロックを伝送することと
を行わせる、メモリと
を備える、無線デバイス。
（項目７０）
基地局であって、
１つまたはそれを上回るプロセッサと、
命令を記憶するメモリであって、前記命令は、前記１つまたはそれを上回るプロセッサによって実行されると、前記基地局に、
１つまたはそれを上回るサブフレームに対する許可を伝送することであって、前記許可は、ハイブリッド自動反復要求プロセス番号（ＨＡＲＱ  ＩＤ）を備える、ことと、
前記ＨＡＲＱ  ＩＤおよび前記１つまたはそれを上回るサブフレームの中のサブフレームの位置に基づいて計算されている第１のＨＡＲＱ  ＩＤを採用して、前記１つまたはそれを上回るサブフレームのうちの前記サブフレーム内でトランスポートブロックを受信することと
を行わせる、メモリと
を備える、基地局。
（項目７１）
方法であって、
認可支援アクセス（ＬＡＡ）セルの構成パラメータを備える１つまたはそれを上回る無線リソース制御（ＲＲＣ）メッセージを受信するステップであって、前記構成パラメータは、１つまたはそれを上回る連続アップリンクサブフレーム配分構成パラメータを備える、ステップと、
前記ＬＡＡセルの１つまたはそれを上回る連続アップリンクサブフレームの数の中のアップリンクリソースを示すダウンリンク制御情報（ＤＣＩ）を受信するステップであって、前記ＤＣＩは、
前記１つまたはそれを上回る連続アップリンクサブフレームの前記数と、
複数のリソースブロックの割当と、
伝送電力制御コマンドと
を備える、ステップと、
チャネルが前記１つまたはそれを上回る連続アップリンクサブフレームのうちの開始サブフレームのためにクリアであることを示すトーク前リッスンプロシージャを実施するステップと、
前記１つまたはそれを上回る連続アップリンクサブフレームを横断して使用される前記複数のリソースブロックを介して、１つまたはそれを上回るトランスポートブロックを伝送するステップであって、前記１つまたはそれを上回る連続アップリンクサブフレームのうちの各サブフレーム内の前記１つまたはそれを上回るトランスポートブロックの伝送電力は、
前記伝送電力制御コマンドを採用し、
各サブフレーム内の全伝送電力が各サブフレーム内の電力値を超えるときに、各サブフレーム内で調節される、
ステップと
を含む、方法。
（項目７２）
前記ＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、項目７１に記載の方法。
（項目７３）
前記１つまたはそれを上回る連続アップリンクサブフレームの前記数は、無線デバイスによってサポートされるＨＡＲＱプロセスの数未満である、項目７１に記載の方法。
（項目７４）
前記伝送電力の計算は、測定されたパスロス値を採用する、項目７１に記載の方法。
（項目７５）
前記１つまたはそれを上回る連続アップリンクサブフレームのうちの各サブフレーム内の前記１つまたはそれを上回るトランスポートブロックの前記伝送電力は、同一の調節係数を採用し、前記調節係数は、前記伝送電力制御コマンドを採用して計算される、項目７１に記載の方法。
（項目７６）
検出されたチャネルエネルギーがある閾値を下回るときに、前記チャネルがクリアであることを示す前記トーク前リッスンプロシージャをさらに含む、項目７１に記載の方法。
（項目７７）
前記トーク前リッスンプロシージャの１つまたはそれを上回るパラメータは、前記１つまたはそれを上回るトランスポートブロックのうちの少なくとも１つの優先クラスに依存する、項目７１に記載の方法。
（項目７８）
トランスポートブロックは、非同期ＨＡＲＱプロセスと関連付けられる、項目７１に記載の方法。
（項目７９）
前記１つまたはそれを上回る連続アップリンクサブフレームの中の各サブフレームは、ＨＡＲＱ識別子と関連付けられ、前記ＨＡＲＱ識別子は、前記１つまたはそれを上回る連続アップリンクサブフレームの中のサブフレームの位置に依存する、項目７１に記載の方法。
（項目８０）
前記１つまたはそれを上回る連続アップリンクサブフレームのうちのサブフレーム内でサウンディング参照信号（ＳＲＳ）を伝送するステップをさらに含み、前記ＳＲＳの伝送電力は、前記伝送電力制御コマンドを採用して計算される、項目７１に記載の方法。
（項目８１）
前記１つまたはそれを上回る連続アップリンクサブフレーム配分構成パラメータは、第１のフィールドを備え、前記第１のフィールドは、前記１つまたはそれを上回る連続アップリンクサブフレームの数の上限を示す、項目７１に記載の方法。
（項目８２）
無線デバイスであって、
１つまたはそれを上回るプロセッサと、
命令を記憶するメモリであって、前記命令は、前記１つまたはそれを上回るプロセッサによって実行されると、前記無線デバイスに、
認可支援アクセス（ＬＡＡ）セルの構成パラメータを備える１つまたはそれを上回る無線リソース制御（ＲＲＣ）メッセージを受信することであって、前記１つまたはそれを上回る構成パラメータは、１つまたはそれを上回る連続アップリンクサブフレーム配分構成パラメータを備える、ことと、
前記ＬＡＡセルの１つまたはそれを上回る連続アップリンクサブフレームの数の中のアップリンクリソースを示すダウンリンク制御情報（ＤＣＩ）を受信することであって、前記ＤＣＩは、
前記１つまたはそれを上回る連続アップリンクサブフレームの前記数と、
複数のリソースブロックの割当と、
伝送電力制御コマンドと
を備える、ことと、
チャネルが前記１つまたはそれを上回る連続アップリンクサブフレームのうちの開始サブフレームのためにクリアであることを示すトーク前リッスンプロシージャを実施することと、
前記１つまたはそれを上回る連続アップリンクサブフレームにわたって採用される前記複数のリソースブロックを介して、１つまたはそれを上回るトランスポートブロックを伝送することであって、前記１つまたはそれを上回る連続アップリンクサブフレームのうちの各サブフレーム内の前記１つまたはそれを上回るトランスポートブロックの伝送電力は、
前記伝送電力制御コマンドを採用し、
各サブフレーム内の全伝送電力が各サブフレーム内の電力値を超えるときに、各サブフレーム内で調節される、ことと
を行わせる、メモリと
を備える、無線デバイス。
（項目８３）
前記ＤＣＩはさらに、
変調およびコーディングスキームと、
ハイブリッド自動反復要求（ＨＡＲＱ）識別子と、
冗長性バージョン（ＲＶ）と、
新規データインジケータ（ＮＤＩ）と
のうちの少なくとも１つを備える、項目８２に記載の無線デバイス。
（項目８４）
前記１つまたはそれを上回る連続アップリンクサブフレームの前記数は、前記無線デバイスによってサポートされるＨＡＲＱプロセスの数未満である、項目８２に記載の無線デバイス。
（項目８５）
前記伝送電力の計算は、測定されたパスロス値を採用する、項目８２に記載の無線デバイス。
（項目８６）
前記１つまたはそれを上回る連続アップリンクサブフレームのうちの各サブフレーム内の前記１つまたはそれを上回るトランスポートブロックの前記伝送電力は、同一の調節係数を採用し、前記調節係数は、前記伝送電力制御コマンドを採用して計算される、項目８２に記載の無線デバイス。
（項目８７）
前記トーク前リッスンプロシージャは、検出されたチャネルエネルギーがある閾値を下回るときに、前記チャネルがクリアであることを示す、項目８２に記載の無線デバイス。
（項目８８）
前記トーク前リッスンプロシージャの１つまたはそれを上回るパラメータは、前記１つまたはそれを上回るトランスポートブロックのうちの少なくとも１つの優先クラスに依存する、項目８２に記載の無線デバイス。
（項目８９）
前記１つまたはそれを上回る連続アップリンクサブフレームの中の各サブフレームは、ＨＡＲＱ識別子と関連付けられ、前記ＨＡＲＱ識別子は、前記１つまたはそれを上回る連続アップリンクサブフレームの中のサブフレームの位置に依存する、項目８２に記載の無線デバイス。
（項目９０）
前記命令はさらに、前記１つまたはそれを上回るプロセッサによって実行されると、前記無線デバイスに、前記１つまたはそれを上回る連続アップリンクサブフレームのうちのサブフレーム内でサウンディング参照信号（ＳＲＳ）を伝送させ、前記ＳＲＳの伝送電力は、前記伝送電力制御コマンドを採用して計算される、項目８２に記載の無線デバイス。
（項目９１）
方法であって、
認可支援アクセス（ＬＡＡ）セルの構成パラメータを備える１つまたはそれを上回る無線リソース制御（ＲＲＣ）メッセージを受信するステップであって、前記１つまたはそれを上回る構成パラメータは、１つまたはそれを上回るアップリンクサブフレーム配分構成パラメータを備える、ステップと、
前記ＬＡＡセルの１つまたはそれを上回る連続アップリンクサブフレームの数の中のアップリンクリソースを示すダウンリンク制御情報（ＤＣＩ）を受信するステップであって、前記ＤＣＩは、
前記１つまたはそれを上回る連続アップリンクサブフレームの前記数と
複数のリソースブロックの割当と
を備える、ステップと、
チャネルが前記１つまたはそれを上回る連続アップリンクサブフレームのうちの開始サブフレームのためにクリアであることを示すトーク前リッスンプロシージャを実施するステップと、
前記１つまたはそれを上回る連続アップリンクサブフレームにわたって使用される前記複数のリソースブロックを介して、前記１つまたはそれを上回る連続アップリンクサブフレーム内で１つまたはそれを上回るトランスポートブロックを伝送するステップと
を含む、方法。
（項目９２）
前記ＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、項目９１に記載の方法。
（項目９３）
前記１つまたはそれを上回る連続アップリンクサブフレームの前記数は、無線デバイスによってサポートされるＨＡＲＱプロセスの数未満である、項目９１に記載の方法。
（項目９４）
検出されたチャネルエネルギーがある閾値を下回るときに、前記チャネルがクリアであることを示す前記トーク前リッスンプロシージャをさらに含む、項目９１に記載の方法。
（項目９５）
前記トーク前リッスンプロシージャの１つまたはそれを上回るパラメータは、前記１つまたはそれを上回るトランスポートブロックのうちの少なくとも１つの優先クラスに依存する、項目９１に記載の方法。
（項目９６）
トランスポートブロックは、非同期ＨＡＲＱプロセスと関連付けられる、項目９１に記載の方法。
（項目９７）
前記１つまたはそれを上回る連続アップリンクサブフレームの中の各サブフレームは、ＨＡＲＱ識別子と関連付けられ、前記ＨＡＲＱ識別子は、前記１つまたはそれを上回る連続アップリンクサブフレームの中のサブフレームの位置に依存する、項目９１に記載の方法。
（項目９８）
前記１つまたはそれを上回る連続アップリンクサブフレーム配分構成パラメータは、第１のフィールドを備え、前記第１のフィールドは、前記１つまたはそれを上回る連続アップリンクサブフレームの数の上限を示す、項目９１に記載の方法。
（項目９９）
無線デバイスであって、
１つまたはそれを上回るプロセッサと、
命令を記憶するメモリであって、前記命令は、前記１つまたはそれを上回るプロセッサによって実行されると、前記無線デバイスに、
認可支援アクセス（ＬＡＡ）セルの構成パラメータを備える１つまたはそれを上回る無線リソース制御（ＲＲＣ）メッセージを受信することであって、前記構成パラメータは、１つまたはそれを上回るアップリンクサブフレーム配分構成パラメータを備える、ことと、
前記ＬＡＡセルの１つまたはそれを上回る連続アップリンクサブフレームの数の中のアップリンクリソースを示すダウンリンク制御情報（ＤＣＩ）を受信することであって、前記ＤＣＩは、
前記１つまたはそれを上回る連続アップリンクサブフレームの前記数と、
複数のリソースブロックの割当と
を備える、ことと、
チャネルが前記１つまたはそれを上回る連続アップリンクサブフレームのうちの開始サブフレームのためにクリアであることを示すトーク前リッスンプロシージャを実施することと、
前記１つまたはそれを上回る連続アップリンクサブフレームにわたって使用される前記複数のリソースブロックを介して、前記１つまたはそれを上回る連続アップリンクサブフレーム内で１つまたはそれを上回るトランスポートブロックを伝送することと
を行わせる、メモリと
を備える、無線デバイス。
（項目１００）
前記ＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、項目９９に記載の無線デバイス。
（項目１０１）
前記１つまたはそれを上回る連続アップリンクサブフレームの前記数は、無線デバイスによってサポートされるＨＡＲＱプロセスの数未満である、項目９９に記載の無線デバイス。
（項目１０２）
検出されたチャネルエネルギーがある閾値を下回るときに、前記チャネルがクリアであることを示す前記トーク前リッスンプロシージャをさらに含む、項目９９に記載の無線デバイス。
（項目１０３）
前記トーク前リッスンプロシージャの１つまたはそれを上回るパラメータは、前記１つまたはそれを上回るトランスポートブロックのうちの少なくとも１つの優先クラスに依存する、項目９９に記載の無線デバイス。
（項目１０４）
トランスポートブロックは、非同期ＨＡＲＱプロセスと関連付けられる、項目９９に記載の無線デバイス。
（項目１０５）
前記１つまたはそれを上回る連続アップリンクサブフレームの中の各サブフレームは、ＨＡＲＱ識別子と関連付けられ、前記ＨＡＲＱ識別子は、前記１つまたはそれを上回る連続アップリンクサブフレームの中のサブフレームの位置に依存する、項目９９に記載の無線デバイス。
（項目１０６）
前記１つまたはそれを上回る連続アップリンクサブフレーム配分構成パラメータは、第１のフィールドを備え、前記第１のフィールドは、前記１つまたはそれを上回る連続アップリンクサブフレームの数の上限を示す、項目９９に記載の無線デバイス。
（項目１０７）
方法であって、
認可支援アクセス（ＬＡＡ）セルの１つまたはそれを上回る連続アップリンクサブフレームの数の中のアップリンクリソースを示すダウンリンク制御情報（ＤＣＩ）を受信するステップであって、前記ＤＣＩは、
前記１つまたはそれを上回る連続アップリンクサブフレームの前記数と、
複数のリソースブロックの割当と
を備える、ステップと、
前記１つまたはそれを上回る連続アップリンクサブフレームにわたって使用される前記複数のリソースブロックを介して、前記１つまたはそれを上回る連続アップリンクサブフレーム内で１つまたはそれを上回るトランスポートブロックを伝送するステップと
を含む、方法。
（項目１０８）
前記ＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、項目１０７に記載の方法。
（項目１０９）
前記１つまたはそれを上回る連続アップリンクサブフレームの前記数は、無線デバイスによってサポートされるＨＡＲＱプロセスの数未満である、項目１０７に記載の方法。
（項目１１０）
検出されたチャネルエネルギーがある閾値を下回るときに、前記チャネルがクリアであることを示すトーク前リッスンプロシージャをさらに含む、項目１０７に記載の方法。
（項目１１１）
前記トーク前リッスンプロシージャの１つまたはそれを上回るパラメータは、前記１つまたはそれを上回るトランスポートブロックのうちの少なくとも１つの優先クラスに依存する、項目１０７に記載の方法。
（項目１１２）
トランスポートブロックは、非同期ＨＡＲＱプロセスと関連付けられる、項目１０７に記載の方法。
（項目１１３）
前記１つまたはそれを上回る連続アップリンクサブフレームの中の各サブフレームは、ＨＡＲＱ識別子と関連付けられ、前記ＨＡＲＱ識別子は、前記１つまたはそれを上回る連続アップリンクサブフレームの中のサブフレームの位置に依存する、項目１０７に記載の方法。
（項目１１４）
前記１つまたはそれを上回る連続アップリンクサブフレーム配分構成パラメータは、第１のフィールドを備え、前記第１のフィールドは、前記１つまたはそれを上回る連続アップリンクサブフレームの数の上限を示す、項目１０７に記載の方法。
（項目１１５）
無線デバイスであって、
１つまたはそれを上回るプロセッサと、
命令を記憶するメモリであって、前記命令は、前記１つまたはそれを上回るプロセッサによって実行されると、前記無線デバイスに、
認可支援アクセス（ＬＡＡ）セルの１つまたはそれを上回る連続アップリンクサブフレームの数の中のアップリンクリソースを示すダウンリンク制御情報（ＤＣＩ）を受信することであって、前記ＤＣＩは、
前記１つまたはそれを上回る連続アップリンクサブフレームの前記数と、
複数のリソースブロックの割当と
を備える、ことと、
前記１つまたはそれを上回る連続アップリンクサブフレームにわたって使用される前記複数のリソースブロックを介して、前記１つまたはそれを上回る連続アップリンクサブフレーム内で１つまたはそれを上回るトランスポートブロックを伝送することと
を行わせる、メモリと
を備える、無線デバイス。
（項目１１６）
前記ＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、項目１１５に記載の無線デバイス。
（項目１１７）
前記１つまたはそれを上回る連続アップリンクサブフレームの前記数は、無線デバイスによってサポートされるＨＡＲＱプロセスの数未満である、項目１１５に記載の無線デバイス。
（項目１１８）
前記トーク前リッスンプロシージャの１つまたはそれを上回るパラメータは、前記１つまたはそれを上回るトランスポートブロックのうちの少なくとも１つの優先クラスに依存する、項目１１５に記載の無線デバイス。
（項目１１９）
トランスポートブロックは、非同期ＨＡＲＱプロセスと関連付けられる、項目１１５に記載の無線デバイス。
（項目１２０）
前記１つまたはそれを上回る連続アップリンクサブフレームの中の各サブフレームは、ＨＡＲＱ識別子と関連付けられ、前記ＨＡＲＱ識別子は、前記１つまたはそれを上回る連続アップリンクサブフレームの中のサブフレームの位置に依存する、項目１１５に記載の無線デバイス。
（項目１２１）
前記１つまたはそれを上回る連続アップリンクサブフレーム配分構成パラメータは、第１のフィールドを備え、前記第１のフィールドは、前記１つまたはそれを上回る連続アップリンクサブフレームの数の上限を示す、項目１１５に記載の無線デバイス。
（項目１２２）
方法であって、
基地局によって、認可支援アクセス（ＬＡＡ）セルの１つまたはそれを上回る連続アップリンクサブフレームの数の中のアップリンクリソースを示すダウンリンク制御情報（ＤＣＩ）を伝送するステップであって、前記ＤＣＩは、
前記１つまたはそれを上回る連続アップリンクサブフレームの前記数と、
複数のリソースブロックの割当と
を備える、ステップと、
前記１つまたはそれを上回る連続アップリンクサブフレームにわたって使用される前記複数のリソースブロックを介して、前記１つまたはそれを上回る連続アップリンクサブフレーム内で１つまたはそれを上回るトランスポートブロックを受信するステップと
を含む、方法。
（項目１２３）
前記ＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、項目１２２に記載の方法。
（項目１２４）
前記１つまたはそれを上回る連続アップリンクサブフレームの前記数は、無線デバイスによってサポートされるＨＡＲＱプロセスの数未満である、項目１２２に記載の方法。
（項目１２５）
前記トーク前リッスンプロシージャの１つまたはそれを上回るパラメータは、前記１つまたはそれを上回るトランスポートブロックのうちの少なくとも１つの優先クラスに依存する、項目１２２に記載の方法。
（項目１２６）
トランスポートブロックは、非同期ＨＡＲＱプロセスと関連付けられる、項目１２２に記載の方法。
（項目１２７）
前記１つまたはそれを上回る連続アップリンクサブフレームの中の各サブフレームは、ＨＡＲＱ識別子と関連付けられ、前記ＨＡＲＱ識別子は、前記１つまたはそれを上回る連続アップリンクサブフレームの中のサブフレームの位置に依存する、項目１２２に記載の方法。
（項目１２８）
前記１つまたはそれを上回る連続アップリンクサブフレーム配分構成パラメータは、第１のフィールドを備え、前記第１のフィールドは、前記１つまたはそれを上回る連続アップリンクサブフレームの数の上限を示す、項目１２２に記載の方法。
（項目１２９）
基地局であって、
１つまたはそれを上回るプロセッサと、
命令を記憶するメモリであって、前記命令は、前記１つまたはそれを上回るプロセッサによって実行されると、前記基地局に、
認可支援アクセス（ＬＡＡ）セルの１つまたはそれを上回る連続アップリンクサブフレームの数の中のアップリンクリソースを示すダウンリンク制御情報（ＤＣＩ）を伝送することであって、前記ＤＣＩは、
前記１つまたはそれを上回る連続アップリンクサブフレームの前記数と、
複数のリソースブロックの割当と
を備える、ことと、
前記１つまたはそれを上回る連続アップリンクサブフレームにわたって使用される前記複数のリソースブロックを介して、前記１つまたはそれを上回る連続アップリンクサブフレーム内で１つまたはそれを上回るトランスポートブロックを受信することと
を行わせる、メモリと
を備える、基地局。
（項目１３０）
前記ＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、項目１２９に記載の基地局。
（項目１３１）
前記１つまたはそれを上回る連続アップリンクサブフレームの前記数は、無線デバイスによってサポートされるＨＡＲＱプロセスの数未満である、項目１２９に記載の基地局。
（項目１３２）
前記トーク前リッスンプロシージャの１つまたはそれを上回るパラメータは、前記１つまたはそれを上回るトランスポートブロックのうちの少なくとも１つの優先クラスに依存する、項目１２９に記載の基地局。
（項目１３３）
トランスポートブロックは、非同期ＨＡＲＱプロセスと関連付けられる、項目１２９に記載の基地局。
（項目１３４）
前記１つまたはそれを上回る連続アップリンクサブフレームの中の各サブフレームは、ＨＡＲＱ識別子と関連付けられ、前記ＨＡＲＱ識別子は、前記１つまたはそれを上回る連続アップリンクサブフレームの中のサブフレームの位置に依存する、項目１２９に記載の基地局。
（項目１３５）
前記１つまたはそれを上回る連続アップリンクサブフレーム配分構成パラメータは、第１のフィールドを備え、前記第１のフィールドは、前記１つまたはそれを上回る連続アップリンクサブフレームの数の上限を示す、項目１２９に記載の基地局。
（項目１３６）
方法であって、
認可支援アクセス（ＬＡＡ）セルの１つまたはそれを上回る連続アップリンクサブフレームの数に対する許可を示すダウンリンク制御情報（ＤＣＩ）を受信するステップであって、前記ＤＣＩは、
複数のリソースブロックの割当と、
伝送電力制御コマンドと
を備える、ステップと、
チャネルが前記１つまたはそれを上回る連続アップリンクサブフレームのうちの開始サブフレームのためにクリアであることを示すトーク前リッスンプロシージャを実施するステップと、
前記１つまたはそれを上回る連続アップリンクサブフレームにわたって使用される前記複数のリソースブロックを介して、１つまたはそれを上回るトランスポートブロックを伝送するステップであって、前記１つまたはそれを上回る連続アップリンクサブフレームのうちの各サブフレーム内の前記１つまたはそれを上回るトランスポートブロックの伝送電力は、
前記伝送電力制御コマンドを採用し、
各サブフレーム内の全伝送電力が各サブフレーム内の電力値を超えるときに、各サブフレーム内で調節される、
ステップと
を含む、方法。
（項目１３７）
方法であって、
認可支援アクセス（ＬＡＡ）セルの１つまたはそれを上回る連続アップリンクサブフレームの数に対する許可を示すダウンリンク制御情報（ＤＣＩ）を受信するステップであって、前記ＤＣＩは、
複数のリソースブロックの割当と、
伝送電力制御コマンドと
を備える、ステップと、
前記１つまたはそれを上回る連続アップリンクサブフレームにわたって使用される前記複数のリソースブロックを介して、１つまたはそれを上回るトランスポートブロックを伝送するステップであって、前記１つまたはそれを上回る連続アップリンクサブフレームのうちの各サブフレーム内の前記１つまたはそれを上回るトランスポートブロックの伝送電力は、
前記伝送電力制御コマンドを採用し、
各サブフレーム内の全伝送電力が各サブフレーム内の電力値を超えるときに、各サブフレーム内で調節される、
ステップと
を含む、方法。
（項目１３８）
方法であって、
無線デバイスによって、認可支援アクセス（ＬＡＡ）セルの構成パラメータを備える１つまたはそれを上回る無線リソース制御（ＲＲＣ）メッセージを受信するステップと、
第１のサブフレーム内で、前記ＬＡＡセルのための第１のアップリンクリソースを示す第１のダウンリンク制御情報（ＤＣＩ）を受信するステップであって、前記第１のＤＣＩは、
第３のサブフレームを備える１つまたはそれを上回る連続アップリンクサブフレームの数に関するものであり、
前記１つまたはそれを上回る連続アップリンクサブフレームの前記数を備える、
ステップと、
前記第１のサブフレームと異なる第２のサブフレーム内で、前記第３のサブフレームのための第２のアップリンクリソースを示す第２のＤＣＩを受信するステップと、
前記第３のサブフレーム内の複数のリソースブロックを介して、直近で受信された第１のＤＣＩまたは第２のＤＣＩのパラメータに従って、１つまたはそれを上回るトランスポートブロックを伝送するステップと
を含む、方法。
（項目１３９）
前記第３のサブフレームは、前記第１のサブフレームおよび前記第２のサブフレームの後にある、項目１３８に記載の方法。
（項目１４０）
前記第１のＤＣＩはさらに、
前記複数のリソースブロックの割当、または
伝送電力制御コマンド
のうちの少なくとも１つを備える、項目１３８に記載の方法。
（項目１４１）
前記第１のＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、項目１３８に記載の方法。
（項目１４２）
チャネルが前記１つまたはそれを上回る連続アップリンクサブフレームのうちの開始サブフレームのためにクリアであることを示すトーク前リッスンプロシージャを実施するステップをさらに含む、項目１３８に記載の方法。
（項目１４３）
前記１つまたはそれを上回るトランスポートブロックは、非同期ＨＡＲＱプロセスと関連付けられる、項目１３８に記載の方法。
（項目１４４）
前記１つまたはそれを上回る連続アップリンクサブフレームの前記数は、前記無線デバイスによってサポートされるＨＡＲＱプロセスの数未満である、項目１３８に記載の方法。
（項目１４５）
前記第２のＤＣＩは、
ハイブリッド自動反復要求（ＨＡＲＱ）識別子、
冗長性バージョン（ＲＶ）、または
新規データインジケータ
のうちの少なくとも１つを備える、項目１３８に記載の方法。
（項目１４６）
構成パラメータは、第１のフィールドを備え、
前記１つまたはそれを上回る連続アップリンクサブフレームの前記数は、前記第１のフィールド未満である、
項目１３８に記載の方法。
（項目１４７）
前記１つまたはそれを上回るＲＲＣメッセージはさらに、第１のフィールドを備える１つまたはそれを上回る連続アップリンクサブフレーム配分構成パラメータを備え、前記第１のフィールドは、前記１つまたはそれを上回る連続アップリンクサブフレームの前記数の上限を示す、項目１３８に記載の方法。
（項目１４８）
無線デバイスであって、
１つまたはそれを上回るプロセッサと、
命令を記憶するメモリであって、前記命令は、前記１つまたはそれを上回るプロセッサによって実行されると、前記無線デバイスに、
認可支援アクセス（ＬＡＡ）セルの構成パラメータを備える１つまたはそれを上回る無線リソース制御（ＲＲＣ）メッセージを受信することと、
第１のサブフレーム内で、前記ＬＡＡセルのための第１のアップリンクリソースを示す第１のダウンリンク制御情報（ＤＣＩ）を受信することであって、前記第１のＤＣＩは、
第３のサブフレームを備える１つまたはそれを上回る連続アップリンクサブフレームの数に関するものであり、
前記１つまたはそれを上回る連続アップリンクサブフレームの前記数を備える、
ことと、
前記第１のサブフレームと異なる第２のサブフレーム内で、前記第３のサブフレームのための第２のアップリンクリソースを示す第２のＤＣＩを受信することと、
前記第３のサブフレーム内の複数のリソースブロックを介して、直近で受信された第１のＤＣＩまたは第２のＤＣＩのパラメータに従って、１つまたはそれを上回るトランスポートブロックを伝送することと
を行わせる、メモリと
を備える、無線デバイス。
（項目１４９）
前記第３のサブフレームは、前記第１のサブフレームおよび前記第２のサブフレームの後にある、項目１４８に記載の無線デバイス。
（項目１５０）
前記第１のＤＣＩはさらに、
前記複数のリソースブロックの割当、または
伝送電力制御コマンド
のうちの少なくとも１つを備える、項目１４８に記載の無線デバイス。
（項目１５１）
前記第１のＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、項目１４８に記載の無線デバイス。
（項目１５２）
前記命令は、前記１つまたはそれを上回るプロセッサによって実行されると、前記無線デバイスに、チャネルが前記１つまたはそれを上回る連続アップリンクサブフレームのうちの開始サブフレームのためにクリアであることを示すトーク前リッスンプロシージャを実施させる、項目１４８に記載の無線デバイス。
（項目１５３）
前記１つまたはそれを上回るトランスポートブロックは、非同期ＨＡＲＱプロセスと関連付けられる、項目１４８に記載の無線デバイス。
（項目１５４）
前記１つまたはそれを上回る連続アップリンクサブフレームの前記数は、前記無線デバイスによってサポートされるＨＡＲＱプロセスの数未満である、項目１４８に記載の無線デバイス。
（項目１５５）
方法であって、
基地局によって、認可支援アクセス（ＬＡＡ）セルの構成パラメータを備える１つまたはそれを上回る無線リソース制御（ＲＲＣ）メッセージを伝送するステップと、
第１のサブフレーム内で、前記ＬＡＡセルのための第１のアップリンクリソースを示す第１のダウンリンク制御情報（ＤＣＩ）を伝送するステップであって、前記第１のＤＣＩは、
第３のサブフレームを備える１つまたはそれを上回る連続アップリンクサブフレームの数に関するものであり、
前記１つまたはそれを上回る連続アップリンクサブフレームの前記数を備える、
ステップと、
前記第１のサブフレームと異なる第２のサブフレーム内で、前記第３のサブフレームのための第２のアップリンクリソースを示す第２のＤＣＩを伝送するステップと、
前記第３のサブフレーム内の複数のリソースブロックを介して、直近で伝送された第１のＤＣＩまたは第２のＤＣＩのパラメータに従って、１つまたはそれを上回るトランスポートブロックを受信するステップと
を含む、方法。
（項目１５６）
前記第３のサブフレームは、前記第１のサブフレームおよび前記第２のサブフレームの後にある、項目１５５に記載の方法。
（項目１５７）
前記第１のＤＣＩはさらに、
前記複数のリソースブロックの割当、または
伝送電力制御コマンド
のうちの少なくとも１つを備える、項目１５５に記載の方法。
（項目１５８）
基地局であって、
１つまたはそれを上回るプロセッサと、
命令を記憶するメモリであって、前記命令は、前記１つまたはそれを上回るプロセッサによって実行されると、前記基地局に、
認可支援アクセス（ＬＡＡ）セルの構成パラメータを備える１つまたはそれを上回る無線リソース制御（ＲＲＣ）メッセージを伝送することと、
前記ＬＡＡセルのための第１のアップリンクリソースを示す第１のダウンリンク制御情報（ＤＣＩ）を伝送することであって、前記第１のＤＣＩは、
第３のサブフレームを備える１つまたはそれを上回る連続アップリンクサブフレームの数に関するものであり、
前記１つまたはそれを上回る連続アップリンクサブフレームの前記数を備える、
ことと、
前記第１のサブフレームと異なる第２のサブフレーム内で、前記第３のサブフレームのための第２のアップリンクリソースを示す第２のＤＣＩを伝送することと、
前記第３のサブフレーム内の複数のリソースブロックを介して、直近で伝送された第１のＤＣＩまたは第２のＤＣＩのパラメータに従って、１つまたはそれを上回るトランスポートブロックを受信することと
を行わせる、メモリと
を備える、基地局。
（項目１５９）
方法であって、
第１のサブフレーム内で、認可支援アクセス（ＬＡＡ）セルのための第１のアップリンクリソースを示す第１のダウンリンク制御情報（ＤＣＩ）を受信するステップであって、前記第１のＤＣＩは、
第３のサブフレームを備える１つまたはそれを上回る連続アップリンクサブフレームの数に関するものであり、
前記１つまたはそれを上回る連続アップリンクサブフレームの前記数を備える、
ステップと、
前記第１のサブフレームと異なる第２のサブフレーム内で、前記第３のサブフレームの第２のアップリンクリソースを示す第２のＤＣＩを受信するステップと、
前記第３のサブフレーム内の複数のリソースブロックを介して、直近で受信された第１のＤＣＩまたは第２のＤＣＩのパラメータに従って、１つまたはそれを上回るトランスポートブロックを伝送するステップと
を含む、方法。
（項目１６０）
方法であって、
第１のサブフレーム内で、認可支援アクセス（ＬＡＡ）セルのための第１のアップリンクリソースを示す第１のダウンリンク制御情報（ＤＣＩ）を伝送するステップであって、前記第１のＤＣＩは、
第３のサブフレームを備える１つまたはそれを上回る連続アップリンクサブフレームの数に関するものであり、
前記１つまたはそれを上回る連続アップリンクサブフレームの前記数を備える、
ステップと、
前記第１のサブフレームと異なる第２のサブフレーム内で、前記第３のサブフレームの第２のアップリンクリソースを示す第２のＤＣＩを伝送するステップと、
前記第３のサブフレーム内の複数のリソースブロックを介して、直近で伝送された第１のＤＣＩまたは第２のＤＣＩのパラメータに従って、１つまたはそれを上回るトランスポートブロックを受信するステップと
を含む、方法。
（項目１６１）
第１のサブフレーム内で無線デバイスによって、第３のサブフレームを備える１つまたはそれを上回るサブフレーム内の第１のアップリンクリソースを示す第１のダウンリンク制御情報（ＤＣＩ）を受信するステップと、
前記第１のサブフレームと異なる第２のサブフレーム内で、前記第３のサブフレームの第２のアップリンクリソースを示す第２のＤＣＩを受信するステップと、
前記第３のサブフレーム内で、直近で受信された第１のＤＣＩまたは第２のＤＣＩのパラメータに従って、トランスポートブロックを伝送するステップと
を含む、方法。
（項目１６２）
前記第３のサブフレームは、前記第１のサブフレームおよび前記第２のサブフレームの後にある、項目１６１に記載の方法。
（項目１６３）
前記第１のＤＣＩはさらに、
前記複数のリソースブロックの割当、または
伝送電力制御コマンド
のうちの少なくとも１つを備える、項目１６１に記載の方法。
（項目１６４）
前記第１のＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、項目１６１に記載の方法。
（項目１６５）
チャネルが前記１つまたはそれを上回る連続アップリンクサブフレームのうちの開始サブフレームのためにクリアであることを示すトーク前リッスンプロシージャを実施するステップをさらに含む、項目１６１に記載の方法。
（項目１６６）
前記１つまたはそれを上回るトランスポートブロックは、非同期ＨＡＲＱプロセスと関連付けられる、項目１６１に記載の方法。
（項目１６７）
前記１つまたはそれを上回る連続アップリンクサブフレームの前記数は、前記無線デバイスによってサポートされるＨＡＲＱプロセスの数未満である、項目１６１に記載の方法。
（項目１６８）
前記第２のＤＣＩは、
ハイブリッド自動反復要求（ＨＡＲＱ）識別子、
冗長性バージョン（ＲＶ）、または
新規データインジケータ
のうちの少なくとも１つを備える、項目１６１に記載の方法。
（項目１６９）
方法であって、
第１のサブフレーム内で基地局によって、第３のサブフレームを備える１つまたはそれを上回るサブフレーム内の第１のアップリンクリソースを示す第１のダウンリンク制御情報（ＤＣＩ）を伝送するステップと、
前記第１のサブフレームと異なる第２のサブフレーム内で、前記第３のサブフレームの第２のアップリンクリソースを示す第２のＤＣＩを伝送するステップと、
前記第３のサブフレーム内で、直近で伝送された第１のＤＣＩまたは第２のＤＣＩのパラメータに従って、トランスポートブロックを受信するステップと
を含む、方法。
（項目１７０）
前記第３のサブフレームは、前記第１のサブフレームおよび前記第２のサブフレームの後にある、項目１６９に記載の方法。
（項目１７１）
前記第１のＤＣＩはさらに、
前記複数のリソースブロックの割当、または
伝送電力制御コマンド
のうちの少なくとも１つを備える、項目１６９に記載の方法。
（項目１７２）
前記第１のＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、項目１６９に記載の方法。
（項目１７３）
前記１つまたはそれを上回るトランスポートブロックは、非同期ＨＡＲＱプロセスと関連付けられる、項目１６９に記載の方法。
（項目１７４）
前記１つまたはそれを上回る連続アップリンクサブフレームの前記数は、前記無線デバイスによってサポートされるＨＡＲＱプロセスの数未満である、項目１６９に記載の方法。
（項目１７５）
前記第２のＤＣＩは、
ハイブリッド自動反復要求（ＨＡＲＱ）識別子、
冗長性バージョン（ＲＶ）、または
新規データインジケータ
のうちの少なくとも１つを備える、項目１６９に記載の方法。
（項目１７６）
無線デバイスであって、
１つまたはそれを上回るプロセッサと、
命令を記憶するメモリであって、前記命令は、前記１つまたはそれを上回るプロセッサによって実行されると、前記無線デバイスに、
第１のサブフレーム内で、第３のサブフレームを備える１つまたはそれを上回るサブフレーム内の第１のアップリンクリソースを示す第１のダウンリンク制御情報（ＤＣＩ）を受信することと、
前記第１のサブフレームと異なる第２のサブフレーム内で、前記第３のサブフレームの第２のアップリンクリソースを示す第２のＤＣＩを受信することと、
前記第３のサブフレーム内で、直近で受信された第１のＤＣＩまたは第２のＤＣＩのパラメータに従って、トランスポートブロックを伝送することと
を行わせる、メモリと
を備える、無線デバイス。
（項目１７７）
前記第３のサブフレームは、前記第１のサブフレームおよび前記第２のサブフレームの後にある、項目１７６に記載の無線デバイス。
（項目１７８）
前記第１のＤＣＩはさらに、
前記複数のリソースブロックの割当、または
伝送電力制御コマンド
のうちの少なくとも１つを備える、項目１７６に記載の無線デバイス。
（項目１７９）
前記第１のＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、項目１７６に記載の無線デバイス。
（項目１８０）
前記１つまたはそれを上回るトランスポートブロックは、非同期ＨＡＲＱプロセスと関連付けられる、項目１７６に記載の無線デバイス。
（項目１８１）
前記１つまたはそれを上回る連続アップリンクサブフレームの前記数は、前記無線デバイスによってサポートされるＨＡＲＱプロセスの数未満である、項目１７６に記載の無線デバイス。
（項目１８２）
前記第２のＤＣＩは、
ハイブリッド自動反復要求（ＨＡＲＱ）識別子、
冗長性バージョン（ＲＶ）、または
新規データインジケータ
のうちの少なくとも１つを備える、項目１７６に記載の無線デバイス。
（項目１８３）
基地局であって、
１つまたはそれを上回るプロセッサと、
命令を記憶するメモリであって、前記命令は、前記１つまたはそれを上回るプロセッサによって実行されると、前記基地局に、
第１のサブフレーム内で、第３のサブフレームを備える１つまたはそれを上回るサブフレーム内の第１のアップリンクリソースを示す第１のダウンリンク制御情報（ＤＣＩ）を伝送することと、
前記第１のサブフレームと異なる第２のサブフレーム内で、前記第３のサブフレームの第２のアップリンクリソースを示す第２のＤＣＩを伝送することと、
前記第３のサブフレーム内で、直近で伝送された第１のＤＣＩまたは第２のＤＣＩのパラメータに従って、トランスポートブロックを受信することと
を行わせる、メモリと
を備える、基地局。
（項目１８４）
前記第３のサブフレームは、前記第１のサブフレームおよび前記第２のサブフレームの後にある、項目１８３に記載の基地局。
（項目１８５）
前記第１のＤＣＩはさらに、
前記複数のリソースブロックの割当、または
伝送電力制御コマンド
のうちの少なくとも１つを備える、項目１８３に記載の基地局。
（項目１８６）
前記第１のＤＣＩはさらに、
変調およびコーディングスキーム、
ハイブリッド自動反復要求（ＨＡＲＱ）識別子、
冗長性バージョン（ＲＶ）、または
新規データインジケータ（ＮＤＩ）
のうちの少なくとも１つを備える、項目１８３に記載の基地局。
（項目１８７）
前記１つまたはそれを上回るトランスポートブロックは、非同期ＨＡＲＱプロセスと関連付けられる、項目１８３に記載の基地局。
（項目１８８）
前記１つまたはそれを上回る連続アップリンクサブフレームの前記数は、前記無線デバイスによってサポートされるＨＡＲＱプロセスの数未満である、項目１８３に記載の基地局。
（項目１８９）
前記第２のＤＣＩは、
ハイブリッド自動反復要求（ＨＡＲＱ）識別子、
冗長性バージョン（ＲＶ）、または
新規データインジケータ
のうちの少なくとも１つを備える、項目１８３に記載の基地局。
【国際調査報告】
2019508956.tif 000058
2019508956.tif 000059
2019508956.tif 000060
2019508956.tif 000061